(57)【要約】【課題】  オフィス環境に留まらずＰＯＤ環境にも適応可能な便利な印刷システムを提供すること。【解決手段】  印刷媒体を給送する給送手段と、複数の印刷媒体が重なった状態で搬送される重送の発生を検知する重送検知手段と、重送された印刷媒体を排出する重送排出手段と、をそれぞれ備える複数台の給送装置から印刷装置へ印刷媒体を供給可能な印刷システムであって、前記重送検知手段が重送の発生を検知した場合に、重送された印刷媒体を、何れの重送排出手段に排出するかを設定する重送排出先設定手段と、前記給送装置を制御し、前記重送排出先設定手段によって設定された重送排出手段に重送された印刷媒体を排出する制御手段と、を備えたことを特徴とする。【選択図】  図１
2008180900.tif 000002
【特許請求の範囲】
【請求項１】
印刷媒体を給送する給送手段と、複数の印刷媒体が重なった状態で搬送される重送の発生を検知する重送検知手段と、重送された印刷媒体を排出する重送排出手段と、をそれぞれ備える複数台の給送装置から印刷装置へ印刷媒体を供給可能な印刷システムであって、
前記重送検知手段が重送の発生を検知した場合に、重送された印刷媒体を、何れの重送排出手段に排出するかを設定する重送排出先設定手段と、
前記給送装置を制御し、前記重送排出先設定手段によって設定された重送排出手段に重送された印刷媒体を排出する制御手段と、
を備えたことを特徴とする印刷システム。
【請求項２】
前記重送排出先設定手段において複数の重送排出手段が設定された場合、前記制御手段は、重送された印刷媒体の搬送パスが短い重送排出手段を優先的に選択して排出することを特徴とする請求項１に記載の印刷システム。
【請求項３】
前記重送排出先設定手段において複数の重送排出手段が設定された場合、前記制御手段は、排出先として選択できる重送排出手段の候補を多く有する給送装置の重送排出手段を優先的に選択して排出することを特徴とする請求項１に記載の印刷システム。
【請求項４】
前記重送排出先設定手段は、複数の重送排出手段について優先順位を設定可能であり、
前記制御手段は、設定された優先順位に応じて重送排出手段を決定することを特徴とする請求項１に記載の印刷システム。
【請求項５】
前記制御手段はさらに、印刷ジョブ毎に異なる重送排出手段に重送された印刷媒体を排出することを特徴とする請求項１に記載の印刷システム。
【請求項６】
前記重送排出先設定手段は、さらに、印刷媒体のサイズごとに異なる重送排出手段を設定可能であることを特徴とする請求項１に記載の印刷システム。
【請求項７】
前記重送排出先設定手段は、さらに、印刷媒体のメディアタイプごとに異なる重送排出手段を設定可能であることを特徴とする請求項１に記載の印刷システム。
【請求項８】
前記重送排出先設定手段は、さらに、印刷媒体のサイズごとに異なる重送排出手段を設定可能であり、かつ、印刷媒体のメディアタイプごとに異なる重送排出手段を設定可能であって、印刷媒体について、サイズとメディアタイプに異なる重送排出手段が設定されている場合、どちらの重送排出手段を優先的に選択するかの優先順位を更に設定可能であることを特徴とする請求項１に記載の印刷システム。
【請求項９】
実行指示を受けた印刷ジョブに対して最適な印刷媒体を自動的に検索する検索手段を更に有し、
前記重送排出先設定手段は、印刷速度優先モードと、印刷継続性優先モードとを選択的に設定可能であり、
前記制御手段は、印刷継続性優先モードに設定された場合、検索手段によって検索された最適な印刷媒体を給送することが可能な給送装置中で、排出先として選択できる重送排出手段の候補を最も多く有する給送装置を選択することを特徴とする請求項１に記載の印刷システム。
【請求項１０】
実行指示を受けた印刷ジョブに対して最適な印刷媒体を自動的に検索する検索手段を更に有し、
前記重送排出先設定手段は、印刷速度優先モードと、印刷継続性優先モードとを選択的に設定可能であり、
前記制御手段は、印刷速度優先モードに設定された場合、検索手段によって検索された最適な印刷媒体を給送することが可能な給送装置中で、前記印刷装置までの搬送距離が最も短くなる給送装置から印刷媒体を給送させることを特徴とする請求項１に記載の印刷システム。
【請求項１１】
前記制御手段は、給送装置毎に重送の発生回数をカウントし、重送回数が多い給送装置よりも重送回数が少ない給送装置から優先的に印刷媒体を給送させることを特徴とする請求項１に記載の印刷システム。
【請求項１２】
実行指示を受けた印刷ジョブに対して最適な印刷媒体を自動的に検索する検索手段を更に有し、
前記制御手段は、検索手段によって検索された最適な印刷媒体を給送する場合、該最適な印刷媒体を給送することが可能な給送装置中で、排出先として選択できる重送排出手段の候補を最も多く有する給送装置から印刷媒体を給送させることを特徴とする請求項１に記載の印刷システム。
【請求項１３】
印刷媒体を給送する給送手段と、複数の印刷媒体が重なった状態で搬送される重送の発生を検知する重送検知手段と、重送された印刷媒体を排出する重送排出手段と、をそれぞれ備える複数台の給送装置から印刷装置へ印刷媒体を供給可能な印刷システムの制御方法であって、
いずれかの前記給送装置の前記重送検知手段によって検知された重送対象の印刷媒体を、何れの重送排出手段に排出するかを設定し、設定された重送排出手段に重送された印刷媒体を排出することを特徴とする印刷システムの制御方法。
【請求項１４】
請求項１３に記載の制御方法をコンピュータに実行させることを特徴とするプログラム。
【請求項１５】
請求項１３に記載の制御方法をコンピュータに実行させるプログラムを格納したことを特徴とするコンピュータ読取可能な記憶媒体。
【発明の詳細な説明】
【技術分野】
【０００１】
本発明は、複数のジョブを受付け可能な印刷システム及びその制御方法に関するものである。
【背景技術】
【０００２】
商業的印刷業界では、種々の作業工程を踏んで出版物の発行が行われている。例えば、原稿の入稿、原稿へのデザインの付与、レイアウト編集、カンプ（印刷によるプレゼンテーション）、校正（レイアウト修正や色修正）、校正刷り（プルーフ印刷）、版下作成、印刷、後処理加工、発送等である。
【０００３】
商業的印刷業界の場合、印刷工程においてオフセット製版印刷機が用いられることが多いため、版下作成工程は不可欠な工程である。しかしながら、版下作成は、一度行うとその修正が容易ではなく、かつ修正を行った場合、コスト的にかなり不利になる。ゆえに、版下作成にあたっては、入念な校正（即ち、入念なレイアウトのチェックや色の確認作業）が必須となってくる。このため、出版物の発行が完了するまでには、ある程度の期間を要することが一般的であった。
【０００４】
また、商業的印刷業界の場合、各作業工程において利用される装置は大掛かりなものが多くコストがかかるうえ、これら各工程における作業には専門知識が必要であるため、いわゆる職人と呼ばれる熟練者のノウハウが不可欠であった。
【０００５】
このような状況に対し、最近、電子写真方式の印刷装置やインクジェット方式の印刷装置の高速化、高画質化を受けて、上記商業的印刷業界に対抗する、所謂、ＰＯＤ（Ｐｒｉｎｔ  Ｏｎ  Ｄｅｍａｎｄ）市場と呼ばれる市場が出現しつつある。
【０００６】
ＰＯＤ市場は、比較的小ロットのジョブを、大掛かりな装置やシステムを用いずに、短納期で取り扱うことができるよう、上記大規模な印刷機、印刷手法に代わって出現してきたものである。
【０００７】
ＰＯＤ市場では、例えば、デジタル複写機やデジタル複合機等の印刷装置を最大限に活用することで、電子データを用いたデジタルプリントを実現し、プリントサービス等を行うことが可能となっている。
【０００８】
また、ＰＯＤ市場の場合、従来の商業的印刷業界よりもデジタル化が進んでおり、コンピュータを利用した管理・制御が浸透してきていることから、実際に短納期での印刷物の発行が可能であり、また、作業者のノウハウが不要であるというメリットもある。さらに、最近では印刷物の画質も商業的印刷業界のレベルに近づきつつある。
【０００９】
このような状況に鑑み、現在、事務機メーカ等が、ＰＯＤ市場という新たな分野に新規参入する方向の検討がなされている（特許文献１、２参照）。特に最近では、例えば、オフィス環境のみならず、オフィス環境とは異なるユースケースやニーズが想定されうるＰＯＤ環境にも充分満足のいく印刷装置や印刷システムの検討がなされつつある。このようなＰＯＤ市場における印刷環境を想定してみると、如何に印刷システムにて生産性を向上させるかが今後重要視される事が予想される。かつ、高い生産性を維持しつつ、いかに印刷システムのオペレータが印刷システムを使いやすくするかも、今後重要視されることが予想される。
【００１０】
【特許文献１】特開２００４−３１０７４６号公報
【特許文献２】特開２００４−３１０７４７号公報
【発明の開示】
【発明が解決しようとする課題】
【００１１】
既述の如く、例えば事務機メーカが、現在も得意とするオフィス環境から、ＰＯＤ市場という新規市場に本格参入するには、ＰＯＤ市場の状況を想定し、オフィス環境では想定し得ないユースケースやユーザニーズに対処する事が望ましいと考える。換言すると、ＰＯＤ市場へ本格参入する際には、ＰＯＤ環境にも適したデジタルプリンティングシステムの製品実用化に向けての検討を十分にする必要があると考える。しかし、ＰＯＤ環境にも適した印刷システムの製品実用化を目指すことを想定してみると、まだまだ検討の余地が残されていると考え、対処すべき課題や要望が存在すると考える。
【００１２】
例えば、ＰＯＤ市場で使用するシート（印刷媒体）は、顧客からの多種多様な印刷依頼を受注可能にすべく、印刷システムで様々な種類のシートが処理対象となる可能性がある。このような状況では、例えば、印刷媒体の給送源の１例でもある給紙装置から印刷媒体の分離・搬送に係る動作を行う際に、通常のシートとは違いが生じうる。例えば、普通紙といった種類の印刷媒体とは表面性も光沢性も厚みも異なる種類の印刷媒体も利用対象となりうる。してみると、例えば、給紙装置からで１枚づつ分離され給紙されるはずの印刷媒体が、複数枚同時に搬送されてしまうケースなども少なからず発生しうると考える。このように、複数枚の印刷媒体の少なくとも一部が重なったままの状態で搬送されることを重送と定義する。このようにオフィス環境とはユースケースもユーザニーズも異なるＰＯＤ環境が如くの印刷環境にて発生しうる”重送現象”にも対処可能にすることが今後重要視されうると考える。例えば、重送が起こった場合、定着不良や印刷装置内でのジャムや白紙混入といった現象が発生してしまうといった問題に対処可能にすることが望ましい。また、重送したシートについては印刷装置内の印字部へ搬送される前に重送を検出し、印字実行前に機外へ排出することが望ましい。また、このように、ＰＯＤ環境が如くの印刷環境にて今後要望されうる重送に係る様々なユースケースやユーザニーズに柔軟に対処可能にすることが望ましい。
【００１３】
本発明は、上記課題に鑑みてなされたものであり、オフィス環境に留まらずＰＯＤ環境にも適応可能な便利な印刷システム及びその制御方法を提供することを目的とする。
【００１４】
また、例えば、オフィス環境のみを念頭に入れて設計された画像形成装置の仕様に起因してＰＯＤ環境にて発生しうるオペレータの介入作業を、極力、減らす仕組みを、提供可能にする。そして、作業者の作業負荷を低減し、効率的な作業の実現を図れるようにする。
【００１５】
そして、このように様々な状況や利用環境を想定し、様々なユーザからの様々なニーズにも、極力、柔軟に対応できるようにする仕組みを提供できるようにする。
【課題を解決するための手段】
【００１６】
上記目的を達成するため本発明にかかるシステムは、印刷媒体を給送する給送手段と、複数の印刷媒体が重なった状態で搬送される重送の発生を検知する重送検知手段と、重送された印刷媒体を排出する重送排出手段と、をそれぞれ備える複数台の給送装置から印刷装置へ印刷媒体を供給可能な印刷システムであって、
前記重送検知手段が重送の発生を検知した場合に、重送された印刷媒体を、何れの重送排出手段に排出するかを設定する重送排出先設定手段と、
前記給送装置を制御し、前記重送排出先設定手段によって設定された重送排出手段に重送された印刷媒体を排出する制御手段と、
を備えたことを特徴とする。
【００１７】
上記目的を達成するため本発明にかかる方法は、印刷媒体を給送する給送手段と、複数の印刷媒体が重なった状態で搬送される重送の発生を検知する重送検知手段と、重送された印刷媒体を排出する重送排出手段と、をそれぞれ備える複数台の給送装置から印刷装置へ印刷媒体を供給可能な印刷システムの制御方法であって、
いずれかの前記給送装置の前記重送検知手段によって検知された重送対象の印刷媒体を、何れの重送排出手段に排出するかを設定し、設定された重送排出手段に重送された印刷媒体を排出することを特徴とする。
【発明の効果】
【００１８】
本発明によれば、従来で想定したような課題に対処できる。また、例えば、オフィス環境に留まらずＰＯＤ環境にも適応可能な使い勝手の良い便利な印刷環境が構築可能となる。また、例えば、極力、高い生産性でもってシステムを動作させたいといったニーズや、極力、オペレータの作業負荷を軽減したいといったニーズ等、ＰＯＤ等の印刷環境における実際の作業現場のニーズにも対処可能となり、特に、以下のような効果を奏する。
【００１９】
例えば、オフィス環境とはユースケースもユーザニーズも異なるＰＯＤ環境が如くの印刷環境にて発生しうる重送にも対処可能となる。また、例えば、重送が起こった場合に定着不良や印刷装置内でのジャムや白紙混入といった現象が発生してしまうといった重送に係る問題も極力発生することなしに、可能な限り高い生産性でもって複数のジョブの処理可能にした印刷システムが提供可能となる。また、搬送対象のシートが重送した場合の出力先を用紙サイズ、タイプなどに応じて任意に設定可能となり、ユーザの後処理の手間の軽減を図ることが可能となる。また、重送された印刷媒体排出先の設定に応じて給紙装置を自動的に切り替えることで印刷システムの生産性を向上させることが可能となる。このような、ＰＯＤ環境が如くの印刷環境にて今後要望されうる重送に係る様々なユースケースやユーザニーズに柔軟に対処可能となる。
【００２０】
このように、従来で想定したようなＰＯＤ環境で想定されうるユースケースやニーズに対処可能な便利でかつ柔軟な印刷環境が構築可能となり、製品実用化に向けての様々な仕組みが提供可能となる。
【発明を実施するための最良の形態】
【００２１】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００２２】
（第１実施形態）
［印刷システム１０００を含むＰＯＤ印刷システム１００００全体のシステム構成の説明］
本発明の第１実施形態は、背景技術で想定したような課題に対処すべく、ＰＯＤ環境等のオフィス環境とは異なる印刷環境を想定している。そこでまず、印刷システム１０００を含むＰＯＤ環境の現場（図１のＰＯＤ印刷システム１００００）全体のシステム環境について説明する。このような印刷環境自体も本実施形態の特徴の１つである。
【００２３】
なお、本実施形態では、この印刷システム１０００が適用可能な印刷環境のことを、ＰＯＤ環境にも適しているがゆえに、ＰＯＤ印刷システム１００００と呼ぶ。
【００２４】
図１のＰＯＤ印刷システム１００００は、構成要素として、本実施形態の印刷システム１０００、サーバコンピュータ、クライアントコンピュータ（これを、以下ＰＣ１０３、１０４と呼ぶ）を備える。また、紙折り機１０７、断裁機１０９、中綴じ製本機１１０、くるみ製本機１０８、スキャナ１０２等も備える。このように複数の装置がＰＯＤ印刷システム１００００に用意されている。
【００２５】
印刷システム１０００は、構成要素として、印刷装置１００及びシート処理装置２００を備える。なお、印刷装置１００の１例として、本実施形態では、コピー機能及びＰＣプリント機能等複数の機能を備える複合機で説明するが、ＰＣ機能のみ或いはコピー機能のみの単一機能型の印刷装置であっても、良い。なお、複合機のことを、以下では、ＭＦＰ（Ｍｕｌｔｉ  Ｆｕｎｃｔｉｏｎ  Ｐｅｒｉｐｈｅｒａｌ）とも呼ぶ。
【００２６】
ここでは、図１の紙折り機１０７、断裁機１０９、中綴じ製本機１１０、くるみ製本機１０８を、印刷システム１０００が備えるシート処理装置２００と同様に、シート処理装置と定義する。何故なら、印刷システム１０００が備える印刷装置１００で印刷されたジョブのシートに対するシート処理を実行可能なデバイスであるからである。例えば、紙折り機１０７は、印刷装置１００で印刷されたジョブのシートの折処理を実行可能に構成されている。
【００２７】
断裁機１０９は、複数枚のシートで構成されるシート束単位で、印刷装置１００で印刷されたシートの断裁処理を、実行可能に構成されている。中綴じ製本機１１０は、印刷装置１００で印刷されたジョブのシートの中綴じ製本処理を実行可能に構成されている。くるみ製本機１０８は、印刷装置１００で印刷されたジョブのシートのくるみ製本処理を実行可能に構成されている。ただし、これらのシート処理装置で各種シート処理を実行させるには、印刷装置１００で印刷されたジョブの印刷物を印刷装置１００の排紙部からオペレータが取出し、かつ、処理対象となるシート処理装置に、その印刷物をセットする作業が必要である。
【００２８】
このように、印刷システム１０００自身が備えるシート処理装置２００以外のシート処理装置を利用する場合には、印刷装置１００による印刷処理後にオペレータによる介入作業を要する。
【００２９】
換言すると、印刷システム１０００自身が備えるシート処理装置２００を利用して印刷装置１００により印刷されたジョブにて要するシート処理を実行させる場合には、印刷装置１００による印刷処理の実行後にオペレータによる介入作業は不要である。何故なら、印刷装置１００からシート処理装置２００に対しては、印刷装置１００で印刷されたシートを、直接、供給できるように構成されているからである。具体的には、印刷装置１００内部のシート搬送路が、シート処理装置２００内部のシート搬送路に、連結可能に構成している。このように、印刷システム１０００自身が備えるシート処理装置２００と印刷装置１００は、互いに、物理的接続関係にあるからである。かつ、印刷装置１００とシート処理装置２００は、互いに、ＣＰＵを具備し、データ通信可能に構成されている。このように印刷装置１００とシート処理装置２００は、互いに、電気的接続関係にあるからである。
【００３０】
なお、これら印刷装置１００とシート処理装置２００を統括的に制御する制御手段の１例として、本実施形態では、図２の印刷装置１００内部のコントローラ２０５が統括制御を行う。なお、本実施形態では、これらシート処理装置のことを、後処理装置やポストプレスとも呼ぶ。
【００３１】
図１のＰＯＤ印刷システム１００００における、これら複数の装置のうちの、中綴じ製本機１１０以外の装置は、全て、ネットワーク１０１に接続されており、互いに他装置とデータ通信可能に構成されている。
【００３２】
例えば、ＰＣ１０３、１０４等の外部装置の一例に該当する情報処理装置からネットワーク１０１を介して送信された印刷実行要求がなされた処理対象となるジョブの印刷データを、印刷装置１００により印刷させる。
【００３３】
また、例えば、ネットワーク通信により他の装置とのデータの送受を実行することで、ＰＣ１０３は、ＰＯＤ印刷システム１００００にて処理すべき全てのジョブの全体を管理する。換言すると、複数の処理工程からなる一連のワークフローの工程全体を統括管理するコンピュータとして機能する。ＰＣ１０３は、オペレータから受け付けたジョブの指示に基づいて、ＰＯＤ印刷システム１００００にて仕上げ可能な後処理条件を決定する。かつ、エンドユーザ（この例では印刷の作成依頼をした顧客）の要求通りの後処理（仕上げ処理）工程の指示を行う。この際に、ＰＣ１０３が、ＪＤＦなどの情報交換ツールを用いて、ポストプレス内部でのコマンドやステータスでそれぞれの後処理機器と情報交換している。
【００３４】
以上のような構成要素を備えるＰＯＤ印刷システム１００００における本実施形態の着目点の１つとして、上記各シート処理装置を、本実施形態では、３種類に分類して、以下のように、定義している。
【００３５】
［定義１］  以下に列挙の（条件１）と（条件２）の両方を満たす装置に該当するシート処理装置を、「インラインフィニッシャ」と定義する。なお、この定義に該当する装置を、本実施形態では、インラインタイプのシート処理装置とも呼ぶ。
【００３６】
（条件１）  印刷装置１００から搬送されるシートをオペレータの介入無しに直接的に受容できるように、紙パス（シート搬送路）が、印刷装置１００と物理的に接続されている。
【００３７】
（条件２）  操作指示や状況確認等に要するデータ通信を他装置とできるように、他装置と電気的に接続されている。具体的には、印刷装置１００とデータ通信可能に電気的接続されている事、或いは、ネットワーク１０１を介して印刷装置１００以外の装置（例えば、ＰＣ１０３、１０４等）とデータ通信可能に電気的接続されている事。これら少なくとも何れかの条件を満たすものを、（条件２）に合致するものとする。
【００３８】
即ち、印刷システム１０００自身が備えるシート処理装置２００は、「インラインフィニッシャ」に該当する。何故なら、上記の如く、シート処理装置２００は、印刷装置１００と物理的接続関係にあり、かつ、印刷装置１００と電気的接続関係にあるシート処理装置であるからである。
【００３９】
［定義２］  前項に掲げる（条件１）と（条件２）のうちの（条件１）は満たさないが、（条件２）を満たす装置に該当するシート処理装置を、「ニアラインフィニッシャ」と定義する。なお、この定義に該当する装置を、本実施形態では、ニアラインタイプのシート処理装置とも呼ぶ。
【００４０】
例えば、紙パスも印刷装置１００と接続されておらず、作業者（オペレータ）が印刷物の運搬等の介入作業を要する。しかし、操作指示や状況確認はネットワーク１０１等の通信手段を介して電気的に情報送受可能である。このような条件に合致するシート処理装置を、「ニアラインフィニッシャ」と定義する。
【００４１】
即ち、図１の紙折り機１０７、断裁機１０９、中綴じ製本機１１０、くるみ製本機１０８は、「ニアラインフィニッシャ」に該当する。何故なら、これらのシート処理装置は、印刷装置１００と物理的接続関係には無い。しかし、少なくとも、ネットワーク１０１を介して、ＰＣ１０３やＰＣ１０４等の他装置とデータ通信可能な電気的接続関係にあるシート処理装置であるからである。
【００４２】
［定義３］  前項に掲げる（条件１）と（条件２）の何れの条件も満たさない装置に該当するシート処理装置を、「オフラインフィニッシャ」と定義する。なお、この定義に該当する装置を、本実施形態では、オフラインタイプのシート処理装置とも呼ぶ。
【００４３】
例えば、紙パスも印刷装置１００と接続されておらず、作業者（オペレータ）が印刷物の運搬等の介入作業を要する。しかも、操作指示や状況確認に要する通信ユニットも具備しておらず、他装置とのデータ通信も不可能である。ゆえに、作業者が出力物の運搬、出力物の設定、手作業での操作入力、機器自体が発する状況報告を手作業で行う。このような条件に合致するシート処理装置を「オフラインフィニッシャ」と定義する。
【００４４】
即ち、図１の中綴じ製本機１１０は「オフラインフィニッシャ」に該当する。何故なら、このシート処理装置は、印刷装置１００と物理的接続関係には無い。しかも、ネットワーク１０１にも接続不可で、他装置とデータ通信不可な、電気的接続関係ではない、シート処理装置であるからである。
【００４５】
以上の如く、３つの種類に分類する各種シート処理装置を備えるＰＯＤ印刷システム１００００にて、様々なシート処理を実行可能に構成している。
【００４６】
例えば、断裁処理、中綴じ製本処理、くるみ製本処理、シートの折処理、穴あけ処理、封入処理、帳合処理、等の様々なシート加工処理を、印刷装置１００により印刷処理されたジョブの印刷媒体に対して実行可能に構成している。このように、エンドユーザ（顧客）が望む所望の製本印刷体裁でもってシート加工を実行可能に構成されている。
【００４７】
ＰＣ１０３が管理するニアラインフィニッシャやオフラインフィニッシャには、他にも、ステープラ専用装置、穴あけ専用装置、封入機あるいは、帳合機（コレータ）を初めとして様々なものがある。ＰＣ１０３は、これらのニアラインフィニッシャと予め決められたプロトコルで、逐次ポーリングなどでデバイスの状況やジョブの状況を、ネットワーク１０１経由で把握する。かつ、ＰＯＤ印刷システム１００００にて処理すべき多数のジョブの各ジョブの実行状況（進捗状況）を管理する。
【００４８】
なお、本実施形態は、上述の複数の記録紙処理をそれぞれ別々のシート処理装置により実行可能にする構成でも、複数種類の記録紙処理を１台のシート処理装置が実行可能にする構成でも良い。また、複数のシート処理装置のうちのいずれかのシート処理装置を印刷システムに備える構成でも良い。
【００４９】
ここで、本実施形態の更なる着目点について説明しておく。図１の印刷システム１０００は、印刷装置１００と、と、印刷装置１００に着脱可能なシート処理装置２００を具備している。シート処理装置２００は、印刷装置１００で印刷がなされたジョブのシートを、直接的に、シート搬送路を介して、受容可能な装置である。かつ、ユーザインタフェース部を介して印刷実行要求と共にユーザが要求したシート処理を、印刷装置１００のプリンタ部２０３により印刷されたジョブのシートに対して実行するシート処理装置である。この点は、上記インラインタイプのシート処理装置である点からも明白である。
【００５０】
ここで特筆すべきは、本実施形態のシート処理装置２００は、一連のシート処理装置群として、定義することも可能である点である。というのも、本実施形態では、シート処理装置２００として、互いに独立筐体でかつ独立使用可能な、複数台のシート処理装置を、印刷装置１００に連結して利用可能に構成されているからである。
【００５１】
図１の印刷システム１０００は、印刷装置１００と３台のシート処理装置とを具備している。換言すると、図１の印刷システム１０００は、３台のシート処理装置が印刷装置１００に直列的に接続されている。本実施形態では、このように複数台のシート処理装置を印刷装置１００に接続された構成をカスケード接続と呼ぶ。これら印刷装置１００にカスケード接続される、一連のシート処理装置２００に包含される、複数台のシート処理装置は、全て、インラインフィニッシャとして、本実施形態で取り扱っている。かつ、印刷システム１０００の制御部の１例に該当する図２のコントローラ２０５が、印刷装置１００及びこれら複数台のインラインタイプのシート処理装置を統括的に制御し、以下の実施形態で述べる各種制御を実行する。このような特徴点も具備している。なお、この構成については、図３等を用いて後述する。
【００５２】
［印刷システム１０００の内部構成（主にソフト構成）］
次に、印刷システム１０００の内部構成（主に、ソフト構成）について、図２のシフテムブロック図でもって説明する。なお、印刷システム１０００が備える図２に示す各ユニットのうちのシート処理装置２００（厳密にいえば、複数台のインラインタイプのシート処理装置で構成可能な一連のシート処理装置群）以外のユニットは、全て印刷装置１００内部に具備している。換言すると、シート処理装置２００は、印刷装置１００に対して、着脱可能なシート処理装置であり、印刷装置１００のオプションとして提供可能に構成されている。これにより、ＰＯＤ環境にて、必要なインラインフィニッシャを、必要な台数分、提供可能にする等の効果を図っている。ゆえに、以下のような構成となっている。
【００５３】
印刷装置１００は、自装置内部に複数の処理対象となるジョブのデータを記憶可能なハードディスクドライブ（以下、ＨＤＤと呼ぶ）２０９等の不揮発性メモリを備える。かつ、印刷装置１００自身が備えるスキャナ部２０１から受付けたジョブデータをＨＤを介してプリンタ部２０３で印刷するコピー機能を備える。かつ、ＰＣ１０３、１０４等の外部装置から通信部の１例に該当する外部Ｉ／Ｆ部２０２ユニットを介して受付けたジョブデータをＨＤを介してプリンタ部２０３で印刷する印刷機能等を備える。このような複数の機能を具備したＭＰＦタイプの印刷装置（画像形成装置とも呼ぶ）である。
【００５４】
なお、換言すると、本実施形態の印刷装置は、カラープリント可能な印刷装置でも、モノクロプリント可能な印刷装置でも、本実施形態で述べる各種制御を実行可能であるならば如何なる構成でも良い。
【００５５】
本実施形態の印刷装置１００は、原稿画像を読み取り、読み取られた画像データを画像処理するスキャナ部２０１を備える。また、ファクシミリ、ネットワーク接続機器、外部専用装置と画像データなどを送受する外部Ｉ／Ｆ部２０２を備える。また、スキャナ部２０１及び外部Ｉ／Ｆ部２０２の何れかから受付けた複数の印刷対象となるジョブの画像データを記憶可能なＨＤＤ２０９を備える。また、ＨＤＤ２０９に記憶された印刷対象のジョブのデータの印刷処理を印刷媒体に対して実行するプリンタ部２０３を備える。また、印刷装置１００は、印刷システム１０００が備えるユーザインタフェース部の一例に該当する、表示部を有する操作部２０４も、備える。印刷システム１０００にて提供しているユーザインタフェース部の別の例としては、例えば、ＰＣ１０３や１０４の外部装置の表示部及びキーボードやマウス等がこれに該当する。
【００５６】
印刷システム１０００が備える制御部の一例に該当するコントローラ部（制御部、或いは、ＣＰＵとも呼ぶ）２０５は、印刷システム１０００が備える各種ユニットの処理や動作等を統括的に制御する。ＲＯＭ２０７には、後述する図２２，２９に示すフローチャートの各種処理等を実行する為のプログラムを含む本実施形態にて要する各種の制御プログラムが記憶されている。また、ＲＯＭ２０７には、図示しているユーザインタフェース画面（以下、ＵＩ画面と呼ぶ）を含む、操作部２０４の表示部に各種のＵＩ画面を表示させる為の表示制御プログラムも記憶されている。
【００５７】
コントローラ２０５は、ＲＯＭ２０７のプログラムを読出実行することで、本実施形態にて説明する各種の動作を印刷装置により実行させる。外部Ｉ／Ｆ部２０２を介して外部装置（１０３や１０４等）から受信したＰＤＬ（ページ記述言語）コードデータを解釈し、ラスターイメージデータ（ビットマップ画像データ）に展開する動作を実行する為のプログラム等もＲＯＭ２０７に記憶されている。これらは、ソフトウェアによって処理される。
【００５８】
ＲＯＭ２０７は読み出し専用のメモリで、ブートシーケンスやフォント情報等のプログラムや上記のプログラム等各種プログラムが予め記憶されている。ＲＡＭ２０８は読み出し及び書き込み可能なメモリで、スキャナ部２０１や外部Ｉ／Ｆ部２０２よりメモリコントローラ２０６を介して送られてきた画像データや、各種プログラムや設定情報を記憶する。
【００５９】
ＨＤＤ（ハードディスク）２０９は、圧縮伸張部２１０によって圧縮された画像データを記憶する大容量の記憶装置である。ＨＤＤ２０９に、処理対象となるジョブのプリントデータ等複数のデータを保持可能に構成されている。コントローラ２０５は、スキャナ部２０１や外部Ｉ／Ｆ部２０２等の各種入力ユニットを介して入力された処理対象となるジョブのデータを、ＨＤＤ２０９を介して、プリンタ部２０３でプリント可能に制御する。また、外部Ｉ／Ｆ部２０２を介して外部装置へ送信できるようにも制御する。このようにＨＤＤ２０９に格納した処理対象のジョブのデータの各種の出力処理を実行可能にコントローラ２０５により制御する。圧縮伸張部２１０は、ＪＢＩＧやＪＰＥＧ等といった各種圧縮方式によってＲＡＭ２０８、ＨＤＤ２０９に記憶されている画像データ等を圧縮・伸張動作を行う。
【００６０】
以上のような構成のもと、印刷システムが備える制御部の１例としてのコントローラ２０５が、図１の説明の如く、インラインタイプのシート処理装置２００の動作も制御する。この説明も含む、印刷システム１０００のメカ構成について、図３等でもって説明する。
【００６１】
［印刷システム１０００の装置構成（主にメカ構成）］
次に、印刷システム１０００の構成（主に、メカ構成）について、図３の装置構成説明図でもって説明する。
【００６２】
なお、上述したように、印刷システム１０００は、複数台のインラインタイプのシート処理装置を、印刷装置１００にカスケード接続可能に構成している。また、印刷装置１００に接続可能なインラインタイプのシート処理装置は、特定の制限下のもと、本実施形態の効果を向上させるべく、利用環境に合わせ、任意の台数設置可能に構成されている。
【００６３】
ゆえに、説明をより明瞭化すべく、図２や図３では、シート処理装置２００は、一連のシート処理装置群として、Ｎ台接続可能であるものとしている。かつ、１台目のシート処理装置から順に、シート処理装置２００ａ、２００ｂ、、、、、と示し、Ｎ台目のシート処理装置として、シート処理装置２００ｎと示している。なお、図１〜図３では、説明上、シート処理装置２００の形状が、図のような形状となっているが、しかし、本来の概観は、後述するような構成となっている。
【００６４】
まず、これらインラインタイプのシート処理装置２００によるシート処理を実行する前の工程に該当する印刷装置１００における印刷処理を実行する際の、メカ構成を説明する。主に、図２のコントローラ部（以下制御部又はＣＰＵと呼ぶ）２０５が印刷装置１００に実行させる、プリンタ部２０３の内部からシート処理装置２００の内部へ印刷処理がなされたジョブのシートを供給する時点迄のペーパハンドリング動作等を説明する。
【００６５】
図３に示す符号３０１〜３２２のうち、３０１は、図２のスキャナ部２０１のメカ構成に該当する。３０２〜３２２が、図３のプリンタ部２０３のメカ構成に該当する。なお、本実施形態では、１ＤタイプのカラーＭＦＰの構成について説明する。なお、４ＤタイプのカラーＭＦＰ、白黒ＭＦＰも、本実施形態の印刷装置の一例であるが、ここでは説明を割愛する。
【００６６】
図３の自動原稿搬送装置（ＡＤＦ）３０１は、原稿トレイの積載面にセットされた原稿束を１ページ目の原稿から、ページ順に、順番に分離して、走査ユニット３０２によって原稿走査するために原稿台ガラス上へ搬送する。走査ユニット３０２は、原稿台ガラス上に搬送された原稿の画像を読み取り、ＣＣＤによって画像データに変換する。回転多面鏡（ポリゴンミラー等）３０３は、前記画像データに応じて変調された、例えばレーザ光などの光線を入射させ、反射ミラーを介して反射走査光として感光ドラム３０４に照射する。感光ドラム３０４上に前記レーザ光によって形成された潜像はトナーによって現像され、転写ドラム３０５上に貼り付けられたシート材に対してトナー像を転写する。この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム３０５上のシート材は、分離爪３０６によって分離され、定着前搬送器３０７によって定着器３０８へ搬送される。
【００６７】
定着器３０８は、ローラやベルトの組み合わせによって構成され、ハロゲンヒータなどの熱源を内蔵し、トナー像が転写されたシート材上のトナーを、熱と圧力によって溶解、定着させる。排紙フラッパ３０９は、揺動軸を中心に揺動可能に構成され、シート材の搬送方向を規定する。排紙フラッパ３０９が図中時計回りの方向に揺動しているときには、シート材は真直ぐに搬送され、排出ローラ３１０によって機外へ排出される。一方、シート材の両面に画像を形成する際には、排紙フラッパ３０９が図中反時計回りの方向に揺動し、シート材は下方向に進路を変更され両面搬送部へと送り込まれる。両面搬送部は、反転フラッパ３１１、反転ローラ３１２、反転ガイド３１３及び両面トレイ３１４を備える。
【００６８】
反転フラッパ３１１は、揺動軸を中心に揺動可能に構成され、シート材の搬送方向を規定する。コントローラ２０５は、両面印刷ジョブを処理する場合、プリンタ部２０３でシートの第１面にプリント済みのシートを、反転フラッパ３１１を図中反時計回りの方向に揺動させ、反転ローラ３１２を介して、反転ガイド３１３へと送り込むよう制御する。そして、シート材後端が反転ローラ３１２に狭持された状態で反転ローラ３１２を一旦停止させ、引き続き反転フラッパ３１１が図中時計回りの方向に揺動させる。かつ、反転ローラ３１２を逆方向に回転させる。これにより、シートスイッチバックして搬送させ、シートの後端と先端が入れ替わった状態で、シートを両面トレイ３１４へと導くよう制御する。
【００６９】
両面トレイ３１４ではシート材を一旦積載し、その後、再給紙ローラ３１５によってシート材は再びレジストローラ３１６へと送り込まれる。このときシート材は、１面目の転写工程とは反対の面が感光ドラムと対向する側になって送られてきている。そして、先述したプロセスと同様にしてシートの第２面に対して２面目の画像を形成させる。そして、シート材の両面に画像が形成され、定着工程を経て排出ローラ３１０を介して印刷装置内部から機外へとシートを排出させる。コントローラ２０５は、以上のような一連の両面印刷シーケンスを実行することで、両面印刷対象のジョブのデータのシートの第１面と第２面の各面に対する両面印刷を印刷装置により実行可能にする。
【００７０】
給紙搬送部は、印刷処理に要するシートを収納する給紙ユニットとしての給紙カセット３１７、３１８（例えば、夫々５００枚のシートを収容可能）、ペーパーデッキ３１９（例えば、５０００枚のシートを収納可能）、手差しトレイ３２０等がある。また、これら給紙ユニットに収納されたシートを給送するユニットとして、給紙ローラ３２１、レジストローラ３１６等がある。給紙カセット３１７、３１８、ペーパーデッキ３１９には、各種のシートサイズでかつ各種のマテリアルのシートを、これらの各給紙ユニット毎に、区別して、セット可能に構成されている。
【００７１】
手差しトレイ３２０も、ＯＨＰシート等の特殊なシートを含む各種の印刷媒体をセット可能に構成されている。給紙カセット３１７、３１８、ペーパーデッキ３１９、手差しトレイ３２０には、それぞれに給紙ローラ３２１が設けられ１枚単位でシートを連続的に給送可能に構成される。例えば、ピックアップローラによって積載されたシート材が順次繰り出され、給紙ローラ３２１に対向して設けられる分離ローラによって重送が防止されてシート材は１枚づつ搬送ガイドへと送り出される。ここで、分離ローラには搬送方向とは逆方向に回転させる駆動力が図示しないトルクリミッタを介して入力されている。給紙ローラとの間に形成されるニップ部にシート材が１枚だけ進入しているときには、シート材に従動して搬送方向に回転する。
【００７２】
一方、重送が発生している場合には搬送方向とは逆方向に回転することにより重送したシート材が戻され、最上部の１枚だけが送り出されるようになっている。送り出されたシート材は搬送ガイドの間を案内され、複数の搬送ローラによってレジストローラ３１６まで搬送される。このときレジストローラ３１６は停止しており、シート材の先端がレジストローラ３１６対で形成されるニップ部に突き当たり、シート材がループを形成し斜行が補正される。その後、画像形成部において感光ドラム３０４上に形成されるトナー像のタイミングに合わせて、レジストローラ３１６は回転を開始してシート材を搬送する。レジストローラ３１６により送られたシート材は、吸着ローラ３２２によって転写ドラム３０５表面に静電気的に吸着される。定着器３０８から排出されたシート材は、排出ローラ３１０を介して、シート処理装置２００内部のシート搬送路へ導入される。
【００７３】
コントローラ２０５は、以上のような印刷プロセスを経て、印刷対象となるジョブを処理する。コントローラ２０５は、ＵＩ部を介してユーザから受付た印刷実行要求に基き、データ発生源からＨＤＤ２０９に記憶させたジョブの印刷データの印刷処理を、上記方法でもって、プリンタ部２０３により、実行させる。
【００７４】
なお、例えば、印刷実行要求を操作部２０４から受付けたジョブのデータ発生源は、スキャナ部２０１を意味する。また、印刷実行要求をサーバコンピュータから受付けたジョブのデータ発生源は、当然サーバコンピュータである。
【００７５】
また、コントローラ２０５は、処理対象のジョブの印刷データを、先頭ページから順番にＨＤＤ２０９に記憶させ、かつ、先頭ページから順番にＨＤＤ２０９からジョブの印刷データを読み出して、シート上に印刷データの画像を形成させる。このような先頭ページ処理を遂行する。かつ、コントローラ２０５は、先頭ページから順番に印刷されるシートを、画像面が下向きで、シート処理装置２００内部のシート搬送路へ供給させる。その為に、排出ローラ３１０によりシート処理装置２００内部へシートを導入する直前で、定着器３０８からのシートの表裏を反転させる為のスイッチバック動作を排紙フラッパ３０９、反転ローラ３１２等を用いて実行させる。このような、先頭ページ処理に対処する為のペーパハンドリング制御もコントローラ２０５は実行する。
【００７６】
次に、印刷システム１０００が印刷装置１００と共に備えるインラインタイプのシート処理装置２００の構成について説明する。
【００７７】
本実施形態の印刷システム１０００は、図３に示すが如く、印刷装置１００にカスケード接続可能なインラインタイプのシート処理装置を合計ｎ台としている。この台数は、例えば、可能な限り何台でも設置可能に構成しても良い。しかし、少なくとも、プリンタ部２０３により印刷がなされたシートをオペレータによる介入作業無しに機内のシート処理部へ供給可能な構成のシート処理装置の利用を要する。換言すると、例えば、印刷装置１００が備える排出ローラ３１０を経てプリンタ部２０３内部から排出される印刷媒体を機内で搬送可能なシート搬送路（紙パス）を備えるシート処理装置の利用を要する。このような制約事項は遵守するように構成されている。
【００７８】
とはいうものの、本実施形態の効果を向上させる為の１つの仕組みとして、このような制約事項を遵守した範囲内では、柔軟に印刷システム１０００を構築可能に構成している。例えば、インラインタイプのシート処理装置を３台接続したり、５台接続したり、接続数も任意とする。勿論、オフラインタイプのシート処理装置の利用効率を向上させるがゆえに、インラインタイプのシート処理装置は不要と管理者が判断するようなＰＯＤ環境も想定している。例えば、インラインタイプのシート処理装置を利用しない（即ち、０台）場合でも、本実施形態の印刷装置１００は当然利用可能にする。
【００７９】
また、例えば、複数台のインラインタイプのシート処理装置を印刷装置１００にカスケード接続する場合に、それら複数台のシート処理装置の接続順番も、管理者等の特定ユーザにより、制約の範囲内で、任意に、変更、決定可能に構成している。
【００８０】
ただし、上記のような仕組みは、ユーザ利便性を向上させるための仕組みであるがゆえに、必ずしも必須の構成要件としなくても良い。換言すると、例えば、本発明はこのような構成に限定解釈されない。１例として、例えば、印刷システム１０００にて利用可能なインラインタイプのシート処理装置の台数や、それらの装置の接続順序が、一律的に規定されているようなシステム構成でも良い。少なくとも、後述する各種ジョブ制御の少なくとも何れかを実行可能に構成されるならば、如何なるシステム構成や装置構成であっても、本発明に包含される。
【００８１】
なお、印刷システム１０００が、印刷装置１００に対して、如何様なシート処理を実行可能な如何様なインラインタイプのシート処理装置を、如何様に、何台、接続できるのか等は、後述する。
【００８２】
［印刷システム１０００のＵＩ部の１例に該当する操作部２０４の構成］
図４等を用いて、印刷システム１０００の印刷装置１００が備える印刷システム１０００におけるユーザインタフェース部（以下、ＵＩ部と呼ぶ）の一例に該当する操作部２０４について説明する。
【００８３】
操作部２０４は、ハードキーによるユーザ操作を受付け可能なキー入力部４０２、ソフトキー（表示キー）によるユーザ操作を受付可能な表示部の一例としてのタッチパネル部４０１を、有する。
【００８４】
図５に示すように、キー入力部４０２は、操作部において電源をＯＮ／ＯＦＦするためのスイッチ５０１を備える。スイッチ５０１の操作に応答し、コントローラ２０５は、スタンバイモード（通常動作状態）とスリープモード（ネットワーク印刷やファクシミリなどに備えて割り込み待ち状態でプログラムを停止して、消費電力を抑えている状態）を選択的に切換るよう制御する。コントローラ２０５は、スイッチ５０１のユーザ操作を、システム全体の電源供給を行う主電源スイッチ（不図示）がＯＮ状態にて、受付可能に制御する。
【００８５】
スタートキー５０３は、処理対象となるジョブのコピー動作や送信動作等、ユーザにより指示された種類のジョブ処理を印刷装置に開始させる指示をユーザから受付可能にする為のキーである。ストップキー５０２は、受付けたジョブの処理を印刷装置に中断させる指示をユーザから受付可能にする為のキーである。テンキー５０６は、各種設定の置数の設定をユーザにより実行可能にする為のキーである。クリアキー５０７は、テンキー５０６を介してユーザにより設定された置数等の各種パラメータを解除するためのキーである。リセットキー５０４は、ユーザにより処理対象のジョブに対して設定された各種設定を全て無効にし、かつ、設定値をデフォルト状態に戻す指示をユーザから受付る為のキーである。ユーザモードキー５０５は、ユーザごとのシステム設定画面に移行するためのキーである。
【００８６】
次に、図６は、印刷システム１０００が提供するユーザインタフェースユニットの一例に相当するタッチパネル部（以下、表示部とも呼ぶ）４０１を説明する図である。タッチパネル部４０１はＬＣＤ（Ｌｉｑｕｉｄ  Ｃｒｙｓｔａｌ  Ｄｉｓｐｌａｙ：液晶表示部）とその上に貼られた透明電極からなるタッチパネルディスプレイを有す。タッチパネル部４０１は、操作者からの各種設定を受付ける機能と操作者に情報を提示する機能を兼ね備える。例えば、ＬＣＤ上の有効表示状態の表示キーに該当する個所がユーザにより押下されたのを検知すると、コントローラ２０５は、ＲＯＭ２０７に予め記憶された表示制御プログラムに従い、タッチパネル部４０１にキー操作に応じた操作画面を表示可能に制御する。なお、図６は、印刷装置の状態がスタンバイモード時（印刷装置により処理すべきジョブが無い状態）にタッチパネル部４０１に表示させる初期画面の一例である。
【００８７】
図６に示すタッチパネル部４０１上のコピータブ６０１がユーザにより押下された場合、コントローラ２０５は、印刷装置が備えるコピー機能の操作画面をタッチパネル部４０１に表示させる。送信タブ６０２がユーザにより押下された場合、コントローラ２０５は、印刷装置が備えるファックスやＥ−ｍａｉｌ送信などデータ送信（Ｓｅｎｄ）機能の操作画面をタッチパネル部４０１に表示させる。ボックスタブ６０３がユーザにより押下された場合、コントローラ２０５は、印刷装置が備えるボックス機能の操作画面をタッチパネル部４０１に表示させる。
【００８８】
なお、ボックス機能とは、ＨＤＤ２０９に仮想的に予め設けているユーザ毎に区別して利用可能な複数個のデータ記憶ボックス（以下、ボックスと呼ぶ）を用いた機能である。機能にて、コントローラ２０５は、例えば、複数のボックスのうちのユーザが所望のボックスをユーザによりユーザインタフェースユニットを介して選択可能にし、所望の操作をユーザから受付可能に制御する。例えば、コントローラ２０５は、操作部２０４を介して入力されたユーザからの指示に応答し、ユーザにより選択されたボックスに対して、印刷装置のスキャナ部２０１から受付けたジョブの文書データを記憶可能にＨＤＤ２０９を制御する。
【００８９】
また、外部Ｉ／Ｆ部２０２を介し受付た外部装置（例えばＰＣ１０３や１０４等）からのジョブの文章データ等も、外部装置のユーザインタフェース部を介して指定された外部装置のユーザ指示に従い、ユーザが指定したボックスに、記憶可能にする。コントローラ２０５は、ボックスに記憶されたジョブのデータを、操作部２０４からのユーザ指示に従い、ユーザが所望の出力形態で、例えば、プリンタ部２０３により印刷させたり、ユーザの所望の外部装置に送信可能に外部Ｉ／Ｆ部２０２を制御したりする。
【００９０】
このよう各種のボックス操作をユーザにより実行可能にすべく、コントローラ２０５は、ボックスタブ６０３のユーザ押下に応答し、タッチパネル部４０１にボックス機能の操作画面を表示可能に制御する。また、コントローラ２０５は、図６のタッチパネル部４０１の拡張タブ６０４がユーザにより押下された場合、スキャナ設定など拡張機能を設定するため画面をタッチパネル部４０１に表示させる。システムモニタキー６１７がユーザ押下された場合、ＭＦＰの状態や状況をユーザに通知する為の表示画面をタッチパネル部４０１に表示させる。
【００９１】
色選択設定キー６０５は、カラーコピー、白黒コピー、あるいは自動選択かを予めユーザにより選択可能にするための表示キーである。倍率設定キー６０８は、等倍、拡大、縮小などの倍率設定をユーザにより実行可能にする設定画面をタッチパネル部４０１に表示させる為のキーである。
【００９２】
両面キー６１４がユーザにより押下された場合、コントローラ２０５は、印刷対象となるジョブのプリント処理にて片面印刷か両面印刷のどちらを実行させるかをユーザにより設定可能にする画面をタッチパネル部４０１に表示させる。また、用紙選択キー６１５のユーザ押下に応答し、コントローラ２０５は、印刷対象のジョブの印刷処理に要する給紙部やシートサイズやシートタイプ（メディアタイプ）をユーザにより設定可能にする画面をタッチパネル部４０１に表示させる。キー６１２のユーザ押下に応答し、コントローラ２０５は、文字モードや写真モードなど原稿画像に適した画像処理モードをユーザにより選択可能にする為の画面をタッチパネル部４０１に表示させる。また、濃度設定キー６１１をユーザ操作することで、印刷対象となるジョブの出力画像の濃淡を調整可能にする。
【００９３】
また、コントローラ２０５は、タッチパネル部４０１のステータス表示欄６０６に、スタンバイ状態、ウォームアップ中、プリント中、ジャム、エラー等、印刷装置にて現在発生中のイベントの動作状態をユーザに確認させる為の表示を実行させる。また、コントローラ２０５は、処理対象となるジョブの印刷倍率をユーザに確認させる為の情報を、表示欄６０７に、表示させる。また、処理対象となるジョブのシートサイズや給紙モードをユーザに確認させる為の情報を、表示欄６１６に、表示させる。また、処理対象となるジョブの印刷部数をユーザに確認させる為の情報や、プリント動作中にて何枚目を印刷中かをユーザに確認させる為の情報を、表示欄６１０に、表示させる。このように、コントローラ２０５は、ユーザに通知すべき各種情報をタッチパネル部４０１に表示させる。
【００９４】
更に、コントローラ２０５は、割り込みキー６１３がユーザにより押下された場合、印刷装置により印刷中のジョブの印刷を停止させ、ユーザのジョブの印刷を実行可能にする。応用モードキー６１８が押下された場合、ページ連写、表紙・合紙設定、縮小レイアウト、画像移動など様々な画像処理やレイアウトなどの設定を行う画面をタッチパネル部４０１に表示させる。
【００９５】
ここで、本実施形態の更なる着目点の１例について述べておく。
【００９６】
コントローラ２０５は、処理対象となるジョブの為の設定として、印刷システム１０００が備えるインラインタイプのシート処理装置２００が備えるシート処理部によるシート処理の実行要求をユーザから受付可能にする為の表示をＵＩ部により実行させる。この表示をＵＩ部に実行させる為の指示自体をユーザから受付可能にする表示もＵＩ部により実行させる。
【００９７】
この１例として、例えば、コントローラ２０５は、タッチパネル部４０１に図６のシート処理設定キー６０９を表示させる。このシート処理設定キー６０９がユーザ押下されたとする。この場合、コントローラ２０５は、印刷システム１０００が備えるインラインタイプのシート処理装置を用いて実行可能なシート処理の選択候補の中からユーザが所望のシート処理をユーザ自身により特定可能にする表示を、タッチパネル部４０１に、実行させる。なお、この図７の表示に例示する「シート処理設定キー６０９」のことを、図１９以降で例示では、「フィニッシングキー」とも呼ぶ。即ち、同じ機能ボタンを意味する。ゆえに、後述する説明では、「シート処理」のことを「フィニッシィング」とも呼ぶ。また、「パンチ処理」に関しても、ＰＯＤ環境では、様々なパンチ処理（印刷済みのシートに対する穿孔処理）を行うニーズが想定される。
【００９８】
そこで、図１９以降の例示では、複数種類のパンチ処理に該当する、「２穴パンチ（シートの綴じ辺に該当するシート端部に２箇所穴をあける処理）「多穴パンチ（シートの端部に３０穴等の多数の穴をあける処理）」を例示している。これらの処理は、上記構成に対応すべく、図８Ａ〜図１０Ｂに示す中綴じ製本機が備えるパンチユニットにより実行可能にするものとする。換言すると、これ以外の装置やユニットを用いて、これらのパンチ処理を実行可能に構成しても良い。ただし、上記例示の如く、インラインフィニッシャの定義に該当する装置を印刷システム１０００にて利用を許可し、これに当しない装置は印刷システム１０００での利用を禁ずるよう構成する。
【００９９】
例えば、本実施形態では、シート処理設定キー６０９がユーザにより押下された事に応答し、タッチパネル部４０１に図７の表示を実行させる。コントローラ２０５は、図７の表示を介して、処理対象のジョブにて印刷されたシートに対してシート処理装置２００により実行すべきシート処理の実行要求を受付可能に制御する。
【０１００】
ただし、コントローラ２０５は、図７の表示を介して選択可能なシート処理装置の候補は、印刷システム１０００が如何なるシート処理装置を備えるのか、その装備状況に応じて、決定する。例えば、図７の表示では、プリンタ部２０３により印刷されたシートに対して以下に列挙する複数種類のシート処理のうちの何れかの種類のシート処理の実行要求をユーザから受付けることを許可している。
（１）  ステイプル処理
（２）  パンチ処理
（３）  折り処理
（４）  シフト排紙処理
（５）  断裁処理
（６）  中綴じ製本処理
（７）  糊付け製本処理の１例に該当するくるみ製本処理
（８）  糊付け製本処理の別例に該当する天糊製本処理
（９）  大量積載処理
【０１０１】
図７のＵＩ制御例では、コントローラ２０５は、これら９種類のシート処理を選択候補となるよう操作部２０４を制御している。この理由は、印刷システム１０００が備えるインラインタイプのシート処理装置を利用することで、これら９種類のシート処理を選択的に実行可能であるからである。
【０１０２】
換言すると、印刷システム１０００にて実行不可能な種類に該当するシート処理は、図７の表示にて選択候補の対象外となるよう、ＵＩ部を制御する。例えば、くるみ製本処理及び天糊製本処理を選択的に実行可能な１台のシート処理装置を印刷システム１０００が具備していない場合、或いは、故障している場合等は、キー７０７及びキー７０８は選択無効状態となるよう制御する。例えば、コントローラ２０５は、グレーアウト表示な網掛け表示を実行させる。これにより、シート処理の実行要求をユーザから受付けないように制御する。更に、換言すると、上記９種類の候補以外の異なるシート処理を実行可能なシート処理装置を印刷システム１０００が具備している場合は、そのシート処理の実行要求をユーザから受付可能にする為の表示キーを、図７の表示にて、有効表示状態にするよう制御する。これにより、シート処理の実行要求をユーザから受付ける事を許可する。このような表示制御も、本実施形態にて、後述するジョブ処理制御と共に実行可能に構成することで、ユーザの誤操作を防止可能にしている。
【０１０３】
また、このような制御を実行するうえで、コントローラ２０５は、如何なるシート処理装置が、シート処理装置２００として、印刷システム１０００が具備しているかを特定するシステム構成情報を獲得する。また、シート処理装置２００にてエラーが発生しているか否か等を特定するステータス情報等も、上記制御の際に利用する。これらの情報を、コントローラ２０５は、例えば、ＵＩ部を介してユーザがマニュアル入力する事で獲得するか、シート処理装置２００が印刷装置１００が接続された際に、装置自身が信号線を介して出力する信号に基いて自動獲得する。このような構成を前提とし、コントローラ２０５は、獲得した情報に基いた表示内容でもって、図７の表示を、タッチパネル部４０１に実行させる。
【０１０４】
なお、印刷システム１０００は、ＰＣ１０３、１０４等の外部装置からも処理対象となるジョブの印刷実行要求、及び、ジョブにて要するシート処理の実行要求を受付可能に構成している。このように外部装置からジョブを投入する場合は、印刷データの送信元となる外部装置の表示部に図７の表示と同等機能の表示を実行させるよう制御する。この１例として、本実施形態では、後述するような、プリンタドライバの設定画面を、ＰＣ１０３や１０４のコンピュータの表示部に表示させている。ただし、このように外部装置のＵＩに表示を実行させる場合には、装置の制御部が上記制御を実行する。例えば、ＰＣ１０３やＰＣ１０４の表示部に後述するプリンタドライバＵＩ画面を表示させる場合には、制御の主体は、ＰＣのＣＰＵが実行する。
【０１０５】
［本実施形態にて制御対象となる印刷システム１０００の具体的システム構成例］
印刷システム１０００が、印刷装置１００に対して、如何様なシート処理を実行可能な如何様なインラインタイプのシート処理装置を、如何様に、何台、接続できるのか等のシステム構成に関し、図８Ａ、８Ｂ等を用いて説明する。
【０１０６】
本実施形態は、図１〜図３に示す印刷システム１０００として、例えば、図８Ａ、８Ｂのようなシステム構成となっている。
【０１０７】
図８Ａでは、印刷システム１０００が、大容量スタッカ、糊付け製本機、中綴じ製本機、合計３台のインラインタイプのシート処理装置を、一連のシート処理装置２００として、具備している。図８Ａは、印刷システム１０００が備える印刷装置１００に対して、大容量スタッカ、糊付け製本機、中綴じ製本機という、接続順序で、接続されている事を意味する。印刷システム１０００が備える制御部の１例に該当するコントローラ２０５は、図８Ａ、８Ｂのようなシステム構成からなる印刷システム１０００を統括的に制御する。
【０１０８】
本実施形態にて、大容量スタッカは、プリンタ部２０３からのシートを、大量枚数（例えば、５０００枚）、積載可能なシート処理装置である。
【０１０９】
また、本実施形態の糊付け製本機は、プリンタ部２０３で印刷された１束分のシートを表紙をつけて製本するにあたりシートの糊付け処理を要するくるみ製本処理を実行可能なシート処理装置である。また、表紙をつけずに糊付け製本するシート処理に該当する天糊製本処理も糊付け製本機により実行可能である。糊付け製本機は、少なくとも、くるみ製本処理を実行可能なシート処理装置であるがゆえに、くるみ製本機とも呼ぶ。
【０１１０】
また、中綴じ製本機は、プリンタ部２０３からのシートに対して、ステイプル処理、パンチ処理、断裁処理、シフト排紙、中綴じ製本処理、折り処理、を、選択的に実行可能なシート処理装置である。
【０１１１】
本実施形態では、コントローラ２０５が、これらのシート処理装置に関わる各種のシステム構成情報を、各種制御に要する管理情報として、特定のメモリに登録させる。例えば、コントローラ２０５は、印刷システム１０００が図８Ａのようなシステム構成である場合、以下に列挙する情報を、ＨＤＤ２０９に登録させておく。
【０１１２】
（情報１）  印刷システム１０００はインラインタイプのシート処理装置を具備している事をコントローラ２０５により確認可能にする為の装置有無情報。このように、印刷システム１０００がインラインタイプのシート処理装置を具備しているか否かを制御部により特定可能にする情報がこれに該当する。
【０１１３】
（情報２）  印刷システム１０００は、インラインタイプのシート処理装置２００を３台具備している事をコントローラ２０５により確認可能にする為のインラインシート処理装置の台数情報。このように、印刷システム１０００が備えるインラインタイプのシート処理装置の台数を制御部により特定可能にする情報がこれに該当する。
【０１１４】
（情報３）  大容量スタッカ、糊付け製本機、中綴じ製本機を、印刷システム１０００が具備している事をコントローラ２０５により特定可能にするインラインシート処理装置の種類情報。このように、印刷システム１０００にて備えるインラインシート処理装置の種類を制御部により確認可能にする情報がこれに該当する。
【０１１５】
（情報４）  上記３台のうち、１台は、プリンタ部２０３からのシートの積載処理を実行可能な大容量スタッカである事をコントローラ２０５により確認可能にする情報。うち１台は、プリンタ部２０３からのシートの糊付け製本処理（くるみ製本処理、及び／又は、天糊製本処理）を実行可能な糊付け製本装置ある事をコントローラ２０５により確認可能にする装置能力情報。うち１台は、プリンタ部２０３からのシートに対して、ステイプル、パンチ、断裁、シフト排紙、中綴じ製本処理、折り処理、が、選択的に実行可能な中綴じ製本装置である事をコントローラ２０５により確認可能にする情報。換言すると、印刷システムにて実行可能なシート処理は、ステイプル、パンチ、断裁、シフト排紙、中綴じ製本、折り、くるみ製本、天糊製本、大量積載の、合計９種類である事をコントローラ２０５により特定可能にする為の情報。このように、印刷システム１０００のインラインタイプのシート処理装置にて実行可能なシート処理の能力情報を制御部により確認可能にする為の情報が、これに該当する。
【０１１６】
（情報５）  上記３台のシート処理装置は、印刷装置１００に対して、大容量スタッカ、糊付け製本機、中綴じ製本機、の順序で、カスケード接続されている事をコントローラ２０５により確認可能にする為の情報。このように、複数台のインラインフィニッシャが接続されている場合に、これらシート処理装置の印刷システムにおける接続順序情報が、これに該当する。
【０１１７】
以上の（情報１）〜（情報５）で示すが如くの、各種情報を、コントローラ２０５が各種制御にて要するシステム構成情報として、ＨＤＤ２０９に登録する。かつ、コントローラ２０５は、この情報を後述するジョブ制御にて要する判断材料情報として、利用する。
【０１１８】
以上の構成を前提とし、例えば、印刷システム１０００のシステム構成状況が、図８Ａのようなシステム構成であるとする。このシステム構成にてコントローラ２０５が、どのような制御を実行するか、以下に例示する。
【０１１９】
例えば、印刷システム１０００が図８Ａ、８Ｂのシステム構成である場合、上記９種類のシート処理を印刷システムにて全て実行可能である。この事実は、コントローラ２０５が、上記（情報１）〜（情報５）の判断材料に基いて、認識する。かつ、認識結果に基いて、コントローラ２０５が、図７の表示に示す合計９種類のシート処理を全て選択候補にするようＵＩ部を制御する。かつ、コントローラ２０５は以下のようなユーザ操作に応答した制御を実行する。
【０１２０】
例えば、コントローラ２０５がＵＩ部に実行させた図７の表示におけるキー７０１のユーザ押下により、ＵＩ部を介して処理対象ジョブの為にステイプル処理の実行要求をユーザから受付けたとする。この場合、コントローラ２０５は、要求に応答し、ジョブにて印刷処理がなされたシートに対するステイプル処理を、図８Ａのシート処理装置２００ｃに該当する中綴じ製本装置により実行させる。
【０１２１】
一方、例えば、コントローラ２０５がＵＩ部に実行させた図７の表示におけるキー７０２のユーザ押下により、ＵＩ部を介して処理対象ジョブの為にパンチ処理（シートの穴あけ処理）の実行要求をユーザから受付けたとする。この場合、コントローラ２０５は、要求に応答し、ジョブにて印刷処理がなされたシートに対するパンチ処理を、図８Ａのシート処理装置２００ｃに該当する中綴じ製本装置により実行させる。
【０１２２】
一方、例えば、コントローラ２０５がＵＩ部に実行させた図７の表示におけるキー７０３のユーザ押下により、ＵＩ部を介して処理対象ジョブの為に断裁処理の実行要求をユーザから受付けたとする。この場合、コントローラ２０５は、要求に応答し、ジョブにて印刷処理がなされたシートの断裁処理を、図８Ａのシート処理装置２００ｃに該当する中綴じ製本装置により実行させる。
【０１２３】
一方、例えば、コントローラ２０５がＵＩ部に実行させた図７の表示におけるキー７０４のユーザ押下により、ＵＩ部を介して処理対象ジョブの為に断裁処理の実行要求をユーザから受付けたとする。この場合、コントローラ２０５は、要求に応答し、ジョブにて印刷処理がなされたシートの断裁処理を、図８Ａのシート処理装置２００ｃに該当する中綴じ製本装置により実行させる。
【０１２４】
一方、例えば、コントローラ２０５がＵＩ部に実行させた図７の表示におけるキー７０５のユーザ押下により、ＵＩ部を介して処理対象ジョブの為に中綴じ製本処理の実行要求をユーザから受付けたとする。この場合、コントローラ２０５は、要求に応答し、ジョブにて印刷処理がなされたシートの中綴じ製本処理を、図８Ａのシート処理装置２００ｃに該当する中綴じ製本装置により実行させる。
【０１２５】
一方、例えば、コントローラ２０５がＵＩ部に実行させた図７の表示におけるキー７０６のユーザ押下により、ＵＩ部を介して処理対象ジョブの為に折り処理の実行要求をユーザから受付けたとする。この場合、コントローラ２０５は、要求に応答し、ジョブにて印刷処理がなされたシートの折り処理（例えば、Ｚ折りと呼ばれるシート処理）を、図８Ａのシート処理装置２００ｃに該当する中綴じ製本装置により実行させる。
【０１２６】
一方、例えば、コントローラ２０５がＵＩ部に実行させた図７の表示におけるキー７０７のユーザ押下により、ＵＩ部を介して処理対象ジョブの為にくるみ製本処理の実行要求をユーザから受付けたとする。この場合、コントローラ２０５は、要求に応答し、ジョブにて印刷処理がなされたシートのくるみ製本処理を、図８Ａのシート処理装置２００ｂに該当する糊付け製本機により実行させる。
【０１２７】
一方、例えば、コントローラ２０５がＵＩ部に実行させた図７の表示におけるキー７０８のユーザ押下により、ＵＩ部を介して処理対象ジョブの為に天糊製本処理の実行要求をユーザから受付けたとする。この場合、コントローラ２０５は、要求に応答し、ジョブにて印刷処理がなされたシートの天糊製本処理を、図８Ａのシート処理装置２００ｂに該当する糊付け製本機により実行させる。
【０１２８】
一方、例えば、コントローラ２０５がＵＩ部に実行させた図７の表示におけるキー７０９のユーザ押下により、ＵＩ部を介して処理対象ジョブの為に大量積載処理の実行要求をユーザから受付けたとする。この場合、コントローラ２０５は、要求に応答し、ジョブにて印刷処理がなされたシートの大量積載処理を、図８Ａのシート処理装置２００ａに該当する大容量スタッカにより実行させる。
【０１２９】
以上の如く、コントローラ２０５は、印刷システム１０００が備えるシート処理装置にて実行可能な種類のシート処理に対応する選択候補の中からユーザが所望の種類のシート処理の実行要求を、ＵＩ部を介して、印刷実行要求と共に、受付可能に制御する。かつ、本実施形態で提供するＵＩ部を介して処理対象となるジョブの印刷実行要求をユーザから受付け事に応答し、ジョブにて要する印刷処理をプリンタ部２０３により実行させる。かつ、そのプリント処理がなされたジョブのシートに対してジョブにて要するシート処理を印刷システム１０００のシート処理装置により実行させる。
【０１３０】
なおかつ、本実施形態の特徴点の１例として、コントローラ２０５は、以下のような制御も印刷システム１０００にて実行する。
【０１３１】
例えば、印刷システム１０００が図８Ａのようなシステム構成であるとする。換言すると、印刷システム１０００が、印刷装置１００→大容量スタッカ→糊付け製本機→中綴じ製本機の順で接続されているとする。この場合のシステム構成内部の状況は、図８Ｂに示すような構成になる。
【０１３２】
図８Ｂは、印刷システム１０００の構成が図８Ａのシステム構成の場合における印刷システム１０００全体の装置断面図を示している。かつ、図８Ｂの装置構成は、図８Ａの装置構成に対応している。
【０１３３】
図８Ｂでは、印刷システム１０００全体の装置断面図を示している。かつ、図８Ｂの装置構成は、図８Ａの装置構成に対応している。
【０１３４】
図８Ｂの装置内部構成からも明らかなように、印刷装置１００のプリンタ部２０３で印刷されたシートは、各シート処理装置の内部へと供給可能に構成されている。具体的には、図８Ｂに示すが如く、各シート処理装置は、装置内部におけるＡ点、Ｂ点、Ｃ点を介して、シートを搬送可能な、シート搬送路を、夫々、備える構成である。
【０１３５】
かつ、図８Ｂのシート処理装置２００ａや２００ｂ等、各インラインタイプのシート処理装置は、自装置にて実行可能なシート処理が処理対象となるジョブにて必要でなくても、自装置よりも前に接続されている前段の装置からシートを受取る機能を備える。かつ、前段装置から受取ったシートを、自装置よりも後ろ接続されている後段の装置へと渡す機能を備える。
【０１３６】
このように、本実施形態の印刷システム１０００は、処理対象のジョブにて要するシート処理とは異なるシート処理を実行するシート処理装置が前段の装置から後段の装置へと処理対象となるジョブのシートを搬送する機能を備える。この構成も、本実施形態の特徴点の１例である。
【０１３７】
以上のシステム構成を前提とし、例えば、印刷システム１０００が図８Ａ、８Ｂに示すシステム構成である場合、上記のような方法でＵＩ部を介して印刷実行要求がユーザからなされたジョブに対して、コントローラ２０５は、以下に例示する制御を実行する。
【０１３８】
例えば、図８Ａ、８Ｂのシステム構成にてユーザから印刷実行要求を受付けた処理対象のジョブが、印刷処理を経て大容量スタッカによるシート処理（ｅｘ積載処理）を要するジョブであるとする。ここでは、このジョブを「スタッカジョブ」と呼ぶ。
【０１３９】
このスタッカジョブを、図８Ａ、８Ｂのシステム構成にて処理する場合、コントローラ２０５は、印刷装置１００で印刷がなされたジョブのシートを、図８ＢのＡ点を通過させて、大容量スタッカによるシート処理を実行させる。かつ、この大容量スタッカによるシート処理（ｅｘ積載処理）がなされたスタッカジョブの印刷結果を、他装置（例えば後段の装置）へ搬送させずに、そのまま、図８Ｂに示す大容量スタッカ内部の排紙先Ｘにて、保持させる。
【０１４０】
この図８Ｂの排紙先Ｘにホールドされたスタッカジョブの印刷物は、この排紙先Ｘの個所から直接、オペレータにより取出可能に構成している。換言すると、わざわざ、図８Ｂのシート搬送方向最下流の排紙先Ｚにシートを搬送して、個所からスタッカジョブの印刷物を取出すといった、一連の装置動作やオペレータ操作を、不要に構成する。
【０１４１】
以上の、印刷システム１０００が図８Ａ、８Ｂのシステム構成である場合にてコントローラ２０５により実行する一連の制御が、図８Ｂの（ケース１）の制御例に該当する。
【０１４２】
一方、例えば、図８Ａ、８Ｂのシステム構成にてユーザから印刷実行要求を受付けた処理対象のジョブが、印刷処理を経て糊付け製本機によるシート処理（ｅｘくるみ製本処理、又は、天糊製本処理）を要するジョブであるとする。ここではこのジョブを「糊付け製本ジョブ」と呼ぶ。
【０１４３】
この糊付け製本ジョブを、図８Ａ、８Ｂのシステム構成に処理する場合、コントローラ２０５は、印刷装置１００で印刷がなされたジョブのシートを、図８ＢのＡ点及びＢ点を通過させて、糊付け製本機によるシート処理を実行させる。かつ、この糊付け製本機によるシート処理（ｅｘくるみ製本処理、又は、天糊製本処理）がなされた糊付け製本ジョブの印刷結果を、他装置（例えば後段の装置）へ搬送させずに、そのまま、図８Ｂに示す糊付け製本装置内部の排紙先Ｙにて、保持させる。
【０１４４】
この図８Ｂの排紙先Ｙにホールドされた糊付け製本ジョブの印刷物は、この排紙先Ｙの個所から直接、オペレータにより取出可能に構成している。換言すると、わざわざ、図８Ｂのシート搬送方向最下流の排紙先Ｚにシートを搬送して、個所から糊付け製本ジョブの印刷物を取出すといった、一連の装置動作やオペレータ操作を、不要に構成する。
【０１４５】
以上の、印刷システム１０００が図８Ａ、８Ｂのシステム構成である場合にてコントローラ２０５により実行する一連の制御が、図８Ｂの（ケース２）の制御例に該当する。
【０１４６】
例えば、図８Ａ、８Ｂのシステム構成にてユーザから印刷実行要求を受付けた処理対象のジョブが、印刷処理を経て中綴じ製本処理によるシート処理を要するジョブである場合、そのジョブを「中綴じ製本ジョブ」と呼ぶ。シート処理としては、例えば、中綴じ製本、又は、パンチ処理、又は、断裁処理、又は、シフト排紙処理、又は、折り処理が挙げられる。
【０１４７】
この中綴じ製本ジョブを、図８Ａ、８Ｂのシステム構成に処理する場合、コントローラ２０５は、印刷装置１００で印刷がなされたジョブのシートを、図８ＢのＡ点及びＢ点及びＣ点を通過させて、中綴じ製本機によるシート処理を実行させる。かつ、この中綴じ製本機による上記シート処理がなされた中綴じ製本ジョブの印刷結果を、他装置へ搬送させずに、そのまま、図８Ｂに示す中綴じ製本装置の排紙先Ｚにて、保持させる。
【０１４８】
なお、図８Ｂの排紙先Ｚは複数の排紙先候補がある。これは、後述の図１３の説明のように、本実施形態の中綴じ製本機は、複数種類のシート処理を実行可能であり、各シート処理毎に排紙先を異ならせる構成である事に起因する。
【０１４９】
以上の、印刷システム１０００が図８Ａ、８Ｂのシステム構成である場合にてコントローラ２０５により実行する一連の制御が、図８Ｂの（ケース３）の制御例に該当する。
【０１５０】
以上の如く、本実施形態の制御部の一例に該当するコントローラ２０５は、ＨＤＤ２０９に記憶された印刷システム１０００のシステム構成情報に基いたペーパハンドリング制御も、実行する。
【０１５１】
なお、このシステム構成情報に該当する情報は、インラインフィニッシャを具備しているか否かの情報、インラインフィニッシャを具備している場合の、その装置の台数の情報、その装置の能力情報である。また、複数台のインラインフィニッシャを備える場合には、それらの接続順序情報も、これに該当する。
【０１５２】
図１〜図３、図８Ａ、８Ｂ等で説明したように、本実施形態の印刷システム１０００は、印刷装置１００に対して、複数台のインラインタイプのシート処理装置を接続可能に構成している。かつ、図８Ａ、８Ｂ及び後述する図９Ａ、９Ｂや図１０Ａ、１０Ｂを対比参照しても明白なように、これら複数台のインラインタイプのシート処理装置は、それぞれ独立に接続したり、外したり、自由な組合せで、印刷装置１００に対して、取付可能に構成している。また、これら複数台のインラインタイプのシート処理装置の接続順序も、物理的に接続できれば、自由に組み合わせることができる。ただし、本実施形態では、これらのシステムに構成に関し、制約事項も設けている。
【０１５３】
例えば、印刷システム１０００にてインラインタイプのシート処理装置として利用を許可する装置は、以下の構成要件を備える装置としている。
【０１５４】
自装置にて実行可能なシート処理を要するジョブのシートに対するシート処理を自装置自身で実行可能であり、かつ、自装置自身によるシート処理を要さないジョブのシートを前段の装置から受け取り後段装置へ渡すシート搬送機能を備えるシート処理装置。例えば、本実施形態では、図８Ａ、８Ｂや後述する図９Ａ、９Ｂのシステム構成で示す、大容量スタッカ及び糊付け製本機が、これに該当する。
【０１５５】
なおかつ、本実施形態では、上記構成に当しないシート処理装置も、インラインタイプのシート処理装置として印刷システム１０００にて利用を許可している。例えば、以下の要件を満たす装置がこれに該当する。
【０１５６】
自装置にて実行可能なシート処理を要するジョブのシートに対するシート処理を自装置自身で実行可能である反面、自装置によるシート処理を要さないジョブのシートを前段の装置から受け取り後段の装置へ渡すシート搬送機能を具備しないシート処理装置。例えば、本実施形態では、図８Ａ、８Ｂや後述する図９Ａ、９Ｂや図１０Ａ、１０Ｂのシステム構成で示す、中綴じ製本機が、これに該当する。ただし、このような装置に対しては制約事項を設けている。
【０１５７】
例えば、上記の如く、後段装置へのシート搬送機能が無い構成のインラインフィニッシャ（例えば図８Ａ、８Ｂの中綴じ製本機）を印刷システム１０００にて利用する場合には、この装置の利用台数を１台のみとする。ただし、これ以外のタイプのインラインフィニッシャを同時に利用することは許可する。
【０１５８】
例えば、図８Ａ、８Ｂや後述する図９Ａ、９Ｂのシステム構成で示すが如く、大容量スタッカや糊付け製本機を、中綴じ製本機と併用して利用することは許可する。ただし、このように、複数台のシート処理装置をカスケード接続して利用する場合、上記後段装置へのシート搬送機能を具備しないインラインタイプのシート処理装置は、シート搬送方向最下流に位置するように設置させる。
【０１５９】
例えば、図８Ａ、８Ｂや後述する図９Ａ、９Ｂのシステム構成で示すが如く、中綴じ製本機は、印刷システム１０００にて１番最後に接続するように構成する。換言すると、図８Ａ、８Ｂや後述する図９Ａ、９Ｂのシステム構成とは異なるシステム構成として、大容量スタッカと糊付け製本機との間に上記中綴じ製本機を接続するように印刷システムにて構成する事は禁止する。
【０１６０】
以上のような制約事項を遵守した範囲内での運用を行うよう印刷システムが備える制御部は印刷システム１０００を統括的に制御する。
【０１６１】
この１例として、例えば、コントローラ２０５は、上記制約に違反するような接続順序でインラインタイプのシート処理装置が接続された場合には、ＵＩ部に警告表示を実行させる。また、例えば、上述した構成が如く、複数台のシート処理装置の接続順番をＵＩ部を介してユーザ自身により入力させる構成の場合に、コントローラ２０５は、上記制約に違反するようなユーザ設定は無効にするよう制御する。例えば、不適正な接続の設定を阻止するべくグレーアウト表示や網掛け表示を実行させる。
【０１６２】
以上のような構成を採用することで、本実施形態のような構成を採用する場合にて、ユーザ誤操作や装置誤動作等の発生を未然防止できる。即ち、本実施形態で述べている効果が更に向上する。
【０１６３】
このような構成を前提とし、本実施形態では、上記制約事項を遵守する範囲内において、印刷システム１０００のシステム構成を柔軟に構築可能に構成する。
【０１６４】
例えば、インラインタイプのシート処理装置の接続順序や接続台数を、上記制約事項を遵守した範囲内で、ＰＯＤ印刷システム１００００のオペレータにより任意に決定変更可能に構成する。かつ、印刷システム１０００は、システム構成状況に応じた制御を実行する。この一例を以下に示す。
【０１６５】
例えば、図８Ａのシステム構成における複数台のインラインタイプのシート処理装置の接続順序を変更したシステム構成の１例として、図９Ａのようなシステム構成も構築可能に印刷システム１０００を構成している。
【０１６６】
図９Ａのシステム構成は、図８Ａのシステム構成と比較して、印刷システム１０００が備える複数台のインラインシート処理装置の接続順序が異なる。具体的には、印刷システム１０００が、印刷装置１００→糊付け製本機→大容量スタッカ→中綴じ製本機の順で接続されている。この場合のシステム構成内部の状況は、図９Ｂに示すような構成になる。
【０１６７】
図９Ｂは、印刷システム１０００の構成が図９Ａのシステム構成の場合における印刷システム１０００全体の装置断面図を示す。かつ、図９Ｂのシステム構成は、図９Ａのシステム構成の内部構成に対応している。
【０１６８】
図９Ｂのシステム内部構成も、先のシステム構成例と同様に、印刷装置１００のプリンタ部２０３で印刷されたシートを、各シート処理装置内部へ供給可能に構成されている。具体的には、図９Ｂに示すが如く、装置内部におけるＡ点、Ｂ点、Ｃ点を介して、プリンタ部２０３からのシートを搬送可能なシート搬送路を備える。
【０１６９】
しかも、図９Ａ、９Ｂのシステム構成も、上記制限事項を遵守したシステム構成となっている。例えば、上述したように、中綴じ製本機は、シート搬送方向最下流になるよう、各シート処理装置を印刷装置１００にカスケード接続している。
【０１７０】
以上の構成を前提とし、例えば、印刷システム１０００の構成が、図９Ａ、９Ｂに示す構成である場合、上記のような方法でＵＩ部を介して印刷実行要求がユーザからなされたジョブに対して、コントローラ２０５は、以下に例示する制御を実行する。
【０１７１】
例えば、図９Ａ、９Ｂのシステム構成にてユーザから印刷実行要求を受付けた処理対象のジョブが、印刷処理を経て大容量スタッカによるシート処理（ｅｘ積載処理）を要するジョブであるとする。ここでは、このジョブを「スタッカジョブ」と呼ぶ。
【０１７２】
このスタッカジョブを、図９Ａ、９Ｂのシステム構成にて処理する場合、コントローラ２０５は、印刷装置１００で印刷がなされたジョブのシートを、図９ＢのＡ点及びＢ点を通過させて、大容量スタッカによるシート処理を実行させる。かつ、この大容量スタッカによるシート処理（ｅｘ積載処理）がなされたスタッカジョブの印刷結果を、他装置（例えば後段の装置）へ搬送させずに、そのまま、図９Ｂに示す大容量スタッカ内部の排紙先Ｙにて、保持させる。
【０１７３】
この図９Ｂの排紙先Ｙにホールドされたスタッカジョブの印刷物は、この排紙先Ｙの個所から直接、オペレータにより取出可能に構成している。換言すると、わざわざ、図９Ｂのシート搬送方向最下流の排紙先Ｚにシートを搬送して、個所からスタッカジョブの印刷物を取出すといった、一連の装置動作やオペレータ操作を、不要に構成する。
【０１７４】
以上の、印刷システム１０００が図９のシステム構成である場合にてコントローラ２０５により実行する一連の制御が、図９Ｂの（ケース１）の制御例に該当する。
【０１７５】
一方、例えば、図９Ａ、９Ｂのシステム構成にてユーザから印刷実行要求を受付けた処理対象のジョブが、印刷処理を経て糊付け製本機によるシート処理（例えば、くるみ製本処理、又は、天糊製本処理）を要するジョブであるとする。ここではこのジョブを「糊付け製本ジョブ」と呼ぶ。
【０１７６】
この糊付け製本ジョブを、図９Ａ、９Ｂのシステム構成に処理する場合、コントローラ２０５は、印刷装置１００で印刷がなされたジョブのシートを、図９ＢのＡ点を通過させて、糊付け製本機によるシート処理を実行させる。かつ、この糊付け製本機によるシート処理（ｅｘくるみ製本処理、又は、天糊製本処理）がなされた糊付け製本ジョブの印刷結果を、他装置（例えば後段の装置）へ搬送させずに、そのまま、図９Ｂに示す糊付け製本装置内部の排紙先Ｘにて、保持させる。
【０１７７】
この図９Ｂの排紙先Ｘにホールドされた糊付け製本ジョブの印刷物は、この排紙先Ｘの個所から直接、オペレータにより取出可能に構成している。換言すると、わざわざ、図９Ｂのシート搬送方向最下流の排紙先Ｚにシートを搬送して、個所から糊付け製本ジョブの印刷物を取出すといった、一連の装置動作やオペレータ操作を、不要に構成する。
【０１７８】
以上の、印刷システム１０００が図９Ａ、９Ｂのシステム構成である場合にてコントローラ２０５により実行する一連の制御が、図９Ｂの（ケース２）の制御例に該当する。
【０１７９】
例えば、図９Ａ、９Ｂのシステム構成にてユーザから印刷実行要求を受付けた処理対象のジョブが、印刷処理を経て中綴じ製本処理によるシート処理を要するジョブである場合、そのジョブを「中綴じ製本ジョブ」と呼ぶ。シート処理としては、例えば、中綴じ製本、又は、パンチ処理、又は、断裁処理、又は、シフト排紙処理、又は、折り処理が挙げられる。
【０１８０】
この中綴じ製本ジョブを、図９Ａ、９Ｂのシステム構成に処理する場合、コントローラ２０５は、印刷装置１００で印刷がなされたジョブのシートを、図９ＢのＡ点及びＢ点及びＣ点を通過させて、中綴じ製本機によるシート処理を実行させる。かつ、この中綴じ製本機による上記シート処理がなされた中綴じ製本ジョブの印刷結果を、他装置へ搬送させずに、そのまま、図９Ｂに示す中綴じ製本装置の排紙先Ｚにて、保持させる。
【０１８１】
なお、図９Ｂの排紙先Ｚは複数の排紙先候補がある。これは、後述の図１３の説明のように、本実施形態の中綴じ製本機は、複数種類のシート処理を実行可能であり、各シート処理毎に排紙先を異ならせる構成である事に起因する。
【０１８２】
以上の、印刷システム１０００が図９Ａ、９Ｂのシステム構成である場合にてコントローラ２０５により実行する一連の制御が、図９Ｂの（ケース３）の制御例に該当する。
【０１８３】
以上の図８Ａ、８Ｂ、図９Ａ、９Ｂに例示した如く、印刷システム１０００は、インラインシート処理装置として利用を許可する複数台のシート処理装置の接続順序を、上記制約事項の範囲内で、柔軟に、組換え変更可能に構成している。このように、本実施形態で上述する効果を最大限に発揮する為の仕組みを多数盛り込んでいる。
【０１８４】
この観点で、本実施形態では、図８Ａ、８Ｂや図９Ａ、９Ｂのようなシステム構成以外の構成も、印刷システム１０００にて、適宜、構築可能に構成している。この一例を以下に説明する。
【０１８５】
例えば、図８Ａ、８Ｂや図９Ａ、９Ｂのシステム構成では、インラインタイプのシート処理装置を３台備えるシステム構成を説明した。本実施形態では、インラインタイプのシート処理装置の台数を上記のような制約事項を遵守した範囲内で任意にユーザが決定可能に構成している。
【０１８６】
この１例として、図１０Ａのようなシステム構成も構築可能に印刷システム１０００を構成している。
【０１８７】
図１０Ａのシステム構成は、図８Ａや図９Ａのシステム構成とはシート処理装置の接続台数が異なる。具体的には、印刷システム１０００が、印刷装置１００→大容量スタッカ→中綴じ製本機の順序で、２台接続されている。この場合のシステム構成内部の状況は、図１０Ｂに示すような構成になる。
【０１８８】
図１０Ｂは、印刷システム１０００の構成が図１０Ａのシステム構成の場合における印刷システム１０００全体のシステム構成断面図を示す。かつ、図１０Ｂの装置構成は、図１０Ａの装置構成に対応している。
【０１８９】
図１０Ｂの装置内部構成も、先のシステム構成例と同様に、印刷装置１００のプリンタ部２０３で印刷されたシートを、各シート処理装置内部へ供給可能に構成されている。具体的には、図１０Ｂに示すが如く、装置内部におけるＡ点、Ｂ点、を介して、シートを搬送可能な、シート搬送路を、備える。しかも、上記制限事項を遵守したシステム構成となっている。例えば、上述したように、中綴じ製本機は、シート搬送方向最下流になるよう、各シート処理装置を接続している。
【０１９０】
例えば、印刷システム１０００のシステム構成状況が、図１０Ａ、１０Ｂに示すシステム構成である場合、上記のような方法でＵＩ部を介して印刷実行要求がユーザからなされたジョブに対して、コントローラ２０５は、以下に例示する制御を実行する。
【０１９１】
例えば、図１０Ａ、１０Ｂのシステム構成にてユーザから印刷実行要求を受付けた処理対象のジョブが、印刷処理を経て大容量スタッカによるシート処理（ｅｘ積載処理）を要するジョブであるとする。ここでは、このジョブを「スタッカジョブ」と呼ぶ。
【０１９２】
このスタッカジョブを、図１０Ａ、１０Ｂのシステム構成にて処理する場合、コントローラ２０５は、印刷装置１００で印刷がなされたジョブのシートを、図１０ＢのＡ点を通過させて、大容量スタッカによるシート処理を実行させる。かつ、この大容量スタッカによるシート処理（ｅｘ積載処理）がなされたスタッカジョブの印刷結果を、他装置（例えば後段の装置）へ搬送させずに、そのまま、図１０Ｂに示す大容量スタッカ内部の排紙先Ｘにて、保持させる。
【０１９３】
この図１０Ｂの排紙先Ｘにホールドされたスタッカジョブの印刷物は、この排紙先Ｘの個所から直接、オペレータにより取出可能に構成している。換言すると、わざわざ、図１０Ｂのシート搬送方向最下流の排紙先Ｙにシートを搬送して、個所からスタッカジョブの印刷物を取出すといった、一連の装置動作やオペレータ操作を、不要に構成する。
【０１９４】
以上の、印刷システム１０００が図１０Ａ、１０Ｂのシステム構成である場合にてコントローラ２０５により実行する一連の制御が、図１０Ｂの（ケース１）の制御例に該当する。
【０１９５】
例えば、図１０Ａ、１０Ｂのシステム構成にてユーザから印刷実行要求を受付けた処理対象のジョブが、印刷処理を経て中綴じ製本処理によるシート処理を要するジョブである場合、そのジョブを「中綴じ製本ジョブ」と呼ぶ。シート処理としては、例えば、中綴じ製本、又は、パンチ処理、又は、断裁処理、又は、シフト排紙処理、又は、折り処理が挙げられる。
【０１９６】
この中綴じ製本ジョブを、図１０Ａ、１０Ｂのシステム構成に処理する場合、コントローラ２０５は、印刷装置１００で印刷がなされたジョブのシートを、図１０ＢのＡ点及びＢ点を通過させて、中綴じ製本機によるシート処理を実行させる。かつ、この中綴じ製本機による上記シート処理がなされた中綴じ製本ジョブの印刷結果を、他装置へ搬送させずに、そのまま、図１０Ｂに示す中綴じ製本装置の排紙先Ｙにて、保持させる。
【０１９７】
なお、図１０Ｂの排紙先Ｙは複数の排紙先候補がある。これは、後述の図１３の説明のように、本実施形態の中綴じ製本機は、複数種類のシート処理を実行可能であり、各シート処理毎に排紙先を異ならせる構成である事に起因する。
【０１９８】
以上の、印刷システム１０００が図１０Ａ、１０Ｂのシステム構成である場合にてコントローラ２０５により実行する一連の制御が、図９Ｂの（ケース２）の制御例に該当する。
【０１９９】
ただし、コントローラ２０５は、図１０Ａ、１０Ｂのシステム構成の場合は、糊付け製本機が実行可能なシート処理（ｅｘくるみ製本処理ｏｒ天糊製本処理）の実行要求をユーザから受付ける事を禁止する。
【０２００】
例えば、印刷システムが図１０Ａ、１０Ｂのようなシステム構成状況である場合において、図７の表示をＵＩ部に実行させる際には、キー７０７及びキー７０８の網掛け表示やグレーアウト表示になるよう制御する。換言すると、キー７０７、７０８のユーザ操作を無効状態にする。
【０２０１】
以上の如く、印刷システム１０００が図１０Ａ、１０Ｂのようなシステム構成である場合には、コントローラ２０５は、糊付け製本処理を印刷システム１０００にて実行する事を禁止する。
【０２０２】
この、印刷システム１０００が図１０のシステム構成である場合にてコントローラ２０５により実行する制御が、図１０Ｂの（禁則制御）に該当する。
【０２０３】
以上の説明の如く、コントローラ２０５は、印刷システム１０００が備えるインラインタイプのシート処理装置の接続台数に応じた各種制御を実行する。換言すると、印刷システム１０００にて実行可能なシート処理の種類に応じた各種制御を実行する。
【０２０４】
以上、図８Ａ〜図１０Ｂ等の説明からも明らかなように、印刷システム１０００が備える制御部は、印刷システム１０００のシステム構成状況（インラインシート処理装置の接続台数や接続順序）毎に対応した各種制御を印刷システム１０００にて実行する。
【０２０５】
なお、何故、本実施形態にて印刷システム１０００にてインラインシート処理装置の接続順序や台数をユーザニーズに対応するよう柔軟に構築変更可能に構成しているか、この理由の１例を述べる。これは、全てユーザメリットを考慮しているからである。
【０２０６】
例えば、まず、なぜ、印刷システム１０００にて利用を許可するインラインタイプのシート処理装置は、各々、独立筐体でかつ印刷装置に対して着脱可能に構成しているかの理由を述べる。
【０２０７】
この理由の１例としては、例えば、印刷システム１０００の納品先となるＰＯＤ業者として、くるみ製本処理は必要ないが大容量積載処理は行いたい等の要望をもった業者等の存在に配慮した仕組みである。
【０２０８】
換言すると、例えば、印刷システムの利用環境を想定してみると、上記９種類のシート処理の全てをインラインシート処理装置で実現したい等のニーズが予想される。一方、特定のシート処理のみインラインシート処理装置で実現した等のニーズも可能性としてはある。このように、納品先となる各ＰＯＤ業者毎にニーズも千差万別である事に対処する仕組みを提供する為である。
【０２０９】
また、なぜ、印刷システム１０００にて利用を許可するインラインタイプのシート処理装置の接続順序を上記制約事項の範囲内で任意に変更、組替えを、可能に構成しているかの理由を述べる。この理由は、なぜ、図８Ａ、８Ｂや図９Ａ、９Ｂに示すが如く、各インラインシート処理装置毎に印刷物をオペレータにより取出可能な排紙先を設けているのかの理由でもある。
【０２１０】
この理由の一例としては、印刷システム１０００にて要求される複数のシート処理の利用頻度に応じて柔軟にシステムを構築可能にする方が、印刷システム１０００の利用者の利便性が向上すると考えるからである。
【０２１１】
例えば、図１のＰＯＤ印刷システム１００００を保有するＰＯＤ業者では、顧客より依頼される印刷形態のニーズが、ユーザマニュアルやガイドブック等、くるみ製本処理を要する印刷ジョブが比較的多い傾向にあるとする。このような利用環境の場合、図８Ａ、８Ｂのような接続順序で印刷システム１０００を構築するよりも、図９Ａ、９Ｂのような接続順序で印刷システム１０００を構築する方が利便性がある。
【０２１２】
換言すると、印刷装置１００に対して、より近い個所に、糊付け製本機を接続した方が使い勝手が良い。これは、くるみ製本ジョブにて要するくるみ製本処理を実行する為に必要な装置内部におけるシートの搬送距離を短い方が効果的である事に起因する。
【０２１３】
例えば、シート搬送距離がながければ長いほど、そのジョブの最終成果物である印刷物の完成に要する時間が長くなる。また、シート搬送距離が長ければ長いほど、シート搬送動作中における装置内部でのジャム発生率が、高くなる可能性が予想される。このような理由によるものである。
【０２１４】
即ち、くるみ製本ジョブがユーザニーズとして多いようなＰＯＤ業者の場合には、図８Ａ、８Ｂのシステム構成よりも図９Ａ、９Ｂのシステム構成を採用する方が、くるみ製本ジョブの印刷物を作成するうえで必要なシート搬送距離が短くなる。かつ、迅速に印刷物を取出すことができる。
【０２１５】
換言すると、例えば、上記業者とは別のＰＯＤ業者では、シートの大量積載を要するジョブの方が多い傾向にあるとする。この場合には、図９Ａ、９Ｂのシステム構成よりも図８Ａ、８Ｂのシステム構成の方が、スタッカジョブの印刷物を作成するうえで必要なシート搬送距離が短くなる。かつ、迅速に印刷物を取出すことができる。
【０２１６】
このように、本実施形態は、如何に、効率よく、利用環境に適した柔軟なシステム形態で、印刷システム１０００にて複数のジョブの生産性を向上させるかに着目している。その上で、このような印刷システム１０００を利用するユーザからの立場にたった利便性を追求した多数の仕組みを提供可能に構成している。
【０２１７】
次に、図８Ａ〜図１０Ｂで例示した印刷システム１０００にて具備可能な各種インラインタイプのシート処理装置の内部構成の具体例を、各シート処理装置毎に、個別に例示する。
【０２１８】
［大容量スタッカの内部構成］
図１１は、図８Ａ〜図１０Ｂに例示した、本実施形態にて、コントローラ２０５により制御対象となる、大容量スタッカの内部構成断面図の１例を示す。
【０２１９】
大容量スタッカ内部には、印刷装置１００からのシートの搬送経路として、大きく分けて、３つに分かれている。この１例として、図１１に示すが如く、１つは、ストレートパスである。１つは、エスケープパスである。１つは、スタックパスである。このように３つのシート搬送路が内部に設けられている。
【０２２０】
なお、図１１の大容量スタッカ及び後述する図１２の糊付け製本機の各装置が備えるストレートパスは、前段装置から受取ったシートを後段装置へ渡す為の機能を果たすが為に、本実施形態ではインラインシート処理装置におけるスルーパスとも呼ぶ。
【０２２１】
大容量スタッカ内部に備えるストレートパスは、装置が備える積載ユニットによるシートの積載処理を要さないジョブのシートを後段の装置へ渡す為のシート搬送路である。換言すると、シート処理装置自身によるシート処理が要求されていないジョブのシートを、上流の装置から下流の装置へと搬送する為のユニットである。
【０２２２】
また、大容量スタッカ内部に備えるエスケープパスは、スタックせずに、出力したい場合に用いられる。例えば、後続のシート処理装置が接続されていない場合に、出力の確認作業（プルーフプリント）等を行う場合に、スタックトレイからの取出しを簡略化するべく、エスケープパスに印刷物を搬送して、トレイから印刷物を取出可能にする。
【０２２３】
なお、この大容量スタッカ内部のシート搬送路にはシートの搬送状況やジャムを検知するのに要する複数のシート検知センサが設けられている。
【０２２４】
大容量スタッカの不図示のＣＰＵは、各センサからのシート検知情報を、コントローラ２０５とのデータ通信を行う為の信号線（図２のシート処理装置２００とコントローラ２０５とを電気的接続関係にする信号線）を介して、コントローラ２０５に通知する。コントローラ２０５は、この大容量スタッカからの情報に基き、大容量スタッカ内部のシートの搬送状況やジャムを把握する。印刷システムのシステム構成として、このシート処理装置と印刷装置１００の間に他のシート処理装置がカスケード接続されている場合、そのシート処理装置のＣＰＵを介して、大容量スタッカのセンサの情報を、コントローラ２０５に通知する。このように、インラインフィニッシャ固有の構成を備える。
【０２２５】
又更に、大容量スタッカ内部に備えるスタックパスは、装置が備える積載ユニットによるシートの積載処理を要するジョブのシートに対する積載処理を、装置により実行させる為のシート搬送路である。
【０２２６】
例えば、印刷システム１０００が図８Ａ〜図１０Ｂに示した大容量スタッカを具備しているとする。このシステム構成状況において、コントローラ２０５が、例えば図７の表示のキー７０９のキー操作により、処理対象のジョブの為に、スタッカにて実行可能なシートの積載処理の実行要求を、ＵＩ部を介してユーザから受付けたとする。この場合、コントローラ２０５は、この大容量スタッカが備えるスタックパスへシートを搬送するよう制御する。スタックパスへ搬送されたシートはスタックトレイへ排紙する。
【０２２７】
図１１のスタックトレイは、伸縮可能なステイなどの上に載置される積載ユニットである。このスタックトレイとの結合部には、ショックアブソーバ等が付けられている。コントローラ２０５は、このスタックトレイを用いて、処理対象となるジョブの印刷済みシートの積載処理を大容量スタッカによる実行させるよう制御する。伸縮可能なステイの下は台車となっており、不図示の取っ手を付けると台車として、上に載せたスタック出力を別のオフラインフィニッシャなどに運べるようになっている。
【０２２８】
スタッカ部の前ドアが閉まっているときは、伸縮可能なステイはスタック出力が積載されやすい上の位置に上昇し、前ドアがオペレータにより開けられる（あるいは、開ける指示がなされる）とスタックトレイは、下降する仕組みになっている。
【０２２９】
また、スタック出力の積み方には、平積みとシフト積みがあって、平積みは、文字通り常に同じ位置に積む。シフト積みは、ある決められた部数単位、ジョブ単位などで奥手前方向にシフトして、出力に区切りを作って、出力を扱いやすいように積む方法である。
【０２３０】
このように、印刷システム１０００にてインラインタイプのシート処理装置として利用を許可する対象の大容量スタッカは、プリンタ部２０３からのシートの積載処理を実行するにあたり、複数種類の積載方法を実行可能に構成されている。コントローラ２０５は、このような各種動作の制御を装置に対して実行する。
【０２３１】
［糊付け製本装置の内部構成］
図１２は、図８Ａ〜図１０Ｂに例示した、本実施形態にて、コントローラ２０５により制御対象となる、糊付け製本装置の内部構成断面図の１例を示す。
【０２３２】
糊付け製本装置内部には、印刷装置１００からのシートの搬送経路として、大きく分けて、３つに分かれている。この１例として、図１２に示すが如く、１つは、ストレートパスである。１つは、本身パスである。１つは、表紙パスである。このように３つのシート搬送路が内部に設けられている。
【０２３３】
図１２の糊付け製本装置内部に備えるストレートパス（スルーパス）は、装置が備える糊付け製本ユニットによるシートの糊付け製本処理を要さないジョブのシートを後段の装置へ渡す為の機能を果たすシート搬送路である。換言すると、シート処理装置自身によるシート処理が要求されていないジョブのシートを、上流の装置から下流の装置へと搬送する為のユニットである。
【０２３４】
なお、この糊付け製本機内部のシート搬送路にはシートの搬送状況やジャムを検知するのに要する複数のシート検知センサが設けられている。
【０２３５】
糊付け製本機の不図示のＣＰＵは、各センサからのシート検知情報を、コントローラ２０５とのデータ通信を行う為の信号線（図２のシート処理装置２００とコントローラ２０５とを電気的接続関係にする信号線）を介して、コントローラ２０５に通知する。コントローラ２０５は、この糊付け製本機からの情報に基き、糊付け製本機内部のシートの搬送状況やジャムを把握する。印刷システムの構成として、このシート処理装置と印刷装置１００の間に他のシート処理装置がカスケード接続されている場合、そのシート処理装置のＣＰＵを介して、この糊付け製本装置のセンサの情報を、コントローラ２０５に通知する。このように、インラインフィニッシャ固有の構成を備える。
【０２３６】
また、図１２の糊付け製本装置内部に備える本身パスと表紙パスは、くるみ製本印刷物を作成する為のシート搬送路である。
【０２３７】
例えば、本実施形態では、くるみ製本印刷処理として、本文となる印刷データの印刷処理をプリンタ部２０３で実行させる。かつ、この印刷されたシートをくるみ製本印刷物の１束分の出力物における本文部分として利用可能にする。このように、くるみ製本にて本文（中身）部分に該当する印刷データが印刷された本文部分のシート束を、本実施形態では「本身」と呼ぶ。かつ、この本身を表紙用の１枚のシートでくるむ処理を、くるみ製本処理にて実行する。この表紙としてのシートを、表紙パスを介して搬送する。他方、本身となる、プリンタ部２０３でプリントした印刷用紙は、本身パスへ搬送するようコントローラ２０５が各種シートの搬送制御を実行する。
【０２３８】
このような構成のもと、例えば、コントローラ２０５が、例えば図７の表示のキー７０７のキー操作により、処理対象のジョブの為に、糊付け製本機にて実行可能なくるみ製本処理の実行要求を、ＵＩ部を介してユーザから受付けたとする。この場合、コントローラ２０５は、以下のように装置を制御する。
【０２３９】
例えば、プリンタ部２０３で印刷されたシートを、図１２の本身パスを介して、順次スタック部に蓄える。かつ、処理対象となるジョブの１冊分のシートにて要する本文データが印刷されたシートを、全ページ、スタック部に蓄えたうえで、表紙パスを介して、ジョブにて要する表紙用のシートを、搬送させる。
【０２４０】
なお、くるみ製本に関し、本実施形態の特徴点の１つに関連する事項が存在する。例えば、本実施形態にて糊付け製本処理の１例に該当するくるみ製本処理では、１束分のシート束として処理可能なシート処理枚数が、糊付け製本処理とは異なる種類のシート処理にて１束分のシート束として処理可能なシート処理枚数よりも、圧倒的に多い。例えば、くるみ製本処理にて１束分の本文用のシート束として最大２００枚まで処理を許容する。一方、ステイプル処理等は、最大２０枚、中綴じ製本では最大１５枚まで、１束分のシート処理として印刷用紙を処理する事を許可する。このように、１束分のシート束としてシート処理を許可する印刷用紙の許容枚数は、糊付け製本処理と、その他のシート処理では、圧倒的に異なる。
【０２４１】
このように、本実施形態では、コントローラ２０５により制御対象となるインラインタイプのシート処理装置により、くるみ製本処理という糊付け製本処理を実行可能に構成している。かつ、オフィス環境では要求すらされなかったインラインタイプのシート処理装置により実行可能なフィニッシィングとして新規のフィニッシィングを提供可能に構成している。換言すると、ＰＯＤ環境を想定した仕組みの１つであり、且、後述する制御に関連する構成である。
【０２４２】
なお、くるみ製本にて、表紙用のシートとして、図１２に示すが如く、糊付け製本装置自身が備えるインサータのインサータトレイから搬送対象となる、表紙用のデータが予め印刷済みのプレプリントシートを利用可能に構成している。また、印刷装置１００自身により表紙用の画像を印刷させたシートも利用可能に構成している。これら何れかのシートを表紙用のシートとして、表紙パスへ搬送させる。そして、スタック部の下方部分にて、表紙用のシートの搬送を一時停止させる。
【０２４３】
この動作に並行して、スタック部に積載済みの本文全ページが印刷済みの複数枚のシートで構成される本身に対して、糊付け処理を実行する。例えば、糊付け部は、所定量の糊を本身の下部に塗布して、十分に糊が行き渡ったところで、本身の糊付けされた部分を表紙の中央部にあてがい、包み込むように結合させる。結合に当たっては、本身を下方に押し込むように送り出すため、表紙にくるまれた本身は、ガイドに添って、回転台の上に滑り落ちる。その後、ガイドは、表紙にくるまれた本身を回転台の上に倒すように移動する。
【０２４４】
回転台の上に寝た表紙にくるまれた本身を、幅寄せ部で位置合わせを行って、まず、小口となる部分をカッターで断裁する。次に、回転台を９０度回転して、幅寄せ部で位置合わせを行い、天となる部分を断裁する。更に、１８０度回転して、幅寄せ部で位置合わせを行い、地となる部分を断裁する。
【０２４５】
断裁後は、再度幅寄せ部で奥まで押しやって、出来上がった表紙にくるまれた本身をバスケット部に入れる。
【０２４６】
バスケット部で十分に糊を乾かした後、出来上がったくるみ製本の束を取り出すことができる。
【０２４７】
このように、糊付け製本機は、ＵＩ部を介して印刷実行要求と共に糊付け製本処理の実行要求がユーザからなされた処理対象のジョブのシートに対する糊付け製本処理を実行する糊付けユニットを具備している。
【０２４８】
また、上述したように、本実施形態にて、インラインタイプのシート処理装置により実行可能に構成した糊付け製本処理は、上記構成に示すが如く、他の種類のシート処理と比較して、処理工程が多く準備すべき前構成も多い。換言すると、ステイプルや中綴じ製本のようなオフィス環境にて頻繁に利用されうるシート処理とは構成も異なり、要求されたシート処理を完結されるのに要する処理時間も、他のフィニッシィングに比べ、長くなる事が予想される。本実施形態では、このような点についても、着目している。
【０２４９】
糊付け製本機能１つをとっても分るように、本実施形態では、例えば、オフィス環境のみ留まらず、ＰＯＤ環境等の新しい印刷環境でも充分に通用する、利便性や生産性を追求した、印刷システム、製品の、実用化を目指す為の仕組みを採用している。換言すると、例えば、くるみ製本機能や大量積載機能等、オフィス環境では未対処であった新機能をＰＯＤ環境でも活用可能に構成要件として具備している。また、図８Ａ〜図１０Ｂに例示するが如く、印刷装置に対して、インラインタイプのシート処理装置を複数台接続可能にしたシステム構成自体についても、上記目的を果たすが為の仕組みである。
【０２５０】
ここで、特筆すべきは、例えば、本実施形態は、単に、上記のような新規の機能やシステム構成を備える事のみに留まらず、機能構成を採用する事で想定されうるユースケースやユーザニーズ等、対処すべき課題を事前に発見検討している点である。かつ、その課題に対する解決手法となる構成要件をも備える点が特徴点の１つに該当する。このように、本実施形態では、事務機メーカが新規市場の開拓参入するうえで、新規に搭載する機能やシステム構成に対する市場要望等を、課題として、事前に、発見検討し、その課題に対する解決手法をも念頭に入れた仕組みを構成として採用している。このような点も本実施形態の特徴的要件の１つに当たる。この具体的に構成要件の１例として、コントローラ２０５により本実施形態にて各種制御を実行している。
【０２５１】
［中綴じ製本装置の内部構成］
図１３は、図８Ａ〜図１０Ｂに例示した、本実施形態にて、コントローラ２０５により制御対象となる、中綴じ製本機の内部構成断面図の１例を示す。
【０２５２】
中綴じ製本装置内部には、印刷装置１００からのシートに対してステイプル処理や断裁処理やパンチ処理や折り処理がシフト排紙処理等を選択的に実行可能にするための各種ユニットを具備している。ただし、中綴じ製本機は、上記制約事項で述べたように、後段装置へのシート搬送機能の役目を果たすスルーパスを具備しない。
【０２５３】
なお、この中綴じ製本機内部のシート搬送路にはシートの搬送状況やジャムを検知するのに要する複数のシート検知センサが設けられている。
【０２５４】
中綴じ製本機の不図示のＣＰＵは、各センサからのシート検知情報を、コントローラ２０５とのデータ通信を行う為の信号線（図２のシート処理装置２００とコントローラ２０５とを電気的接続関係にする信号線）を介して、コントローラ２０５に通知する。コントローラ２０５は、この中綴じ製本機からの情報に基き、中綴じ製本機内部のシートの搬送状況やジャムを把握する。印刷システムの構成として、このシート処理装置と印刷装置１００の間に他のシート処理装置がカスケード接続されている場合、そのシート処理装置のＣＰＵを介して、この中綴じ製本装置のセンサの情報を、コントローラ２０５に通知する。このように、インラインフィニッシャ固有の構成を備える。
【０２５５】
また、例えば、図１３に示すが如く、サンプルトレイ、スタックトレイ及び、ブックレットトレイが設けられており、コントローラ２０５は、ジョブの種類や排出される記録紙の枚数に応じて利用するユニットを切り替えるよう制御する。
【０２５６】
例えば、コントローラ２０５が、図７の表示のキー７０１のキー操作により、処理対象のジョブの為に、中綴じ製本機にて実行可能なステイプル処理の実行要求を、ＵＩ部を介してユーザから受付けたとする。この場合、コントローラ２０５は、プリンタ部２０３からのシートを、スタックトレイ側へ搬送するよう制御する。なお、この際、記録紙がスタックトレイに排出される前に、記録紙をジョブ毎に中綴じ製本部の内部の処理トレイに順次蓄えておき、処理トレイ上にてステープラにてバインドして、その上で、スタックトレイへ、記録紙束を束排出する。このような方法でプリンタ部２０３にて印刷されたシートに対するステイプル処理を装置により実行させる。
【０２５７】
その他、紙をＺ字状に折るためのＺ折り機、ファイル用の２つ（又は３つ）の穴開けを行うパンチャがあり、ジョブの種類に応じてそれぞれの処理を行う。例えば、出力すべきジョブに対する記録紙処理に関する設定としてユーザにより操作部を介してＺ折り処理設定がなされた場合には、そのジョブの記録紙に対してＺ折り機により折り処理を実行させる。その上で、機内を通過させて、スタックトレイ及びサンプルトレイ等の排出トレイに排紙するよう制御する。また、例えば、出力すべきジョブに対する記録紙処理に関する設定としてユーザにより操作部を介してパンチ処理設定がなされた場合には、そのジョブの記録紙に対してパンチャによるパンチ処理を実行させる。その上で、機内を通過させて、スタックトレイ及びサンプルトレイ等の排出トレイに排紙するよう制御する。
【０２５８】
また、サドルステッチャ部は、記録紙の中央部分を２ヶ所バインドした後に、記録紙の中央部分をローラに噛ませることにより記録紙を半折りし、パンフレットのようなブックレットを作成する中綴じ製本処理を行う。
【０２５９】
サドルステッチャ部で製本された記録紙は、ブックレットトレイに排出される。サドルステッチによる製本処理等の記録紙処理動作の実行可否も、上述の如く、出力すべきジョブに対してユーザにより設定された記録紙処理設定に基づく。
【０２６０】
また、インサータはインサートトレイにセットされた記録紙をプリンタへ通さずにスタックトレイ及びサンプルトレイ等の排出トレイのいずれかに送るためのものである。これによって中綴じ製本部に送り込まれる記録紙（プリンタ部で印刷された記録紙）と記録紙の間にインサータにセットされた記録紙をインサート（中差し）することができる。インサータのインサートトレイにはユーザによりフェイスアップの状態でセットされるものとし、ピックアップローラにより最上部の記録紙から順に給送する。ゆえに、インサータからの記録紙はそのままスタックトレイ又はサンプルトレイへ搬送することによりフェイスダウン状態で排出される。サドルステッチャへ送るときには、一度パンチャ側へ送り込んだ後スイッチバックさせて送り込むことによりフェースの向きを合わせる。
【０２６１】
なお、インサータによる記録紙挿入処理等の記録紙処理動作の実行可否も、上述の如く、出力すべきジョブに対してユーザにより設定された記録紙処理設定に基づく。
【０２６２】
また、本実施形態では、１例として、中綴じ製本装置内部に断裁部（トリマ部）も備える。この説明を以下の行う。
【０２６３】
中綴じ製本部においてブックレット（中綴じの小冊子）となった出力は、このトリマに入ってくる。その際に、まず、ブックレットの出力は、ローラで予め決められた長さ分だけ紙送りされ、カッタ部にて予め決められた長さだけ切断され、ブックレット内の複数ページ間でばらばらになっていた端部がきれいに揃えられることとなる。そして、ブックレットホールド部に格納される。なお、トリマによる断裁処理等の記録紙処理動作の実行可否も、上述の如く、出力すべきジョブに対してユーザにより設定された記録紙処理設定に基づく。
【０２６４】
このように、中綴じ製本機は、ＵＩ部を介して印刷実行要求と共に中綴じ製本処理の実行要求がユーザからなされた処理対象のジョブのシートに対する中綴じ製本処理を実行する中綴じ製本ユニットを具備している。
【０２６５】
なお、例えば、図７の表示のキー７０５によりユーザから中綴じ製本が選択された場合、コントローラ２０５は、ＵＩ部に図１４の表示を実行させる。図１４の表示を介して、コントローラ２０５は、中綴じ製本の詳細設定をユーザから受付可能に制御する。例えば、ステイプル針を用いて実際にシート中央付近に対する中綴じ処理を実行するか否かを決定可能にする。また、分割製本、中綴じ位置の変更、断裁の有無、あるいは、断裁幅の変更などの設定もユーザから受付け可能にする。
【０２６６】
例えば、コントローラ２０５がＵＩ部に実行させた図１４の表示を介してユーザにより「中綴じ製本する」と「断裁する」が設定されたとする。この場合、コントローラ２０５は、中綴じ製本印刷結果として処理対象のジョブが図１５のような印刷体裁になるよう印刷システム１０００の動作制御を行う。図１５の中綴じ製本印刷結果に示すが如く、サドルステッチが打たれて、小口側の断裁がなされる。また、サドルステッチの位置や断裁面の位置を予め設定しておけば、所望の位置に変更することができる。
【０２６７】
また、例えば、図７の表示のキー７０７によりユーザからくるみ製本処理の実行要求がなされた場合、コントローラ２０５は、くるみ製本印刷結果として、処理対象のジョブが図１６のような印刷体裁になるよう印刷システム１０００を制御する。図１６の１例に示すが如く、くるみ製本の場合の印刷物は、断裁面Ａ、Ｂ及び、Ｃに関して、それぞれ断裁幅を設定することができる。
【０２６８】
また、印刷システム１０００は、外部装置の一例に当たる情報処理装置からも処理対象となるジョブの印刷実行要求及びシート処理の実行要求を受付け可能に構成されている。以下、ホストコンピュータから印刷システム１０００を利用する場合の一例をもって説明する。
【０２６９】
例えば、本実施形態の各種の処理や制御を実行する為のプログラムデータをＷＥＢ等のデータ供給源あるいは特定の記憶媒体からダウンロードしたホストコンピュータ（図１のＰＣ１０３や１０４等）にて操作する場合、以下のように制御する。ただし、制御の主体はＰＣの制御部である。
【０２７０】
例えば、ユーザからのマウス或いはキーボード操作に応答し、印刷システム１０００の印刷装置１００を操作する為のプリンタドライバの起動指示がなされたとする。これを受け、ホストコンピュータのＣＰＵは、ホストコンピュータの表示部に、図１７Ａに示す印刷設定画面を表示させる。図１７Ａ、１７Ｂは、本実施形態にて制御対象となる、ユーザインタフェース画面の一例を示す図である。
【０２７１】
ここで、例えば、図１７Ａ、１７Ｂの操作画面上の仕上げキー１７０１がユーザのマウス操作により押下されたとする。すると、ホストコンピュータのＣＰＵは、印刷設定画面を、図１７Ｂのような印刷設定画面に切り換えるよう表示部を制御する。
【０２７２】
ホストコンピュータのＣＰＵは、図１７Ａ、１７Ｂの印刷設定画面上のシート処理設定項目を介して、印刷システム１０００が備えるインラインタイプのシート処理装置２００により実行させるべきシート処理の種類をユーザにより選択可能に制御する。
【０２７３】
なお、ここでは、省略するが、ホストコンピュータを含む外部装置においては、図１７Ａ、１７Ｂ以外の画面として、本実施形態で詳述した各種の表示画面を介して入力可能な指示と同等の指示を入力可能にするための表示画面を表示させるように構成している。換言すると、本実施形態で述べる各種の処理や制御と同等の処理や制御を外部装置側にて実行可能に構成されている。
【０２７４】
そして、ユーザにより、シート設定項目を介して所望のシート処理が選択され、図１７Ａ、１７Ｂの画面に戻って、ＯＫキーが押下されるとする。
【０２７５】
これにより、ホストコンピュータのＣＰＵは、印刷設定画面を介してユーザにより設定された各種印刷条件を示すコマンドと、プリンタ部２０３によりプリントさせるべき一連のプリントデータとを、一つのジョブとして関連付ける。そしてそのジョブを、印刷システム１０００に対して、ネットワーク１０１を介して送信する。
【０２７６】
コンピュータからのジョブを、印刷システム１０００の外部Ｉ／Ｆ部２０２が受信する。これを受け、印刷システムのコントローラ２０５は、ホストコンピュータからのジョブを、ホストコンピュータにてユーザにより設定された処理要件に基づいて、処理するよう印刷システム１０００を制御する。
【０２７７】
以上のように構成することで、外部装置等からのジョブでも、本実施形態で述べる各種の効果を得ることが出来、印刷システム１０００の利用効率を更に向上させる事ができる。
【０２７８】
本実施形態の印刷システム１０００が備える制御部は、以上で説明したような各種構成要件を前提として、後述する各種制御を実行する。
【０２７９】
なお、図１〜図１７Ｂを用いた説明した構成は、本実施形態にて述べる全ての実施形態にて共通する構成要件に当たる。換言すると、例えば、本実施形態にて述べる各種制御は、構成を前提とした構成要件に当たる。
【０２８０】
図１〜図１７Ｂを用いて説明したように、本実施形態の印刷システム１０００は、オフィス環境に留まらず、ＰＯＤ環境にも適した印刷環境を構築可能に構成している。
【０２８１】
例えば、その１例として、オフィス環境では想定されえないＰＯＤ環境にて想定されうるユースケースやユーザニーズに対処可能な仕組みを採用している。
【０２８２】
この１例として、例えば、ＰＯＤ環境では顧客から様々な印刷形態をＰＯＤ業者が受注可能に構成している。
【０２８３】
具体例を挙げるならば、例えば、上記の如く、糊付け製本処理や大量積載処理等、オフィス環境ではユーザニーズとして要求されえないフィニッシィングをインラインシート処理装置により実現可能に構成している。換言すると、本実施形態は、ステイプル等のオフィス環境にて要求されうるニーズ以外のユーザニーズにもＰＯＤ環境を考慮して対処できるように構成している。また、例えば、印刷システム１０００の納入対象となるＰＯＤ環境で商売をなすＰＯＤ業者におけるビジネス形態に柔軟に対応可能に構成している。
【０２８４】
この１例として、例えば、上記の如く、複数台のインラインシート処理装置を印刷装置１００に対して接続可能にし、かつ、各インラインシート処理装置毎に、独立筐体でかつ独立動作が可能に構成している。かつ、接続するシート処理装置も任意台数とし、印刷システム１０００にて柔軟にインラインシート処理装置の増設や変更等を可能にシステムを構成している。
【０２８５】
なお、本実施形態では印刷システム１０００の利用者の操作性にも充分配慮した設計となっている。この１例として、例えば、本実施形態では、印刷システム１０００のシステム構成を、オペレータ自らが手動でＨＤＤ２０９に登録できる構成を説明した。ゆえに、これを用いて例示する。
【０２８６】
例えば、印刷システム１０００のシステム構成として、図８Ａ、８Ｂに示すシステム構成をＰＯＤ業者にて構築したいと望んだとする。この場合、まず、ＰＯＤ業者のオペレータにより、印刷装置１００と共に購入した図８Ａ、８Ｂの３台のシート処理装置を、図８Ａ、８Ｂに示す接続順序で、印刷装置に接続してもらう。そのうえで、操作部２０４のユーザモードキー５０５を押下してもらう。この場合に、コントローラ２０５は、キー操作に応答し、タッチパネル部４０１に、図１８Ａの表示を実行させる。
【０２８７】
図１８Ａの表示は、印刷システム１０００のシステム構成情報を、オペレータ自身によりマニュアル入力可能にする為の表示である。コントローラ２０５は、図１８Ａ〜１８Ｄの表示を介して、印刷装置１００に接続すべきインラインタイプのシート処理装置の種類をオペレータにより決定可能にする。かつ、コントローラ２０５は、図１８Ａ〜１８Ｄの表示を介して、印刷装置１００に接続する複数台のインラインタイプのシート処理装置の接続順序をオペレータにより決定可能にする。
【０２８８】
かつ、コントローラ２０５は、図１８Ａの表示の各設定項目毎に設けた「詳細設定」キーがオペレータにより押下されたら、不図示の画面を表示させる。この画面で、１台づつ、印刷システムにて利用するシート処理装置を特定可能にする。しかも、本実施形態は、上述したように制約事項を遵守してもらっている故、この情報もガイダンス情報としてオペレータに通知する。例えば、コントローラ２０５は、図１８Ａに示すが如く、「印刷装置に接続する、シート処理装置の種類と接続順序を登録して下さい。最大５台まで接続できます。ただし、中綴じ製本機は接続する装置の１番最後に接続して下さい。」なるガイダンスを通知する。なお、ここでは、インラインシート処理装置の接続台数を最大５台までとしているが、特にこれに限定しなくても良い。
【０２８９】
なお、コントローラ２０５は、図１８Ａの設定項目の上から順番に、利用するシート処理装置を１台づつ決定可能にタッチパネル部４０１を制御するが、この設定項目の上から順番に設定する設定順序自体が、実際の装置の接続順序として判断する。
【０２９０】
上記構成のもと、例えば、印刷システム１０００のシステム構成を図８Ａ、８Ｂに示すシステム構成にする場合、図１８Ｂの表示のように、各シート処理装置の種類と、接続順番を登録してもらう。具体的には、図１８Ｂの表示のように、設定項目の上から順番に「大容量スタッカ⇒糊付け製本機⇒中綴じ製本機」となるよう設定してもらう。この設定順序が、図８Ａ、８Ｂに示すが如く、実際の接続順序として、コントローラ２０５が判断する。
【０２９１】
一方、例えば、印刷システム１０００のシステム構成を図９Ａ、９Ｂに示すシステム構成にする場合、図１８Ｃの表示のように、各シート処理装置の種類と、接続順番を登録してもらう。具体的には、図１８Ｃの表示のように、設定項目の上から順番に「糊付け製本機⇒大容量スタッカ⇒中綴じ製本機」となるよう設定してもらう。この設定順序が、図９Ａ、９Ｂに示すが如く、実際の接続順序として、コントローラ２０５が判断する。
【０２９２】
更に一方、例えば、印刷システム１０００のシステム構成を図１０Ａ、１０Ｂに示すシステム構成にする場合、図１８Ｄの表示のように、各シート処理装置の種類と、接続順番を登録してもらう。具体的には、図１８Ｄの表示のように、設定項目の上から順番に「大容量スタッカ⇒中綴じ製本機」となるよう設定してもらう。この設定順序が、図１０Ａ、１０Ｂに示すが如く、実際の接続順序として、コントローラ２０５が判断する。
【０２９３】
また、図１９に例示する本実施形態の印刷システム１０００のシステム構成では、図１３に例示した大容量スタッカを２台と中綴じ製本機の１台の計３台のインラインフィニッシャを接続したシステム構成例である。このシステム構成は、同一タイプのインラインフィニッシャとして、大容量スタッカを２台接続したシステム構成である。このように、本実施形態の印刷システムは、同じ種類のインラインフィニッシャを複数台接続可能に構成している。なお、図１９に例示が如く、同じ種類のインラインフィニッシャを連続してカスケード接続する構成を、本実施形態では、タンデム接続とも呼ぶ。また、図１９に例示のシステム構成は、印刷システムの納品先の印刷業者が大量積載を頻繁に行うような状況を想定している。このように、本実施形態では、大容量スタッカを複数台タンデム接続可能に構成している。
【０２９４】
このように、実際の現場のユースケースを想定した利便性を向上させるＵＩ制御自体も本実施形態の特徴点の１つに当たる。
【０２９５】
図１〜図１９を用いて上述した如く、印刷システム１０００は、オフィス環境とはユースケースやユーザニーズも異なるＰＯＤ環境等をも見据えた、様々なユースケースやユーザニーズにも柔軟に対処可能な、製品の実用化に向けての様々な仕組みを備える。
【０２９６】
しかも、単に、上記のような新規な機能及び新規な構成を備えるに留まらず、印刷システム１０００の効果を最大限に発揮すべく、以下のような各種制御を、印刷システム１０００にて実行可能に構成している。
【０２９７】
この１例として、例えば、印刷システムが備える制御部は、以下のような制御を印刷システム１０００にて実行するよう制御している。
【０２９８】
なお、以下の具体的制御を説明する前に、印刷システム１０００の構成について補足しておく。
【０２９９】
本実施形態の大容量スタッカ等の各種インラインフィニッシャは、夫々、装置毎に、用紙ジャムを除去したり、プリンタ部２０３で印刷がなされたジョブの印刷物を取出す為に、装置筐体前面に開閉動作が可能なドア（前ドア）を具備している。
【０３００】
また、本実施形態の大容量スタッカは、図１３で示した如く、大容量の印刷物を積載可能な装置内部に配設されたスタックトレイ（単にスタッカ部とも呼ぶ）と、装置外部（機外上方部）に配設されたエスケープトレイ（サンプルトレイとも呼ぶ）を備える。コントローラ２０５は、本実施形態の大容量スタッカの機内に配設されるスタックトレイ、及び、機外に配設されるエスケープトレイに対して、本実施形態に例示が如くの各種判断条件に基き、処理対象のジョブの印刷物を、選択的に供給可能に制御する。大容量スタッカ等、中綴じ製本機以外の、本実施形態のインラインフィニッシャは、自装置の前段に位置する装置から受取った印刷物を、自装置内部のスルーパスを介して、自装置の後段に位置するインラインフィニッシャの装置内部へ、搬送する機能も備える。また、本実施形態の大容量スタッカは、装置内部のスタックトレイに積載された印刷物のシート積載量に応じて、トレイが自動的に下降可能に構成されている。また、印刷物の整合処理も可能に構成されている。
【０３０１】
以上の構成は図１３で説明したとおりだが、図２０に示すが如く、大容量スタッカの前面にはオペレータによる開閉動作が可能なドア２００２を備える。かつ、ドア２００２をオープンさせる為の指示をオペレータが入力する為のスイッチ２００１を装置筐体上部に具備している。この大容量スタッカにおける各種動作の制御は、大容量スタッカ自身が備える制御部（不図示）が、主体となり、行う。この制御部は、スイッチ２００１からのオペレータによる手動入力命令に従い、このドア２００２をオープンさせる。具体的には、ドア２００２は閉じている状態の時に不図示の鍵により施錠状態としており、この鍵を開錠させて、ドア２００２をオープンさせる。これにより、大容量スタッカのスタックトレイに積載済みの印刷物をオペレータにより取出可能に構成している。また、スイッチ２００１からの操作だけでなく、印刷装置１００のコントローラ２０５からの指示により、ドア２００２を自動的にオープン可能に制御される。この際は、図２に示す装置内部の信号線を介して、ドアオープン信号を、コントローラ２０５から大容量スタッカの制御部に送信する。また、大容量スタッカのスタックトレイに積載された印刷物をオペレータにより取出作業を行う際に、ドア２００２を開けて、オペレータによる取出作業が行われる。勿論、これらの主体制御も、印刷装置１００が備えるコントローラ２０５が実行しても良い。
【０３０２】
本実施形態では、印刷処理がなされたジョブの印刷物を大容量スタッカからオペレータにより取出す際には、印刷システム１０００を、コントローラ２０５が主体となり、制御する。これにより、その大容量スタッカが備えるスタックトレイに対して、ジョブの後に印刷実行要求がなされた後続ジョブのシートが排紙されない。
【０３０３】
換言すると、印刷システム１０００は、シート処理装置におけるオペレータによる印刷処理がなされたジョブの印刷物の取出作業中には、シート処理装置内部のシート処理部に対して、ジョブに後続するジョブのシートが排紙されないよう制御する。
【０３０４】
ただし、コントローラ２０５は、例えば、大容量スタッカが備えるスタックトレイにおける印刷物のオペレータによる取出作業中であっても、例えば以下に例示する動作は実行可能に制御する。
【０３０５】
例えば、コントローラ２０５は、スタッカトレイに積載済の印刷物をオペレータが取出す間等、大容量スタッカのドア２００２開閉中に、大容量スタッカのエスケープトレイに対して、後続ジョブの印刷物を排紙可能に、印刷システム１０００を制御する。
【０３０６】
また、コントローラ２０５は、所定の場合、その後続ジョブの印刷物を、その大容量スタッカ内部のスルーパスを介して、搬送可能に、印刷システム１０００を、制御する。後続ジョブが、大容量スタッカのドア２００２がオープン中に、その大容量スタッカによる積載処理が不要なジョブであって、かつ、その大容量スタッカの後段に接続されているインラインフィニッシャによるフィニッシングを要するジョブである場合である。
【０３０７】
このように、コントローラ２０５は、ドア２００２がオープンされている状態のままでも、上記例示が如くの印刷システム１０００における動作の実行を許可する。
【０３０８】
以上の各種動作を実行する為に、コントローラ２０５は、シート処理装置からのオペレータによるシートの取出対象となるジョブの後に印刷実行要求がなされた後続ジョブの印刷動作の開始を禁止したり、許可したりする。換言すると、コントローラ２０５は、後続ジョブの印刷動作の実行可否や印刷タイミングを、制御する。
【０３０９】
以上のような構成も、印刷装置に対して物理的接続関係にありかつ電気的接続関係にあるインラインフィニッシャ固有の構成である。
【０３１０】
以上のような構成を前提とし、印刷システム１０００が備える制御部の一例にあたるコントローラ２０５は、以下に例示の制御を実行する。
【０３１１】
なお、以下に例示の制御を説明する前に前提的な構成要件について更に補足しておく。
【０３１２】
前提として、印刷システム１０００は、複数のジョブのデータを記憶可能なＨＤＤ２０９のデータの印刷処理を実行可能なプリンタ部２０３を備える印刷装置１００を備える。かつ、印刷システム１０００は、印刷装置１００に対して接続可能な、複数台のシート処理装置２００ａ〜ｎを備える。これらのシート処理装置は、プリンタ部２０３で印刷がなされたジョブのシート（印刷物或いは印刷媒体とも呼ぶ）に対するシート処理（フィニッシング又は後処理とも呼ぶ）を実行可能である。そして装置毎に、自装置でシート処理を施した印刷物をオペレータにより取出可能である。かつ、印刷システム１０００は、印刷装置１００のプリンタ部２０３から、これら複数のシート処理装置に対して、プリンタ部２０３により印刷がなされたジョブのシートを、選択的に、供給可能に構成している。
【０３１３】
本実施形態の制御部の一例に相当するコントローラ２０５は、以上のような、ＰＯＤ市場を見据えたシステム構成となっている印刷システム１０００にて、以下の制御を実行する。
【０３１４】
印刷システム１０００は、印刷媒体を給送する給送手段を備えた給送装置としての複数台の給紙装置（大容量給紙デッキ）を、印刷装置１００にカスケード接続可能な構成している。また、印刷装置１００に接続可能なシート処理装置は、本実施形態の効果を向上させるべく、利用環境に合わせ、任意の台数設置可能に構成されている。図２１では、給紙装置５０は、一連の給紙装置群として、Ｎ台接続可能であるものとしている。かつ、１台目の給紙装置から順に、給紙装置５０ａ、５０ｂ、・・・、と示し、Ｎ台目の給紙装置として、給紙装置５０ｎと示している。それぞれの給紙装置は、印刷媒体を給送する給送手段と、複数の印刷媒体が重なった状態で搬送される重送の発生を検知する重送検知手段と、重送された印刷媒体を排出する重送排出手段と、を備える。これらの給紙装置によるシートの給送及び排出は、様々な設定内容に基づいて制御手段としてのコントローラ２０５によって制御される。
【０３１５】
以下、説明を容易にするため、図２２に示すような３台の給紙装置を備えた印刷システム１０００について例示的に説明する。図２の印刷システム１０００は、印刷装置１００に給紙装置５０ａ→給紙装置５０ｂ→給紙装置５０ｃの順で接続されている。この場合のシステム構成内部の状況は、図２３に示すような構成になる。
【０３１６】
図２３は、印刷システム１０００の構成が図２２のシステム構成の場合における印刷システム１０００全体の装置断面図を示す。図２３のシステム内部構成は、印刷装置１００のプリンタ部２０３にシートを供給するために、各給紙装置内部へ供給可能に構成されている。具体的には、図２３に示すが如く、Ｄ点、Ｅ点、Ｆ点を介してプリンタ部２０３へ搬送可能なシート搬送路を備える。
【０３１７】
［大容量給紙デッキの内部構成］
図２４は、図２２〜図２３に例示した、大容量給紙デッキの内部構成断面図である。
【０３１８】
大容量給紙デッキ内部は、シートの搬送経路として、大きく分けて、５つに分かれている。この１例として、図２４に示すが如く、１つは、印刷装置１００へ搬送経路であるバッファパス２４０５である。１つは、エスケープパス２４０１である。１つは、上縦パス２４１０である。１つは、下縦パス２４０９である。１つは、重連パス２４１２である。このように５つのシート搬送路が内部に設けられている。
【０３１９】
なお、図２４の大容量給紙デッキ内部に備える重連パス２４１２は、前段装置からシートを受け取る為の搬送路である。
【０３２０】
大容量給紙デッキ内部に備える上縦パス２４１０は、上段カセットデッキ２４０３から給紙されたシートを搬送するための搬送路である。下縦パスは中段カセットデッキ２４０６及び下段カセットデッキ２４０８から給紙されたシートを搬送するための搬送路である。
【０３２１】
大容量給紙デッキ内部に備えるストレートパス２４０７は、上縦パス２４１０及び下縦パス２４０９から受け取ったシートを後段の装置へ渡す為のシート搬送路である。また、シート処理装置以外から給紙されたシートを、重連パスを通して上流の装置から下流の装置へと搬送する為のユニットである。
【０３２２】
また、大容量給紙デッキ内部に備えるエスケープパス２４０１は、上流の装置に搬送せずに、出力したい場合に用いられる。例えば、後続のシート処理装置でジャムが起こった場合や重送検知手段としての重送検知センサ２４１１により重送が検知された場合に、エスケープパス２４０１にシートを搬送して、エスケープトレイ２４０２からシートを排出する。
【０３２３】
なお、この大容量給紙デッキ内部のシート搬送路にはシートの搬送状況や重送やジャムを検知するのに要する複数のシート検知センサが設けられている。
【０３２４】
また、本実施形態において、重送とは、印刷システム１０００内のシート搬送路上を、印刷システム１０００により処理対象となる２枚以上の印刷媒体（シート又は記録媒体とも呼ぶ）の少なくとも一部が重なった状態で搬送されることを意味する。
【０３２５】
大容量給紙デッキ内部の不図示のＣＰＵは、各センサからのシート検知情報を、コントローラ２０５とのデータ通信を行う為の信号線（図２の給紙装置５０とコントローラ２０５とを電気的接続関係にする信号線）を介して、コントローラ２０５に通知する。コントローラ２０５は、この大容量給紙デッキからの情報に基づき、大容量給紙デッキ内部のシートの搬送状況やジャムを把握する。印刷システムにおいて、この給紙装置と印刷装置１００の間に他の給紙装置がカスケード接続されている場合、その給紙装置のＣＰＵを介して、この大容量給紙デッキのセンサの情報を、コントローラ２０５に通知する構成となっている。
【０３２６】
図１１のエスケープトレイ２４０２は、エスケープパス２４０１から搬送されたシート載置される積載ユニットである。このエスケープトレイ２４０２にはシート満載検知センサが設けられており、大容量給紙デッキ内部の不図示のＣＰＵは、センサによる情報をコントローラ２０５に通知する。コントローラ２０５は、この大容量給紙デッキからの情報に基き、エスケープトレイ２４０２上のシートの積載情報を把握する。
【０３２７】
大容量給紙デッキは、印刷処理に要するシートを収納する給紙ユニットとして、上段カセットデッキ２４０３、中段カセットデッキ２４０６、下段カセットデッキ２４０８（例えば、５０００枚のシートを収納可能）を持つ。各々の給紙ユニットには、各種シートサイズでかつ各種マテリアルのシートを収納可能であり、エアヒータ機能及び捌きファン機能が設けられている。エアヒータ機能ではコントローラ２０５から通知されたシートのマテリアル情報及びカセット内の湿度を基にヒータを付けたり、捌きファン機能ではシートの吸着ファンの風量を調整する。
【０３２８】
［エスケープトレイへの搬送経路］
次に、上段カセットデッキからエスケープトレイへのシートの搬送の流れについて図２４、図２５Ａ〜Ｄ参照しながら説明する。
【０３２９】
例えば、コントローラ２０５が、図７の表示のキー７０１のキー操作により、上段カセットデッキからの印刷処理の実行要求を、ＵＩ部を介してユーザから受付けたとする。この場合、コントローラ２０５は、上段カセットデッキ２４０３からの給紙を制御する。上段カセットデッキ２４０３からにセットされているシート２５０１の最上部にあるシートが、上段デッキ引き抜きローラ２５０２により分離され、上縦パス２４１０に搬送される（図２５Ａ）。上縦パス２４１０に搬送されたシート２５０１が上縦パスローラ２５０３により搬送され、ストレートパス２４０７の入り口へと導かれる。ストレートパス２４０７に搬送されたシートは、重送状態であるかどうか否かを検出すために、重送検知センサ２４１１を用いて重送検出処理が実行される（図２５Ｂ）。
【０３３０】
この重送検出処理では、シート２５０１の厚みを測定し、その測定データを基にしてシート２５０１が重送しているかどうかを判定する。ここでは、重送検知センサ２４１１を基にシート２５０１の厚みを求めて重送を検知できる構成を採用したが、他の重送検知手段でもよい。ストレートパス２４０７上のシート２５０１はストレートパスローラ２５０４により搬送されエスケープパス２４０１とバッファパス２４０５の分岐点まで導かれる。重送検出処理の結果を基に、搬送されてきたシート２５０１が重送しているかどうかにより搬送先を決定する。シート２５０１が重送していたと判断された場合は、エスケープパス２４０１へ導かれる（図２５Ｃ）。エスケープパス２４０１へ搬送されたシートはエスケープローラ２５０５によりエスケープトレイ２４０２の排出口まで導かれる（図２５Ｄ）。エスケープトレイ２４０２の排出口に搬送されたシート２５０１はエスケープ排出ローラ２５０６によりエスケープトレイ２４０２に排出される。
【０３３１】
例えば、図２２のシステム構成にてユーザから印刷実行要求を受付けた処理対象のジョブについて、重送を検知した場合の処理について図２４〜図３０を用いて詳述する。
【０３３２】
まず、印刷装置１００の操作部２０４で、給紙装置５０から出力先をユーザに設定させる。設定終了後に、コピースタートキーがＯＮされたかどうかを判定する（Ｓ２６０１）。Ｓ２６０１では、コピースタートキーがＯＮされるまで待機する。
【０３３３】
コピースタートキーがＯＮされたら、印刷システム１０００のコントローラ２０５から給紙指示を出す。印刷システム１０００のコントローラ２０５は、給紙装置５０から給紙する（Ｓ２６０２）。給紙装置から給紙されたシートはプリンタ部２０３に搬送される。
【０３３４】
搬送されてきたシートが重送状態であるか否かを検出するために、重送検知センサ２４１１を用いて重送検出処理が実行される（Ｓ２６０３）。この重送検出処理では、シートの厚さを測定し、その測定データをもとにしてシートが重送しているかどうかを判定する。ここでは、重送の判定は印刷システム１０００のコントローラ２０５で行っても、不図示の給紙装置内のＣＰＵで行ってもどちらでもよい。
【０３３５】
の重送検出処理の結果、搬送されてきたシートが重送しているかどうかを確認する（Ｓ２６０４）。給紙装置５０から給紙されるシートが重送していると確認されない場合、シートをプリンタ部２０３に搬送する（Ｓ２６０５）。
【０３３６】
Ｓ２６０６で、設定されたジョブが終了し、シートがすべて排出されたかどうかが判定される。Ｓ２６０６で終了していなければ、Ｓ２６０１に戻り、Ｓ２６０６で終了していれば、一連の処理を終了する。
【０３３７】
次に、Ｓ２６０４で、Ｓ２６０３の重送検出処理の結果をもとに、搬送されてきたシートが重送していると確認された場合、図２７のフローチャートに示す処理に移る。なお、この重送が検知された場合、プリンタ部２０３の給紙カセット及び給紙装置５０から給紙されるシートに対する給紙動作及び画像形成動作は中断されている。重送検出処理でシートが重送していると検出した検出結果を基にして、印刷システム１０００のコントローラ２０５は、重送していると検出されたシートがエスケープトレイ２４０２に排出可能かどうかを判断する（Ｓ２７０１）。
【０３３８】
Ｓ２７０１で、重送したシートがエスケープトレイ２４０２に排出可能であると判定された場合、重送枚数判定処理を実行する（Ｓ２７０２）。エスケープトレイ２４０２に排出不可能であると判断された場合、ジャム状態となり装置内を搬送中のシートをすべて取り除くように警告を操作部２０４に表示する（Ｓ２７０９）。
【０３３９】
Ｓ５０４で操作部２０４に所定の表示をした後、ジャムしたシートがすべて取り除かれたかどうかを判定する（Ｓ２７１０）。Ｓ２７１０でジャム処理がすべて終了したと判定された場合、再開シーケンスへ移行する（Ｓ２７１１）。
【０３４０】
Ｓ２７０２の重送枚数判定処理後、既に給紙済みのシートが存在するかどうか確認する（Ｓ２７０３）。既に給紙済みのシートが存在しない場合、重送新枚数判定処理の結果Ｎ枚であれば、重送したシートＮ枚をエスケープトレイ２４０２上に排出される（Ｓ２７０４）。給紙済みのシートが存在する場合、給紙済み枚数判定処理を実行する（Ｓ２７０６）。給紙済み枚数判定の処理の結果Ｍ枚であれば、重送したシートＮ枚及び給紙処理済みシートＭ枚をエスケープトレイに排出する（Ｓ２７０７）。なお、この排出されたシートはユーザに分かりやすくするためにシフトして排出されてもよい。エスケープトレイにシートを排出した後は、再開シーケンスへ移行する（Ｓ２７０５、Ｓ２７０５）。
【０３４１】
さらに、再開シーケンス（以下、リカバリ処理）は、重送検知処理で重送していると検知されたシートをエスケープトレイに排出するとともに、他の給紙装置５０から給紙された後続のシートをすべて排出する処理である。すなわち、重送が検知される直前のページまで遡り排出される。図２８、図２９を用いて重送時のページ処理について詳述する。
【０３４２】
図２８は、印刷システム１０００にて複数枚のシートを搬送中に重送が発生した場合（ただし、重送発生に伴なうジャムの発生は無い場合）の搬送上のシートの一例を示したものである。シートが既にシート処理装置２００にＫ枚排出されており、印刷システム１０００にて搬送上に１０枚のシートが存在する。シート２５０１ａ、シート２５０１ｂはシート処理装置２００内部の搬送路にて搬送中のシートであり、プリンタ部２０３による印刷処理は行われている。シート２５０１ｃは印刷装置１００内部の搬送路にて搬送中のシートであり、印刷処理は実行されていない。シート２５０１ｄ及びシート２５０１ｅは給紙装置５０内部の搬送路にて搬送中のシートである。シート２５０１ｆは３枚の紙が給紙装置５０内の搬送路にて重送している状態のシートである。シート２５０１ｇ、シート２５０１ｈは重送した状態のシートよりも後続の搬送路において搬送中のシートである。
【０３４３】
本実施形態の重送時の重送シート排出処理では、図２９のような制御を行う。シート２５０１ａ、シート５３０１ｂはシート処理装置２００内部からジョブが要求する排出先へ排出する。シート２５０１ｃはプリンタ部２０３にて印刷処理を実行し、ジョブが要求する排出先へ排出する。シート２５０１ｄ及びシート２５０１ｅは印刷装置１００内部に搬送し、印刷を実行しかつジョブが要求する排紙先へ排出する。シート２５０１ｆは３枚の紙は給紙装置５０内のエスケープトレイに排出する。シート２５０１ｇ、シート２５０１ｈは給紙装置５０内のエスケープトレイに排出する。
【０３４４】
このような重送シート排出処理を行うことによって、重送検知後のシートをエスケープトレイに排出することで重送する前の状態から新しくジョブを再現する。
【０３４５】
重送シート排出処理によって排出されるシートがすべて終了したら、印刷装置１００はシートの出力動作を再開するためのリカバリ処理行う（Ｓ３００１）。
【０３４６】
リカバリ処理について図３０及び図６３を用いて説明する。印刷システム１０００のコントローラ２０５は、ジョブ中断設定があるかを判断する（Ｓ３００１）。ジョブ中断設定の情報は、ＨＤＤ２０９又はＲＡＭ２０８に保存されている。
【０３４７】
図６３に示すジョブ中断設定画面は、操作部２０４において、図３４に示すキー３４０１〜３４０３が選択された場合に表示される。コントローラ２０５は、図６３においてＯＮボタン６３０１又はＯＦＦボタン６３０２のいずれが選択されたかをＨＤＤ２０９又はＲＡＭに保存する。
【０３４８】
Ｓ３００１で、ジョブ中断設定有りであると判定された場合、ジョブを中断するか再開するかを選択する警告画面を操作部２０４に表示する（Ｓ３００３）。ジョブ中断設定がなされていない場合は、再開シーケンスへと移行する（Ｓ３００２）。
【０３４９】
Ｓ３００３で操作部２０４に所定の表示をした後、ユーザがジョブ再開キーを押下したかどうかを判定する（Ｓ３００４）。Ｓ３００４でジョブ再開キーが選択された場合、再開シーケンスへ移行する（Ｓ３００５）。ジョブ再開キーではなく中断キーが押された場合は、ジョブを終了させる。ここで、ジョブ再開のために残留シートが残っている場合、後続の給紙装置５０の残留シートをすべてエスケープトレイ２４０２に排出する。リカバリ処理実行後、Ｓ２６０２のステップへと戻り、印刷ジョブを継続する。
【０３５０】
なお、操作部２０４への表示のタイミングとして本実施形態ではリカバリ処理後の実施を例にとり説明したが、重送検知からジョブ開始までの間であれば、本処理の表示タイミングとしては限定されない。
【０３５１】
以上のような制御を行うことにより、給紙装置５０から給紙されたシートが重送した場合に、適切なリカバリ処理を実行することができ、動作を再開させることができる。
【０３５２】
本実施形態における、重送シートの排出先指定方法と重送シート排出の動作について詳細に説明する。
【０３５３】
図２２において、印刷システム１０００は大容量給紙デッキを３つ接続しており、給紙部だけの内部構造を示す図が図３１である。大容量給紙デッキａから給紙されたシートについて重送は重送検知センサ３１０２ａにおいて検知される。その際、排出するエスケープトレイとしてはエスケープトレイ３１０１ａ、エスケープトレイ３１０１ｂ、エスケープトレイ３１０１ｃへの出力が可能である。
【０３５４】
重送シート排出先の設定は、図３２のキー３２０１を操作することにより開始される。キー３２０１を操作することにより、大容量給紙デッキａ、大容量給紙デッキｂいずれかの排紙先を設定するかを選択する画面（図３３）が表示される。大容量給紙デッキｃに関しては、図３１のエスケープトレイ３１０１ｃ以外に排出可能なエスケープトレイが存在しないため、排出設定を行うことはできない。キー３３０１を操作すると、どのエスケープトレイを排出対象トレイとするかを選択する画面（図３４）が表示される。ここでトレイ１（キー３４０１）、トレイ２（キー３４０２）、トレイ３（キー３４０３）のいずれか１つ又は２つ或いは全部を選択することで、それぞれエスケープトレイ３１０１ｃ、３１０１ｂ、３１０１ａのいずれに排出するかを決定する。
以降の説明においてトレイ１という場合は、図３１のエスケープトレイ３１０１ｃを示し、トレイ２は、エスケープトレイ３１０１ｂを示し、トレイ３は、エスケープトレイ３１０１ａを示す。キー３４０１、３４０２、３４０３の操作を行った結果、重送シート排出対象として選択されたトレイのキーは表示が色づけされ、排出対象トレイとしてが明示的に示される。どのエスケープトレイを選択したかの情報は、コントローラ２０５を通じて、ＲＡＭ２０８又はＨＤＤ２０９に格納される。
【０３５５】
重層された印刷媒体である重送シートを排出する制御について図３５のフローチャートを用いて説明する。図２６のジョブ実行制御において、Ｓ２６０４で重送検知した後、図３５の処理を実行する。Ｓ３５０１ではＲＡＭ２０８又はＨＤＤ２０９上の情報を読み出し、エスケープトレイ３１０１ｃを示すキー３４０１が選択されたかを判定する。キー３４０１が選択されているならば、さらにＳ３５０２において、エスケープトレイ１に排紙が可能かどうかの判定を行う。エスケープトレイ１への排紙が可能な場合は、Ｓ３５０３において、排紙先をエスケープトレイ１に設定することをＲＡＭ２０８上に記憶する。Ｓ３５０１でエスケープトレイ１が排紙先として選択されていないか、又は、Ｓ３５０２においてエスケープトレイ１が排紙不可状態であると判定された場合は、次にＳ３５１１に進む。そして、キー３４０２が選択されて、エスケープトレイ２が排紙先として設定されているか判定する。更には、Ｓ３５１２において、排紙可能であるかを同様に判定する。
もしＳ３５１１でキー３４０２の選択が実行されていて、さらにＳ３５１２で排紙可能であると判定されれば、排紙先としてエスケープトレイ２に設定することを同様にＲＡＭ２０８上に格納する（Ｓ３５１３）。Ｓ３５１１及びＳ３５１２でエスケープトレイ２に排紙することができないと判定された場合は、Ｓ３５１４に進む。Ｓ３５１４では、エスケープトレイ３に対応するキー３４０３が選択されたか否かを判定し、キー３４０３が選択されている場合には、ステップＳ３５１５に進む。Ｓ３５１５において、同様にエスケープトレイ３に排紙が可能であるかを判定し、出力可能であれば、Ｓ３５１６においてエスケープトレイ３を排紙先に設定し、その情報をＲＡＭ２０８上に格納する。もし、いずれのトレイにも排紙が不可能であった場合はＳ３５１７において、ジョブを停止し、ジャム状態とした上で操作部に搬送部のシートを全て取り除くよう警告を表示する。搬送部のシートが全部除去されたことをＳ３５１８で検出した場合はＳ３５１９において、ジョブの再開処理を行う。
【０３５６】
Ｓ３５０３、Ｓ３５１３、Ｓ３５１６において、いずれかのエスケープトレイが出力対象であることが決定された場合、Ｓ３５０４において、重送枚数判定処理を行う。Ｓ３５０５においてすでに給紙済みのシートがあるかどうかを判定し、給紙済みのシートがなければ、Ｓ３５０６において、ＲＡＭ上に格納されている排紙先の情報を取得し、決定された排紙先へ重送紙の排紙を行い、Ｓ３５０７においてジョブの再開処理を行う。Ｓ３５０５において、すでに給紙済みのシートがあると判定された場合はＳ３５０８において、給紙済みシート枚数Ｍの判定を行う。ついで重送した枚数Ｎと給紙済みのシートＭをまとめてＲＡＭ上に格納された排紙先の情報に従い排出し（Ｓ３５０９）、Ｓ３５１０において再開処理を行う。重送枚数の判定、給紙済みシートの枚数判定、リカバリ処理の内容は前述のものと同じであるため、説明は割愛する。
【０３５７】
以上のように、本実施形態によれば、例えば、従来で想定したような課題に対処できる。また、例えば、オフィス環境に留まらずＰＯＤ環境にも適応可能な使い勝手の良い便利な印刷環境が構築可能となる。また、例えば、極力、高い生産性でもってシステムを動作させたいといったニーズや、極力、オペレータの作業負荷を軽減したいといったニーズ等、ＰＯＤ等の印刷環境における実際の作業現場のニーズにも対処可能となる。すなわち、給紙装置内で重送が起こった場合の重送シートの排出先として複数のエスケープトレイを選択することが可能となり、システムの印刷継続性を向上させることができる。
【０３５８】
（第２実施形態）
本発明の第２実施形態としての印刷システム１０００の制御について図３６乃至図３８を用いて詳細に説明する。第１実施形態として説明した図３５のフローチャートについては、大容量給紙デッキａで検知した重送シートの排出先について、給紙トレイの選択順序をエスケープトレイ１→エスケープトレイ２→エスケープトレイ３の順番で検索している。つまり、第１実施形態では、図３４で排出先候補として選択したトレイの中から最も印刷装置に近い方（ここでは、大容量給紙デッキｃ）のエスケープトレイから優先的に使用する。これは、大容量給紙デッキａのみから給紙を行うと仮定した場合に、最も印刷継続性が高くなるという前提のためである。ところが、このシーケンスで制御すると、大容量給紙デッキｃのエスケープトレイ３１０１ｃはシートが満載になる確率が上がってしまうことになる。エスケープトレイ３１０１ｃが満載の状態で大容量給紙デッキｃから給紙するジョブが投入されれば、エスケープトレイフルにより、ジョブが停止してしまう確率があがってしまう。また、図３５の制御では、重送シートをエスケープトレイに出力するまでのシート搬送パスが長くなる。
【０３５９】
そこで本実施形態では、シート搬送パスを短くして生産性をより高めるという目的のもとで、検索順序を用紙の搬送パス長の短い順にエスケープトレイを選択する。なお、他の構成及び作用については、上記第１実施形態と同様であるため、ここではその説明を省略する。
【０３６０】
図３６はコピージョブ実行時のフローチャートである。図２６のフローチャートと基本的には同じであるため、同じ処理については同じ符号を付して説明を省略する。
ここでは、重送発生後にＳ３６０４において、速度優先設定であるかの確認を行う。重送シート排出先設定画面（図３４）において、キー３４０４が選択されると図３８の画面を操作部２０４に表示する。ここでキー３８０１、又はキー３８０２のいずれかが選択される。デフォルトでは印刷継続性優先設定されており、選択された設定がわかるように明示的にキー３８０１の色を変更している。これに対し、キー３８０２が選択されると、印刷速度を優先する設定となり、その設定をＲＡＭ２０８又はＨＤＤ２０９に記憶する。キー３８０１とキー３８０２は排他的に操作可能であり、片方のキー操作を行うと、他方のキー操作は非実行状態となる。ここでどちらの操作が行われ、どちらの設定が選択されたかをＲＡＭ２０８又はＨＤＤ２０９上に記憶する。コントローラ２０５は、図３４などの重送シート排出先設定画面を、操作部２０４に表示させ、その設定内容を、ＲＡＭ２０８又はＨＤＤ２０９上に記憶することにより、重送排出先設定手段として機能する。
【０３６１】
ステップＳ３６０４でＲＡＭ２０８又はＨＤＤ２０９上から情報を読み出し、印刷継続性優先設定となっていれば図３５のＳ３５０１に進む。図３５の制御の流れは既に第１実施形態で説明済みであるのでここでは割愛する。印刷速度優先の設定がされていれば、Ｓ３６０４から図３７のステップＳ３７０１に進む。図３７のフローチャートでも基本的な流れは図３５と同じであるため、同じ処理については同じ符号を付して説明を省略する。排シート先検出順序がＳ３７０１、Ｓ３７１１、Ｓ３７１４において、エスケープトレイ３→エスケープトレイ２→エスケープトレイ１の順番で検索されることが印刷継続性優先設定とは異なる動作となる。
【０３６２】
このように速度優先の設定ができる構成として、速度優先設定時に、トレイの優先選択順を変更すれば、よりユーザにとって使い勝手の良い印刷システムを提供できる。つまり、重送シートの搬送パスが短くなるように重送シートの排出先を設定することが可能となり、リカバリ処理までかかる時間を短縮することで、印刷システムの生産性を向上させることができる。
【０３６３】
（第３実施形態）
本発明の第３実施形態としての印刷システム１０００の制御について図３９〜４２を用いて詳細に説明する。印刷システム１０００の構成及び基本的な制御などは第１の実施の形態と同様であるので、異なる箇所についてのみ説明する。
【０３６４】
検索順位設定を行うためには、操作部２０４のキーのユーザ設定から図３２で図示されたキー３２０１の操作により開始される点は前述と変わりがなく、各給紙デッキの排出先設定からの動作が異なる。本実施形態においては、上述の実施形態と異なり、キー３３０１の操作後に図３９のような画面を操作部２０４に表示する。画面表示後、キー３９０２、３９０３、３９０４のいずれかを操作し、重送シート排出対象トレイを決定する。この操作では、複数のトレイを選択することも単一のトレイを選択することも可能である。排シート対象となったトレイのキーは明示的に色分けして表示される。キー３９０２、３９０３、３９０４を操作した結果、重送シート排出対象となったトレイ数の情報は、ＲＡＭ２０８又はＨＤＤ２０９上に格納される。排出トレイ選択後、キー３９０１を操作すると、検索順位設定画面（図４０）を操作部２０４に表示する。
【０３６５】
図４０の画面では、トレイ１、トレイ２、トレイ３の３つのキーが表示されているが、このキー表示は前述したキー３９０２、３９０３、３９０４の何れを操作したかによって異なる。ここではキー３９０２、３９０３、３９０４を全て選択したものとして説明する。この表示順序は特定の法則にしたがって初期値として設定された優先度に応じて表示され、前述の印刷継続性優先設定の排紙順にしたがっている。しかし印刷速度優先の設定に従うか、対象エスケープトレイを選択した順序に表示してもよい。キー４００３を選択し優先度を変更するトレイを選択した後、キー４００４を選択することで、トレイ３の検索優先度を上げることができる。キー４００５は、現在トレイ３の優先順位が最も低いため、選択することはできない。キー４００４を選択した結果として、図４１の画面がを操作部２０４に表示される。キー４１０１が選択された後、さらにキー４１０２が選択されると、トレイ３の優先順位がもっとも高くなる。検索順序としては、トレイ３から、次いでトレイ１、トレイ２の順番で検索優先順位が決定される。ここでキー４１０４を選択することで、検索優先順位の設定は終了し、トレイ検索の優先順位に関する情報がＲＡＭ２０８上又はＨＤＤ２０９上に蓄積される。なお、図３９で、キー３９０２、３９０３、３９０４のうちの２つのみが選択されている場合には、図４０にも、選択された２つのボタンのみを表示し、その優先順位を決める制御とする。図３９で、キー３９０２、３９０３、３９０４のうちの１つのみが選択されている場合には、キー３９０１は選択不可能であり、図４０も表示されない。
【０３６６】
ジョブの実行制御は図２６のフローチャートに従うが、重送検知後の処理が異なる。以下では重送検知後の重送シート排出制御について図４２のフローチャートを用いて説明する。重送検知後、排出対象トレイの情報をＲＡＭ２０８又はＨＤＤ２０９より読み出し、最大何箇所に出力可能かを判別し、その数をＸとし、ＲＡＭ上に格納する（Ｓ４２０１）。その後、検索済みトレイ数として、ＹをＲＡＭ上に確保する（Ｓ４２０２）。Ｓ４２０３において、検索対象トレイ数Ｘと検索済みのトレイ数Ｙを比較し、ＸとＹが等しい、或いはＸよりＹが大きければ検索が終了する。排シート先として選択されているエスケープトレイが全て使用できないため、Ｓ４２１２においてジャム警告表示を操作部２０４に行う。ジャム警告後の動作は前述のものと変わりが無いので説明は割愛する。
ＸがＹより大きければ、Ｙの値を１インクリメントし、検索済みトレイ数をこの時点でカウントアップする（Ｓ４２０４）。Ｓ４２０５では、前述のキー４１０４を選択した際にＲＡＭ２０８又はＨＤＤ２０９上に格納された優先順位設定を参照し、第Ｙ番目に優先するトレイ情報を取得する。次いでＳ４２０６において、第Ｙ優先のエスケープトレイに出力可能であるかを判定する。出力不能であると判定された場合は、Ｓ４２０３まで戻り、順次優先順位を下げてトレイの検索を行い、排出可能なエスケープトレイが見つかるか、検索済みトレイの数と排シート対象となったトレイ数が等しくなるまで繰り返す。排出可能なエスケープトレイが見つかった場合はＳ４２０８に移行し、以後の処理は前述の図３５のフローチャートの処理と等しいため説明は割愛する。
【０３６７】
本実施形態により、排紙トレイに優先順位をつけて排紙先を決定することが可能となる。つまり、排出対象とするエスケープトレイに優先順位を設定することができ、優先順位に従った排紙先に排出することが可能となる。言い換えれば、給紙装置内で重送が発生した場合の出力先として、複数のエスケープトレイを選択することが可能となり、出力するエスケープトレイの選択順序に優先順位をつけることができる。
【０３６８】
（第４実施形態）
本発明の第４実施形態としての印刷システム１０００の制御について図４３〜図４７を用いて詳細に説明する。印刷システム１０００の構成及び基本的な制御などは第１の実施の形態と同様であるので、異なる箇所についてのみ説明する。
【０３６９】
複数のジョブが投入可能な環境においては、印刷ジョブ１、印刷ジョブ２が同じ給紙装置を使用するようなケースがある。そのような環境下において、給紙装置内で重送を検知した場合に給紙装置の内部では、図４３のような状態となる場合がある。４３０２ａがジョブ１で使用されるシート群、４３０２ｂがジョブ２で使用されるシート群である。本実施形態は、給紙装置内に給紙されたシートが複数のジョブにまたがった場合に、ジョブ毎に排紙先を分けることを可能とする。以下、図２３における給紙デッキａから印刷ジョブ１と印刷ジョブ２に対して給紙を行い印刷ジョブ１の用紙について重送を検知した場合の例を説明する。
【０３７０】
ジョブ毎の排紙トレイを分ける設定は、操作部２０４に表示されるユーザ設定によって設定を行う。操作部２０４に表示される、図３４の画面からキー３４０４を操作すると図４４の画面が表示される。さらにキー４４０１を選択することでジョブ毎に排出先を切り替える設定がＯＮになり、逆にキー４４０２を選択することでジョブ毎に排出先を切り替える設定はＯＦＦになる。キー４４０１又はキー４４０２は排他的に選択可能となる。キー４４０１、４４０２が選択された結果は、ＲＡＭ２０８上、又はＨＤＤ２０９上に記憶する。キー３４０１、キー３４０２、キー３４０３を操作した結果、選択した排出対象のトレイについても同様にＲＡＭ２０８上、又はＨＤＤ２０９上に記憶する。
【０３７１】
ジョブ実行制御は図４５のフローチャートに従う。図４５において、基本的な処理については、図２６と変わらないが、重送検知後、図４６のフローチャートに処理が移る。重送検知後、まずＲＡＭ上の情報を読み出して、前述のキー４４０１が選択されたかどうかの判別を行う（Ｓ４６０１）。もしキー４４０１が選択されていれば、ジョブ毎にエスケープトレイを切り替える設定になっていると判別する。もしキー４４０１が選択されておらず、ジョブ毎のトレイ切替設定になっていない場合は、印刷継続性優先設定か、印刷速度優先設定かに応じて図３５のＳ３５０１又は図３７のＳ３７０１に進み、通常の重送紙排出処理を行う。
【０３７２】
一方、ジョブ毎排紙先切替設定がＯＮの場合、給紙済みジョブ数の取得を行う（Ｓ４６０２）。給紙済みジョブの数をＸし、Ｘが１かどうかの判定を行う（Ｓ４６０３）。Ｘが１の場合、つまり現在給紙デッキ内部に存在する重送シートとして排出されるべきシートが全て１つのジョブに対する給紙である場合は図３５のＳ３５０１に進み通常の重送シート排出処理を行う。
【０３７３】
次いで、排紙先決定ジョブ数Ｙを０として初期化する（Ｓ４６０４）。そしてＸとＹが同じ値、つまり給紙済みのジョブ全てに対して出力する排出トレイを決定するまでの間、以下の処理を繰り返す（Ｓ４６０５）。まず、未処理の給紙済みジョブの情報を１件ＲＡＭ上から読み出し、そのジョブに対する排出先を排出対象となっているトレイに設定する。そのジョブについては処理済みとし、さらにここで設定したエスケープトレイは使用済みである設定し、その情報をＲＡＭ２０８上に蓄積する（Ｓ４６０６）。Ｓ４６０７で、処理済みジョブ数Ｙを１増加する。ここで未使用の排紙対象トレイがあればさらにＳ４６０５に戻り、次のジョブについて排出先の設定を行う（Ｓ４６０８）。もし未使用の排出対象トレイが無くなりさらに未処理給紙済みジョブがあれば（Ｓ４６０９）、排出可能なエスケープトレイの候補数が給紙済みのジョブ数より多いため、ジョブ毎の分割出力ができないということになり、にて通常の排紙処理を行う。
【０３７４】
ここでは処理継続のため、通常の排出処理に戻ることにしたが、これ以降処理するジョブは全て特定のトレイに出力するか、ジョブを停止状態にすることとしてもよい。上記処理を繰り返し、全ての給紙済みジョブに関して出力先が決定した後、図４７のフローチャートに進み排出処理を行う。
【０３７５】
排出処理について図４７を用いて説明する。ますＳ４７０１において重送シートの枚数Ｎを取得する。さらにＳ４７０２において処理済みシート枚数を０として初期化する。次いで給紙済みシートが給紙装置内に存在するかどうかのチェックを行う（Ｓ４７０３）。給紙済みシートがあれば給紙済みシートの枚数Ｍを取得（Ｓ４７０４）し、存在しなければＭ＝０として（Ｓ４７０５）処理を継続する。以後、処理済シート枚数が重送シート枚数より小さい場合に、以下の処理を繰り返す（Ｓ４７０６）。まず処理対象の先頭の給紙済みシートに対するジョブ情報をＲＡＭ上から読み出して取得する（Ｓ４７０７）。ついで取得したジョブ情報から排紙トレイ情報を識別し、設定された排出先に排出する（Ｓ４７０８）。排出した重送シート枚数分だけ処理済み枚数をカウントアップし、Ｓ４７０６に戻る。これを処理済シート枚数と重送シートとして処理する枚数分繰り返すことで排出処理は完了する。
【０３７６】
以上のような第４実施形態により、印刷ジョブ毎に重送シートを異なる排出先に排出することが可能となる。つまり、給紙装置内で重送が発生した場合の出力先として複数のエスケープトレイが選択可能となり、ジョブ単位での排出先の仕分けが可能となる。
【０３７７】
（第５実施形態）
本発明の第５実施形態としての印刷システム１０００の制御について図４８〜図５１を用いて詳細に説明する。印刷システム１０００の構成及び基本的な制御などは第１の実施の形態と同様であるので、異なる箇所についてのみ説明する。
【０３７８】
本実施形態では操作部２０４に表示される画面（図４８及び図４９）からサイズ別の出力先設定を行う。操作部２０４に表示される図３４の画面でキー３４０４が選択されると、まず図４８の画面が操作部２０４に表示される。ここでキー４８０１が選択されると、さらに操作部２０４に図４９の画面が表示される。用紙サイズのリスト４９０１から、１つの用紙サイズを選択し、キー４９０２〜４９０４のいずれかを選択することで、各エスケープトレイに排出する用紙サイズを選択する。この画面上に表示される、排出対象のエスケープトレイは、キー３４０１、３４０２、３４０３のいずれが選択されたかにより変化する。また、エスケープトレイ３にＡ４サイズを排出する設定を行った上で、画面３４上でキー３４０１を選択し、排出対象外とした場合は、４９０１のリスト上にＡ４サイズの設定は戻り、未設定状態に戻る。ここで４９０５〜４９０７は各トレイに出力する用紙サイズのリストであり、キー４９０２〜４９０４の選択結果はここに反映される。設定後、キー４９０８を選択することで、サイズ別出力トレイ指定情報はＲＡＭ２０８上又は、ＨＤＤ２０９上に蓄積される。
【０３７９】
ジョブ制御の実行フローは図５０に従う。フロー自体は図２６の処理と同様であるが、重送検知後の処理が図５１のフローチャートのように変わる。重送検知後の処理について、図５１のフローチャートを用いて説明する。まず、用紙サイズ別に出力設定されていないシートを排紙するトレイを決定する（Ｓ５１０１）。このトレイの選び方としては、搬送パスの近い順が設定されるが、最も用紙サイズ別の出力数が少ないトレイとしてもよい。ついで、未出力のシートが存在する間、以下の処理を繰り返す（Ｓ５１０２）。まず、給紙済みの未出力重送シートの先頭のシートの情報を取得する（Ｓ５１０３）。取得したシートの情報からサイズ情報を読み出し、サイズ情報で取得したシートのサイズが前述した用紙サイズ別に出力先が登録されているかどうかを、ＲＡＭ２０８上から情報を取得して調べる（Ｓ５１０４）。もしサイズ別出力設定されていれば、シートの出力先を指定されたトレイに設定する（Ｓ５１０５）。もし設定されていなければ、指定なしサイズの出力先に設定する（Ｓ５１０６）。指定された出力先に出力可能であるかをチェックし（Ｓ５１０７）、出力可能であればＳ５１０８においてシートを出力する。もし出力不可状態であれば、Ｓ５１０９において、操作部２０４上にジャム警告を表示し、ジャム処理完了（Ｓ５１１０）まで待ち、ジャム処理完了後に再開処理を行う（Ｓ５１１１）。以上の処理を繰り返し、全重送シートを出力完了後、Ｓ５１１２において再開処理を行う。再開処理の内容については、前述と変わりが無いため、説明を省略する。
【０３８０】
本実施形態により、サイズ別に重送シートの排出先を設定することができる。つまり、給紙装置内で重送が発生した場合に、用紙サイズに応じて出力するエスケープトレイを変更することが可能となる。
【０３８１】
（第６実施形態）
本発明の第６実施形態としての印刷システム１０００の制御について図５２〜図５４を用いて詳細に説明する。印刷システム１０００の構成及び基本的な制御などは第５の実施の形態と同様であるので、異なる箇所についてのみ説明する。
【０３８２】
メディアタイプ別の出力先設定は、操作部２０４に表示されるユーザ設定によって設定を行う。操作部２０４に表示される、図３４の画面からキー３４０４を選択すると図４８の画面が操作部２０４に表示される。ここでキー４８０２が選択されると、さらに操作部２０４に図５２の画面が表示される。ここでメディアタイプリスト５２０１上で出力したいメディアタイプを選択し、キー５２０２を選択すれば、エスケープトレイ１出力対象リスト５２０５に登録される。もしキー５２０３が選択されるとエスケープトレイ２出力対象リストに登録され、キー５２０４が選択されると、エスケープトレイ３出力対象リストに登録される。登録後、キー５２０８を選択することで、設定情報がＲＡＭ２０８又はＨＤＤ２０９に登録される。
【０３８３】
ジョブの制御フローについては、図５３のフローチャートに従い、Ｓ５３０４にて重送検知後の動作が図５４となる。重送シート検出後の排出動作について図５４のフローチャートを用いて詳述する。まず指定なしメディアの排出先を一意に設定する（Ｓ５４０１）。この際の選択順序としては、もっとも搬送パスの短くなるエスケープトレイを選択するが、特定トレイを指定するか、メディア別の登録数が少ないトレイを選択するなどの基準により選択してもよい。その後、未出力のシートが給紙装置内部に存在する間、以下の動作を継続する（Ｓ５４０２）。まず先頭の未出力シートの情報を取得する（Ｓ５４０３）。そのシート情報よりメディアタイプを判別し、各エスケープトレイ出力対象リストをＲＡＭ上より読み出し、もしメディアタイプ別出力設定されているかどうかを照合する（Ｓ５４０４）。もしメディア別出力設定されていれば先頭シートの出力先を出力対象トレイに設定する（Ｓ５４０５）。それ以外の場合は指定なしメディア出力先に設定する（Ｓ５４０６）。次に先頭シートの出力先として設定されたトレイが排出可能かどうかのチェックを行い（Ｓ５４０７）排出可能であれば先頭のシートを排出し（Ｓ５４０８）、次のシートを処理する。もし出力不可状態であれば、Ｓ５４０９において、操作部２０４上にジャム警告を表示し、ジャム処理完了（Ｓ５４１０）まで待ち、ジャム処理完了後に再開処理を行う（Ｓ５４１１）。以上の処理を繰り返し、全重送シートを出力完了後、Ｓ５１１２において再開処理を行う。再開処理の内容については、前述と変わりが無いため、説明を省略する。以上の処理を未出力シートが存在する間継続し、未出力シートが無くなったらＳ５４１２で再開処理を行う。
【０３８４】
本実施形態により、メディアタイプ別に重送シートの排出先を設定することができる。つまり、給紙装置内で重送が発生した場合の出力先として、複数のエスケープトレイが選択可能となり、特にメディアタイプに応じてエスケープトレイを変更することが可能となる。
【０３８５】
（第７実施形態）
本発明の第７実施形態としての印刷システム１０００の制御について図５５を用いて詳細に説明する。印刷システム１０００の構成及び基本的な制御などは第５実施形態と同様であるので、異なる箇所についてのみ説明する。
第５及び第６実施形態で述べた、サイズ別及びメディアタイプ別の出力設定は同時に設定することも可能であり、その際の動作として、出力先判定時に優先順位をつけることも可能である。優先順位設定は、操作部２０４に表示される図４８の画面上で行われる。キー４８０４若しくは４８０５が選択され、優先順位を変更したい場合にはキー４８０６、４８０７が選択され、優先順位を決定する。優先順位決定はキー４８０３が選択されると完了し、その時点での設定をＲＡＭ２０８上、又はＨＤＤ２０９上に記憶する。
【０３８６】
重送検知後の動作について図５５のフローチャートを用いて詳述する。まず用紙サイズ別設定及びメディアタイプ別設定が存在するか否かを確認する（Ｓ５５０１、Ｓ５５０２、Ｓ５５０９）。もしこの時点で両方とも設定がなければ、通常の排出処理を行う。もしどちらか片方のみが設定されていれば、用紙サイズ別出力（Ｓ５５０７）及びメディアタイプ別出力を行う（Ｓ５５１４）。サイズ別出力設定及びタイプ別出力設定が同時に設定されていれば、給紙済みのシート情報を取得する（Ｓ５５０３）。全シート情報から複数のメディアタイプが給紙されていて（Ｓ５５０４）、さらに複数の用紙サイズ給紙されていれば（Ｓ５５０５）、前述の優先順位情報をＲＡＭ上から読み出す（Ｓ５５０６）。優先順位が用紙サイズ別設定優先であれば、Ｓ５５０７にて用紙サイズ別排出を実行する。メディアタイプ別設定優先であれば、Ｓ５５０８にてメディアタイプ別排出を実行する。Ｓ５５０４において、複数の用紙タイプが給紙されていない場合はＳ５５１１にて複数の用紙サイズが給紙されているかを調べる。重送シートとして給紙済みの用紙が単一サイズでありかつ単一のメディアタイプである場合は、Ｓ５５１３において通常の排出処理を行う。もし複数の用紙サイズのみが給紙されていれば、Ｓ５５１２において用紙サイズ別排出を実行する。用紙サイズ別排出、メディアタイプ別排出の詳細はそれぞれ第４及び第５実施形態ですでに説明済みであるので、説明は省略する。
【０３８７】
本実施形態によれば、第５実施形態と第６実施形態の効果を同時に得ることができる。
【０３８８】
（第８実施形態）
本発明の第８実施形態としての印刷システム１０００の制御について図５６〜図６２を用いて詳細に説明する。印刷システム１０００の構成及び基本的な制御などは第１実施形態と同様であるので、異なる箇所についてのみ説明する。
【０３８９】
印刷システム１０００では、複数の給紙装置に同じ用紙がセットされている場合に、用紙サイズ「自動」として投入された印刷ジョブについては、ＡＰＳ（オートペーパーセレクト）動作を行う。このＡＰＳ動作は、投入された印刷データに対して、最も適切なシートを給紙装置にセットされているシートの中より選択する機能である。つまり、この場合、コントローラ２０５は、実行指示を受けた印刷ジョブに対して最適な印刷媒体を自動的に検索する検索手段として機能する。
【０３９０】
通常、このＡＰＳ動作は生産性向上のため、用紙の搬送パスが短い給紙装置を優先して使用する。しかしながら、給紙装置の特性により、重送が起こりやすい給紙装置がもっとも搬送経路が短い条件に合致した場合においては、重送シートの排出にかかる時間が増えてしまい、結果的に生産性が低下することが懸念される。一方、印刷装置から遠い給紙装置は、複数のエスケープトレイを使用することが可能である。そのため、給紙に使用される給紙装置自体のエスケープトレイがトレイフル状態になっても、下流の給紙装置のエスケープトレイに出力が可能となり、エスケープトレイフルによるジョブの中断が発生しにくくなる。結果として、生産性の向上が見込める。本実施形態では、重送シートの排出先設定に応じて、給紙装置を切り替える印刷システムについて以下に述べる。
【０３９１】
重送シートの排出設定に応じて給紙デッキを切り替えるためには、操作部２０４上に表示される、ユーザ設定画面（図５６）上において、キー５６０１を押下することにより、設定を行う。キー５６０１押下後、図５７の画面が表示される。キー５７０１、キー５７０２の操作のいずれかを行い、「印刷速度優先モード」か、「印刷継続性優先モード」かを選択する。この２つのモードは排他的に選択可能であり、選択されているモードのキーは明示的に色を変えて表示させる。モード選択後、キー５７０８が押下された時点で選択されていたモードがＲＡＭ２０８上に情報として蓄積される。
【０３９２】
ジョブ制御動作は、図５８のフローチャートに従う。Ｓ２６０１において、コピースタートキーが押下されるまで待ち、コピースタートキー押下後、Ｓ５８０２において、使用する給紙装置の決定処理を行う。
【０３９３】
使用する給紙装置の決定処理は図５９のフローチャートに従う。まず接続されている全給紙装置情報を取得する（Ｓ５９０１）。この給紙装置情報には、各給紙装置から給紙可能なシートのサイズ、シートのメディアタイプ、各給紙装置に出力先として設定されているエスケープトレイの情報などを含む。次に、取得した給紙装置の情報を参照し、最適な用紙が存在するかどうかを検索する（Ｓ５９０２）。もし全ての給紙装置に最適なサイズがなければ、最適用紙なしの警告を操作部２０４上に表示する（画面例：図６０）。その後、警告画面上で中止キーが押下された場合はジョブの実行をキャンセルする（Ｓ５９１０、Ｓ５９１２）。この時点で画像形成が行われていれば、画像データを破棄する。
【０３９４】
中止キーが押下されなければ、給紙装置の状態が変化したかを調べ（Ｓ５９１１）、給紙装置の状態が変化していれば、最適用紙がセットされたかの検索を再度行う（Ｓ５９０２）。もし変化していなければ中止キーが押下されるまで待機する。
もし１つ以上の給紙装置に最適用紙がセットされていた場合は、Ｓ５９０３において、ＲＡＭ上の情報を参照し、印刷速度優先モードが選択されているかどうかのチェックを行う。もし印刷速度優先モードに設定されていた場合は、もっとも搬送パスの短くなる給紙装置を選択する（Ｓ５９０６）。
【０３９５】
もし印刷継続性優先モードに設定されていた場合は、さらに給紙装置情報を参照し、最適用紙を給紙することが可能な給紙装置中で最も多く出力トレイの候補が設定された給紙装置を選択する（Ｓ５９０４）。複数の給紙装置がこれに該当する場合（Ｓ５９０５）には、該当する給紙装置の中から最も搬送パスの短い給紙装置を選択する（Ｓ５９０７）。複数の該当する給紙装置がなければ、Ｓ５９０８において最も多く出力トレイの候補が設定された給紙装置を選択する（Ｓ５９０８）。
【０３９６】
以降のジョブの制御手順や、重送シートの排出制御については、すでに説明済みであるので、ここでは説明を割愛する。
【０３９７】
［重送検知回数を考慮した給紙装置選択］
上で述べた印刷システムにおいては、印刷システムの印刷継続性をもっとも高くするための給紙装置選択について述べたが、頻繁に重送が起こるトレイがあった場合においても、他の給紙装置と区別せずに使用していた。重送が発生すると、重送シートの排出及びリカバリ処理を実行するため、印刷速度がわずかながら低下してしまう。もし重送が頻繁に起こる給紙装置からの給紙を継続すると、印刷システムの生産性が落ちてしまうため、好ましくない。このような場合には、重送シートを給紙する給紙装置をなるべく選択しないことで生産性を保つことができる。この前提として、コントローラ２０５は、重送が発生した発生回数を給紙装置ごとにカウントしている。
【０３９８】
重送回数に連動した給紙装置選択を行う場合は、ユーザ設定画面（図５７）上のキー５７０３を行うことで設定することができる。キー５７０３及び５７０４は排他的に選択可能であり、５７０５は自動給紙装置選択の際に、優先順位を落とす重送回数の閾値を表示する。この閾値は、キー５７０６又はキー５７０７を操作することで、増減が可能である。キー５７０８が選択されると、ＲＡＭ上に重送回数連動給紙装置選択を行う点、とその閾値を記憶する。
【０３９９】
ジョブ実行の制御を図６１のフローチャートを用いて説明する。Ｓ２６０１において、コピースタートキーが押下されるまで待ち、コピースタートキー押下後、Ｓ６１０２において、給紙装置の重送回数初期化を行う。その後、Ｓ６１０３で給紙を行う給紙装置を決定し、印刷ジョブを実行する。もし重送が発生したら（Ｓ２６０４）、Ｓ６１０９にて重送が発生した給紙装置の重送回数を１増加させ、重送シートの排出処理を行う。
【０４００】
使用給紙装置の決定処理について図６２のフローチャートを用いて説明する。全給紙装置の情報取得後（Ｓ６２０１）、重送回数オーバーの給紙装置があるかの判定を行う（Ｓ６２０２）。もし重送回数オーバーの給紙装置があった場合は、給紙装置の情報を参照し、重送回数の閾値をオーバーした給紙装置にのみ、最適用紙があるかを調べる。もし重送回数オーバーした給紙装置にのみ最適用紙があるならば、その給紙装置を選択する。もし他の給紙装置からでも給紙可能なようであれば、重送回数オーバーの給紙装置を給紙不可状態に一時的に設定する（Ｓ６２０４）。Ｓ６２０５では、給紙可能な給紙装置のみを検索対象とし、以降の処理も全て検索対象は給紙可能な給紙装置のみを対象とする。これ以降の給紙選択処理は、すでに説明したものと同等であるので、説明は割愛する。
【０４０１】
本実施形態により、重送シート排出設定と連動させて給紙装置を自動的に選択することが可能となる。つまり、重送シートの排出設定にしたがって、ユーザの設定に応じて給紙装置を自動的に切り替えて生産性を向上させることができる。また、重送回数によって、給紙装置を自動的に切り替えることが可能となる。
【０４０２】
（第９実施形態）
本発明の第９実施形態としての印刷システム１０００の制御について図６４〜図６６を用いて詳細に説明する。印刷システム１０００の構成及び基本的な制御などは第１の実施の形態と同様であるので、異なる箇所についてのみ説明する。
【０４０３】
第８実施形態においては、ユーザに重送シートの排紙先の設定にＡＰＳ動作を連動させて生産性を重視するか、速度を重視するかの切替を行う例を示した。しかしながら、大規模な印刷システムにおいては、印刷ジョブの実行速度よりも印刷ジョブが停止せずに印刷を継続することを優先する。そのため、重送シートの排紙先設定をＡＰＳ動作に反映させるかどうかのみをユーザ操作によって選択し、ＡＰＳ動作の動作モードについては、常に印刷継続性を優先したＡＰＳを行うことも考えられる。そのような場合について以下に図を用いて詳述する。
【０４０４】
重送シート排出設定に応じて給紙装置を切り替える設定を行うためには、操作部２０４上に表示される、ユーザ設定画面（図３２）より、キー３２０１を選択する。キー３２０１を選択すると、重送シート排出先設定画面（図６４）が表示され、そこでキー６４０１を押下することにより、図６５の画面が表示される。ここでキー６５０１が選択された場合は、重送シート排出設定に応じて給紙装置を切り替える設定がＯＦＦになり、逆に、キー６５０２が選択された場合は重送シート排出設定に応じて給紙装置を切り替える設定がＯＮになる。キー６５０１及び６５０２は排他的に動作する。設定後、キー６５０３を押下することにより、キー６５０１又はキー６５０２のいずれが選択されたかの情報がＲＡＭ上に蓄積される。
【０４０５】
ジョブ実行の制御については第８実施形態と同様である。そこで、差分である、使用給紙装置の決定処理（Ｓ５８０２）のみ説明する。使用給紙装置の決定処理は、図６６のフローチャートに従う。まず、ＲＡＭ上から、キー６５０１又は６５０２のいずれが選択されたかを取得する（Ｓ６６０１）。キー６５０１が選択されていた場合は、オペレータから指示された給紙源を給紙部として使用する（Ｓ６６０９）。キー６５０２が選択されていた場合は、接続されている給紙装置の情報をＲＡＭ上から取得し、各給紙装置にセットされているシートの情報を全て取得する。取得した情報から、印刷ジョブを実行するために利用可能な給紙部が複数あるかどうかを判別する（Ｓ６６０２）。利用可能な給紙部が複数存在しなければ、一意に決定される、利用可能な給紙装置の給紙部を給紙源として選択する（Ｓ６６０８）。
【０４０６】
給紙源となりうる選択候補の給紙部が複数存在する場合は、ステップＳ６６０２からステップＳ６６０３に進み、その複数の給紙部に、複数の排出先を選択可能に構成された給紙装置（上流側給紙装置）の給紙部が含まれているか否かを判定する。本実施形態では、給紙装置５０ａ、５０ｂは、複数の排出先に重送シートを排出できる構成となっているので、ここでいう上流側給紙装置に該当する。一方、給紙装置５０ｃや、印刷装置１００本体内の給紙部は、ここでいう上流側給紙装置には該当しない。上流側給紙装置の給紙部が含まれていればステップＳ６６０４に進み、含まれていなければステップＳ６６０７に進む。ステップＳ６６０７では、複数の給紙源の選択候補の内、上流側の給紙装置の給紙部以外の、搬送系路が最も短い給紙源に該当する給紙装置の給紙部を処理対象のジョブの給紙源として自動選択して印刷処理を開始させる。
【０４０７】
一方、ステップＳ６６０４では、重送排出先についての設定が予めオペレータによりなされているか否かをＲＡＭ等を参照して判定する。オペレータによる設定がなされていない場合には、ステップＳ６６０７に進む。オペレータによる設定がなされている場合には、ステップＳ６６０５に進み、上流側給紙装置に発生対象の重送紙の排出先が複数設定されているかを判定する。複数設定されていなければステップＳ６６０７に進む。複数設定されていれば、ステップＳ６６０６に進み、上流側給紙装置の給紙部を処理対象のジョブの給紙源として自動選択して印刷処理を開始させる。
【０４０８】
本実施形態によれば、ユーザに設定を意識させることなく、ＡＰＳと重送シート排出設定を連動させて、給紙装置を選択することが可能となり、印刷システムの印刷継続性を向上させることができる。つまり、ユーザの重送シート排出設定に応じてＡＰＳ動作を最適化することができ、生産性を向上させることができる。
【０４０９】
（第１０実施形態）
本発明の第１０実施形態としての印刷システム１０００の制御について図６７〜図６８を用いて詳細に説明する。印刷システム１０００の構成及び基本的な制御などは第１の実施の形態と同様であるので、異なる箇所についてのみ説明する。
【０４１０】
第８及び第９実施形態においては、重送シート排出先の設定に応じてＡＰＳ動作の切替を行う例について示した。ＡＰＳと似た動作として、用紙無し時に自動的に給紙部を切り替える、ＡＣＣ（オートカセットチェンジ）がある。ＡＣＣ動作もＡＰＳ動作同様、通常の設定ではシートの搬送経路が最も短くなる給紙部を優先して選択する。しかしながら、印刷の継続性を向上させる点では、搬送経路よりも重送シートのハンドリングを要因としたジョブの中断が発生する可能性が下がるように優先順位を変えた方がより継続性が向上する場合もある。以下では、重送シート排出設定に応じてＡＣＣ動作で選択される給紙部を変更する例について詳述する。
【０４１１】
ＡＣＣ動作と重送シート排出設定を連動させる設定は、第９実施形態と同様に、ユーザ設定画面、図６５より、キー６５０１、キー６５０２のいずれが選択されたかにより設定を行う。キー６５０１が選択された場合は、ＡＣＣ動作との連動は行わない。
【０４１２】
ジョブの実行制御について、図６７のフローチャートを用いて説明する。まず、Ｓ２６０１において、コピースタートキーが押下されるまで待ち、スタートキー押下後、Ｓ６７０２において、使用給紙装置を決定する。使用給紙装置決定後、Ｓ２６０３において給紙処理を開始する。給紙動作を行った結果、用紙無しが発生しなければ、第８実施形態の場合と同様の動作を行う。もし給紙源として選択した給紙部において、用紙なしが発生した場合には、Ｓ６７０９において、自動カセット選択処理を行う。
【０４１３】
自動カセット選択処理について、図６８を用いて詳述する。まず、ＲＡＭ上から、キー６５０１及び６５０２のいずれが選択されているかの情報を取得する。キー６５０１が選択されていれば、ＲＡＭ上から給紙装置の情報を取得し、処理中のジョブに対して給紙可能な給紙部が存在するかを調べる（Ｓ６８０７）。もし給紙可能な給紙部が存在すれば、最も搬送経路の短くなる給紙部を給紙源として設定する（Ｓ６８０８）。もしＳ６６８０７において他に給紙可能な給紙部が存在しない場合、はＳ６８０９において用紙なし警告（図６９）を表示し、Ｓ６８１０において、一旦ジョブを停止させる。中断されたジョブについては、オペレータによってキー群６９０２からいずれかのキーを押下することにより、別の給紙部が指定された場合は、指定された給紙部を給紙源として設定する（Ｓ６８１１，Ｓ６８１２）。もしＳ６８１１において、印刷要求ジョブに対して給紙部がオペレータによって指定されなかった場合は、Ｓ６８１３においてジョブがキャンセルされたかどうかを判定する。ジョブキャンセルの操作はキー６９０１によって実行される。ジョブキャンセルが実行されていれば、Ｓ６８１４において、投入されたジョブについてキャンセル処理を行う。
【０４１４】
ジョブキャンセルが実行されていなければ、Ｓ６８１１の処理に戻り、オペレータの指示を確認し、給紙部が指定されるかキャンセルされるまで、ジョブの中断状態を保持する。もしＳ６８０１において、キー６５０２が選択されていれば、Ｓ６８０２において、全給紙装置の情報を取得し、実行中のジョブに対してシートを給紙することが可能な給紙部が複数存在するかどうかを調べる。もし複数の給紙部が候補として存在した場合は、複数の給紙部が複数の給紙装置をまたがって存在しているかを調べる（Ｓ６８０３）。給紙源として複数の給紙部が選択可能で無い場合は、Ｓ６８０７の処理を実行する。もし複数の給紙装置に給紙可能な給紙部が存在しているならば（Ｓ６８０３）、Ｓ６８０４において、重送シート排出先の設定がオペレータによって行われているかを判別する。もし重送シート排出先の設定がオペレータによって行われていた場合は、上流側の給紙装置について、複数の排出先に排出可能なように設定されているかを調べる（Ｓ６８０５）。もし標準で選択されるべき給紙部の重送シート排出先候補数に比較して、搬送パスが長くなる、上流の給紙部の重送シート排出先候補数の方が多ければ、上流の給紙装置の給紙部を給紙源として設定する（Ｓ６８０６）。Ｓ６８０３、Ｓ６８０４、Ｓ６８０５において条件が不適格であった場合は、すべて通常のＡＣＣ処理としてＳ６８０８において最も搬送経路の短くなる給紙部を給紙源として選択する。自動カセット選択処理実行後、ジョブ制御手順Ｓ６７０３に戻り、選択された給紙部から給紙を行う。印刷ジョブは継続して実行可能となる。残りのジョブ制御手順については、第９実施形態においてすでに説明済みなので、省略する。
【０４１５】
本実施形態によれば、ユーザに設定を意識させることなく、重送シートの排出設定に応じてＡＣＣ処理において、最適な給紙部を選択することが可能となる。つまり、ユーザの重送シート排出設定に応じてＡＣＣ動作を最適化することが可能であり、用紙なしエラー発生時にも生産性の低下を防ぐことができる。
【０４１６】
（他の実施形態）
以上、第１乃至第１０実施形態においては、給紙装置ごとの排紙先設定ジョブ単位での排紙先の切替、用紙サイズごとの排出先設定、用紙タイプごとの排出先設定及び、排出先に応じたＡＰＳ処理の最適化、ＡＣＣ処理の最適化について説明した。上記実施形態はそれぞれ単独で構成することも可能であるが、複数の実施形態を組み合わせて印刷システム１０００を構成することも可能であり、各実施形態同士をどのように組み合わせるかについては特に制限しない。
【０４１７】
このように、第１〜第１０実施形態のそれぞれ及びその組合せに因れば、従来で想定したようなＰＯＤ環境で想定されうるユースケースやニーズに対処可能な、便利でかつ柔軟な印刷環境が構築でき、製品実用化に向けての様々な仕組みが提供可能となる。
【０４１８】
［その他のしくみ］
本実施形態における図に示す機能が外部からインストールされるプログラムによって、ホストコンピュータ（例えば、ＰＣ１０３やＰＣ１０４）により遂行されていてもよい。なお、この場合に、各操作画面を含む本発明の実施形態で述べた操作画面と同様の操作画面を表示させる為のデータを外部からインストールし、ホストコンピュータの表示部に上記各種のユーザインターフェース画面を提供可能に構成する。この一例として、本実施形態では、図１７ＡのＵＩ画面による構成でもって、これを説明している。このような構成の場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０４１９】
実施形態を実現するソフトウェアを記録した記憶媒体を、システムあるいは装置に供給し、そのシステムあるいは装置のコンピュータ（又はＣＰＵやＭＰＵ）が記憶媒体に格納されたプログラムを読出し実行することによっても、本発明の目的が達成される。
【０４２０】
この場合、記憶媒体から読み出されたプログラムコード自体が本発明の新規な機能を実現することになり、そのプログラムコードを記憶した記憶媒体は本発明を構成することになる。
【０４２１】
したがって、プログラムの機能を有していれば、オブジェクトコード、インタプリタにより実行されるプログラム、ＯＳに供給するスクリプトデータ等、プログラムの形態を問わない。
【０４２２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０４２３】
この場合、記憶媒体から読出されたプログラムコード自体が前述した実施形態の機能を実現することになり、そのプログラムコードを記憶した記憶媒体は本発明を構成することになる。
【０４２４】
その他、コンピュータのブラウザを用いてインターネットサイトに接続し、サイトからプログラムそのもの、若しくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０４２５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０４２６】
また、プログラムコードの指示に基づき、コンピュータ上で稼働しているＯＳ（オペレーティングシステム）等が実際の処理の一部又は全部を行い、その処理によって前述した実施形態の機能が実現される場合も含まれる。
【０４２７】
また、本発明は、複数の機器から構成されるシステムに適用しても、１つの機器からなる装置に適用してもよい。また、本発明は、システムあるいは装置にプログラムを供給することによって達成される場合にも適応できる。この場合、本発明を達成するためのソフトウェアによって表されるプログラムを格納した記憶媒体をシステムあるいは装置に読み出すことによって、そのシステムあるいは装置が、本発明の効果を享受することが可能となる。
【０４２８】
本発明は上記実施形態に限定されるものではなく、本発明の趣旨に基づき種々の変形（各実施形態の有機的な組合せを含む）が可能であり、それらを本発明の範囲から排除するものではない。例えば、本発明の実施形態では、印刷装置１００内部のコントローラ２０５が上記各種制御の主体となっていたが、印刷装置１００と別筐体の外付けコントローラ等によって、上記各種制御の１部又は全部を実行可能に構成しても良い。
【０４２９】
以上、本発明の様々な例と実施形態を示して説明したが、当業者であれば、本発明の趣旨と範囲は、本明細書内の特定の説明に限定されるのではない。
【図面の簡単な説明】
【０４３０】
【図１】本発明の第１実施形態で制御対象となる印刷システム１０００を含むＰＯＤ印刷システム１００００の全体構成例を説明する為の図である。
【図２】本発明の第１実施形態で制御対象となる印刷システム１０００の構成例を説明する為の図である。
【図３】本発明の第１実施形態で制御対象となる印刷システム１０００の構成例を説明する為の図である。
【図４】本発明の第１実施形態で制御対象となるＵＩ部の１例を説明する為の図である。
【図５】本発明の第１実施形態で制御対象となるＵＩ部の１例を説明する為の図である。
【図６】本発明の第１実施形態で制御対象となるＵＩ部に対する表示画面例を示す図である。
【図７】本発明の第１実施形態で制御対象となるＵＩ部に対する表示画面例を示す図である。
【図８Ａ】本発明の第１実施形態で制御対象となる印刷システム１０００の制御例を説明する為の図である。
【図８Ｂ】本発明の第１実施形態で制御対象となる印刷システム１０００の制御例を説明する為の図である。
【図９Ａ】本発明の第１実施形態で制御対象となる印刷システム１０００の制御例を説明する為の図である。
【図９Ｂ】本発明の第１実施形態で制御対象となる印刷システム１０００の制御例を説明する為の図である。
【図１０Ａ】本発明の第１実施形態で制御対象となる印刷システム１０００の制御例を説明する為の図である。
【図１０Ｂ】本発明の第１実施形態で制御対象となる印刷システム１０００の制御例を示す図である。
【図１１】本発明の第１実施形態で制御対象となるインラインフィニッシャの内部構成例を説明する為の図である。
【図１２】本発明の第１実施形態で制御対象となるインラインフィニッシャの内部構成例を説明する為の図である。
【図１３】本発明の第１実施形態で制御対象となるインラインフィニッシャの内部構成例を説明する為の図である。
【図１４】本発明の第１実施形態で制御対象となるＵＩ部に対する表示画面例を示す図である。
【図１５】本発明の第１実施形態で制御対象となる印刷システム１０００により印刷物を作成させる場合の制御例を説明する為の図である。
【図１６】本発明の第１実施形態で制御対象となる印刷システム１０００により印刷物を作成させる場合の制御例を説明する為の図である。
【図１７Ａ】本発明の第１実施形態で制御対象となるＵＩ部に対する表示画面例を示す図である。
【図１７Ｂ】本発明の第１実施形態で制御対象となるＵＩ部に対する表示画面例を示す図である。
【図１８Ａ】本発明の第１実施形態で制御対象となるＵＩ部に対する表示画面例を示す図である。
【図１８Ｂ】本発明の第１実施形態で制御対象となるＵＩ部に対する表示画面例を示す図である。
【図１８Ｃ】本発明の第１実施形態で制御対象となるＵＩ部に対する表示画面例を示す図である。
【図１８Ｄ】本発明の第１実施形態で制御対象となるＵＩ部に対する表示画面例を示す図である。
【図１９】本発明の第１実施形態で制御対象となる印刷システム１０００の更なるシステム構成例を示す図である。
【図２０】本発明の第１実施形態の大容量スタッカを説明する為の図である。
【図２１】本発明の第１実施形態で制御対象となる印刷システム１０００の更なるシステム構成例を示す図である。
【図２２】本発明の第１実施形態で制御対象となる印刷システム１０００の更なるシステム構成例を示す図である。
【図２３】本発明の第１実施形態で制御対象となる印刷システム１０００の更なるシステム構成の内部構成例を示す図である。
【図２４】本発明の第１実施形態で制御対象となる大容量給紙デッキの内部構成例を説明する為の図である。
【図２５Ａ】本発明の第１実施形態で制御対象となる大容量給紙デッキの内部構成例を説明する為の図である。
【図２５Ｂ】本発明の第１実施形態で制御対象となる大容量給紙デッキの内部構成例を説明する為の図である。
【図２５Ｃ】本発明の第１実施形態で制御対象となる大容量給紙デッキの内部構成例を説明する為の図である。
【図２５Ｄ】本発明の第１実施形態で制御対象となる大容量給紙デッキの内部構成例を説明する為の図である。
【図２６】本発明の第１実施形態で制御対象となる印刷システム１０００の制御例を示すフローチャートである。
【図２７】本発明の第１実施形態で制御対象となる印刷システム１０００の制御例を示すフローチャートである。
【図２８】本発明の第１実施形態で制御対象となる印刷システム１０００の搬送上のシートを説明する為の図である。
【図２９】本発明の第１実施形態で制御対象となる印刷システム１０００の搬送上のシートを説明する為の図である。
【図３０】本発明の第１実施形態で制御対象となる印刷システム１０００の制御例を示すフローチャートである。
【図３１】本発明の第１実施形態で印刷装置１００に接続されている給紙装置の内部構造図である。
【図３２】本発明の第１実施形態で制御対象となる印刷システム１０００において、重送シート排出先を設定するための画面の図である。
【図３３】本発明の第１実施形態で制御対象となる印刷システム１０００において、各給紙装置に対して重送シート排出先を設定するための画面の図である。
【図３４】本発明の第１実施形態で制御対象となる印刷システム１０００において、大容量給紙デッキａに対する排出トレイを設定するための画面の図である。
【図３５】本発明の第１実施形態で制御対象となる印刷システム１０００において、重送発生時に重送シート排出制御例のフローチャートである。
【図３６】本発明の第２実施形態で制御対象となる印刷システム１０００において、コピージョブ実行時の制御例のフローチャートである。
【図３７】本発明の第２実施形態で制御対象となる印刷システム１０００において、重送発生時に重送シート排出制御例のフローチャートである。
【図３８】本発明の第２実施形態で制御対象となるＵＩ部に対する表示画面例を示す図である。
【図３９】本発明の第３実施形態で制御対象となるＵＩ部に対する表示画面例を示す図である。
【図４０】本発明の第３実施形態で制御対象となるＵＩ部に対する表示画面例を示す図である。
【図４１】本発明の第３実施形態で制御対象となるＵＩ部に対する表示画面例を示す図である。
【図４２】本発明の第３実施形態で制御対象となる印刷システム１０００において、重送発生時に重送シート排出制御例のフローチャートである。
【図４３】本発明の第４実施形態で制御対象となる印刷システム１０００の搬送上のシートを示す図である。
【図４４】本発明の第４実施形態で制御対象となるＵＩ部に対する表示画面例を示す図である。
【図４５】本発明の第４実施形態で制御対象となる印刷システム１０００において、コピージョブ実行時の制御例のフローチャートである。
【図４６】本発明の第４実施形態で制御対象となる印刷システム１０００において、重送発生時に重送シート排出制御例のフローチャートである。
【図４７】本発明の第４実施形態で制御対象となる印刷システム１０００において、重送発生時に重送シート排出制御例のフローチャートである。
【図４８】本発明の第５実施形態で制御対象となるＵＩ部に対する表示画面例を示す図である。
【図４９】本発明の第５実施形態で制御対象となるＵＩ部に対する表示画面例を示す図である。
【図５０】本発明の第５実施形態で制御対象となる印刷システム１０００において、コピージョブ実行時の制御例のフローチャートである。
【図５１】本発明の第５実施形態で制御対象となる印刷システム１０００において、重送発生時に重送シート排出制御例のフローチャートである。
【図５２】本発明の第６実施形態で制御対象となるＵＩ部に対する表示画面例を示す図である。
【図５３】本発明の第６実施形態で制御対象となる印刷システム１０００において、重送発生時に重送シート排出制御例のフローチャートである。
【図５４】本発明の第６実施形態で制御対象となる印刷システム１０００において、重送発生時に重送シート排出制御例のフローチャートである。
【図５５】本発明の第７実施形態で制御対象となる印刷システム１０００において、重送発生時に重送シート排出制御例のフローチャートである。
【図５６】本発明の第８実施形態で制御対象となるＵＩ部に対する表示画面例を示す図である。
【図５７】本発明の第８実施形態で制御対象となるＵＩ部に対する表示画面例を示す図である。
【図５８】本発明の第８実施形態で制御対象となる印刷システム１０００において、コピージョブ実行時の制御例のフローチャートである。
【図５９】本発明の第８実施形態で制御対象となる印刷システム１０００において、ＡＰＳ動作制御のフローチャートである。
【図６０】本発明の第８実施形態で制御対象となるＵＩ部に対する表示画面例を示す図である。
【図６１】本発明の第８実施形態で制御対象となる印刷システム１０００において、コピージョブ実行時の制御例のフローチャートである。
【図６２】本発明の第８実施形態で制御対象となる印刷システム１０００において、ＡＰＳ動作制御のフローチャートである。
【図６３】本発明の第１実施形態で制御対象となるＵＩ部に対する表示画面例を示す図である。
【図６４】本発明の第９実施形態で制御対象となるＵＩ部に対する表示画面例を示す図である。
【図６５】本発明の第９実施形態で制御対象となるＵＩ部に対する表示画面例を示す図である。
【図６６】本発明の第９実施形態で制御対象となる印刷システム１０００において、ＡＰＳ動作制御のフローチャートである。
【図６７】本発明の第１０実施形態で制御対象となる印刷システム１０００において、コピージョブ実行時の制御例のフローチャートである。
【図６８】本発明の第１０実施形態で制御対象となる印刷システム１０００において、ＡＣＣ動作制御のフローチャートである。
【図６９】本発明の第１０実施形態で制御対象となるＵＩ部に対する表示画面例を示す図である。
【図１】
2008180900.tif 000003
【図２】
2008180900.tif 000004
【図３】
2008180900.tif 000005
【図４】
2008180900.tif 000006
【図５】
2008180900.tif 000007
【図６】
2008180900.tif 000008
【図７】
2008180900.tif 000009
【図８Ａ】
2008180900.tif 000010
【図８Ｂ】
2008180900.tif 000011
【図９Ａ】
2008180900.tif 000012
【図９Ｂ】
2008180900.tif 000013
【図１０Ａ】
2008180900.tif 000014
【図１０Ｂ】
2008180900.tif 000015
【図１１】
2008180900.tif 000016
【図１２】
2008180900.tif 000017
【図１３】
2008180900.tif 000018
【図１４】
2008180900.tif 000019
【図１５】
2008180900.tif 000020
【図１６】
2008180900.tif 000021
【図１７Ａ】
2008180900.tif 000022
【図１７Ｂ】
2008180900.tif 000023
【図１８Ａ】
2008180900.tif 000024
【図１８Ｂ】
2008180900.tif 000025
【図１８Ｃ】
2008180900.tif 000026
【図１８Ｄ】
2008180900.tif 000027
【図１９】
2008180900.tif 000028
【図２０】
2008180900.tif 000029
【図２１】
2008180900.tif 000030
【図２２】
2008180900.tif 000031
【図２３】
2008180900.tif 000032
【図２４】
2008180900.tif 000033
【図２５Ａ】
2008180900.tif 000034
【図２５Ｂ】
2008180900.tif 000035
【図２５Ｃ】
2008180900.tif 000036
【図２５Ｄ】
2008180900.tif 000037
【図２６】
2008180900.tif 000038
【図２７】
2008180900.tif 000039
【図２８】
2008180900.tif 000040
【図２９】
2008180900.tif 000041
【図３０】
2008180900.tif 000042
【図３１】
2008180900.tif 000043
【図３６】
2008180900.tif 000044
【図４３】
2008180900.tif 000045
【図４５】
2008180900.tif 000046
【図４６】
2008180900.tif 000047
【図５０】
2008180900.tif 000048
【図５３】
2008180900.tif 000049
【図５４】
2008180900.tif 000050
【図５５】
2008180900.tif 000051
【図５８】
2008180900.tif 000052
【図６１】
2008180900.tif 000053
【図６７】
2008180900.tif 000054
【図３２】
2008180900.tif 000055
【図３３】
2008180900.tif 000056
【図３４】
2008180900.tif 000057
【図３５】
2008180900.tif 000058
【図３７】
2008180900.tif 000059
【図３８】
2008180900.tif 000060
【図３９】
2008180900.tif 000061
【図４０】
2008180900.tif 000062
【図４１】
2008180900.tif 000063
【図４２】
2008180900.tif 000064
【図４４】
2008180900.tif 000065
【図４７】
2008180900.tif 000066
【図４８】
2008180900.tif 000067
【図４９】
2008180900.tif 000068
【図５１】
2008180900.tif 000069
【図５２】
2008180900.tif 000070
【図５６】
2008180900.tif 000071
【図５７】
2008180900.tif 000072
【図５９】
2008180900.tif 000073
【図６０】
2008180900.tif 000074
【図６２】
2008180900.tif 000075
【図６３】
2008180900.tif 000076
【図６４】
2008180900.tif 000077
【図６５】
2008180900.tif 000078
【図６６】
2008180900.tif 000079
【図６８】
2008180900.tif 000080
【図６９】
2008180900.tif 000081
【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
印刷媒体を給送する給送手段と、複数の印刷媒体が重なった状態で搬送される重送の発生を検知する重送検知手段と、重送された印刷媒体を排出する重送排出手段と、をそれぞれ備える複数台の給送装置から印刷装置へ印刷媒体を供給可能な印刷システムであって、
重送された印刷媒体を、前記複数台の給送装置のうちの何れの給送装置の重送排出手段に排出するかを設定する重送排出先設定手段と、
前記重送検知手段が重送の発生を検知した場合に、前記重送排出先設定手段によって設定された重送排出手段に重送された印刷媒体を排出する制御手段と、
を備えたことを特徴とする印刷システム。
【請求項２】
前記重送排出先設定手段において複数の重送排出手段が設定された場合、前記制御手段は、重送された印刷媒体の搬送パスが短い重送排出手段を優先的に選択して排出することを特徴とする請求項１に記載の印刷システム。
【請求項３】
前記重送排出先設定手段において複数の重送排出手段が設定された場合、前記制御手段は、排出先として選択できる重送排出手段の候補を多く有する給送装置の重送排出手段を優先的に選択して排出することを特徴とする請求項１に記載の印刷システム。
【請求項４】
前記重送排出先設定手段は、複数の重送排出手段について優先順位を設定可能であり、
前記制御手段は、設定された優先順位に応じて重送排出手段を決定することを特徴とする請求項１に記載の印刷システム。
【請求項５】
前記制御手段はさらに、印刷ジョブ毎に異なる重送排出手段に重送された印刷媒体を排出することを特徴とする請求項１に記載の印刷システム。
【請求項６】
前記重送排出先設定手段は、さらに、印刷媒体のサイズごとに異なる重送排出手段を設定可能であることを特徴とする請求項１に記載の印刷システム。
【請求項７】
前記重送排出先設定手段は、さらに、印刷媒体のメディアタイプごとに異なる重送排出手段を設定可能であることを特徴とする請求項１に記載の印刷システム。
【請求項８】
前記重送排出先設定手段は、さらに、印刷媒体のサイズごとに異なる重送排出手段を設定可能であり、かつ、印刷媒体のメディアタイプごとに異なる重送排出手段を設定可能であって、印刷媒体について、サイズとメディアタイプに異なる重送排出手段が設定されている場合、どちらの重送排出手段を優先的に選択するかの優先順位を更に設定可能であることを特徴とする請求項１に記載の印刷システム。
【請求項９】
実行指示を受けた印刷ジョブに対して印刷媒体を自動的に検索する検索手段を更に有し、
前記重送排出先設定手段は、印刷速度優先モードと、印刷継続性優先モードとを選択的に設定可能であり、
前記制御手段は、印刷継続性優先モードに設定された場合、検索手段によって検索された印刷媒体を給送することが可能な給送装置中で、排出先として選択できる重送排出手段の候補を最も多く有する給送装置を選択することを特徴とする請求項１に記載の印刷システム。
【請求項１０】
実行指示を受けた印刷ジョブに対して印刷媒体を自動的に検索する検索手段を更に有し、
前記重送排出先設定手段は、印刷速度優先モードと、印刷継続性優先モードとを選択的に設定可能であり、
前記制御手段は、印刷速度優先モードに設定された場合、検索手段によって検索された印刷媒体を給送することが可能な給送装置中で、前記印刷装置までの搬送距離が最も短くなる給送装置から印刷媒体を給送させることを特徴とする請求項１に記載の印刷システム。
【請求項１１】
前記制御手段は、給送装置毎に重送の発生回数をカウントし、重送回数が多い給送装置よりも重送回数が少ない給送装置から優先的に印刷媒体を給送させることを特徴とする請求項１に記載の印刷システム。
【請求項１２】
実行指示を受けた印刷ジョブに対して印刷媒体を自動的に検索する検索手段を更に有し、
前記制御手段は、検索手段によって検索された印刷媒体を給送する場合、該印刷媒体を給送することが可能な給送装置中で、排出先として選択できる重送排出手段の候補を最も多く有する給送装置から印刷媒体を給送させることを特徴とする請求項１に記載の印刷システム。
【請求項１３】
印刷媒体を給送する給送手段と、複数の印刷媒体が重なった状態で搬送される重送の発生を検知する重送検知手段と、重送された印刷媒体を排出する重送排出手段と、をそれぞれ備える複数台の給送装置から印刷装置へ印刷媒体を供給可能な印刷システムの制御方法であって、
重送された印刷媒体を、前記複数台の給送装置のうちの何れの前記給送装置の重送排出手段に排出するかを設定する設定ステップと、
前記重送検知手段により重送の発生を検知した場合に、重送された印刷媒体を前記設定ステップで設定された重送排出手段に排出する制御ステップを有することを特徴とする印刷システムの制御方法。
【請求項１４】
請求項１３に記載の制御方法をコンピュータに実行させることを特徴とするプログラム。
【請求項１５】
請求項１３に記載の制御方法をコンピュータに実行させるプログラムを格納したことを特徴とするコンピュータ読取可能な記憶媒体。